(57)【要約】  マルチアクセスＰＤＮコネクションの確立又は確立を拒絶する通信制御と、マルチアクセスＰＤＮコネクションに対するルーティングルールの設定又は設定を拒絶する通信制御とを、オペレータポリシーと端末ポリシーに基づいて実行する。これにより、マルチアクセスＰＤＮコネクションに対する通信制御方法等を提供することとなる。
2016163422.tif 000002
【特許請求の範囲】
【請求項１】
端末装置であって、
前記端末装置は、
前記端末装置が使用するルーティングルールを含む、３ＧＰＰアクセスを介したＩＰフローをＷＬＡＮアクセスを介したフローへ切り替えるための要求メッセージを、ＴＷＡＧ（Trusted WLAN Access Gateway）から受信し、
前記ルーティングルールを拒絶する場合には、拒絶する理由を示す値を含む、前記フロー切り替えを拒絶するための拒絶メッセージを前記ＴＷＡＧに送信する、
ＷＬＡＮインターフェース部を備え、
前記拒絶する理由を示す値は、要求先のアクセスネットワークのリソースが不足していること、又は、要求先のアクセスネットワークの機能が使用不能であることを示している、
ことを特徴とする端末装置。
【請求項２】
前記要求メッセージは、マルチアクセスＰＤＮコネクションを確立していて、選択されたＮＢＩＦＯＭ  ｍｏｄｅがＮｅｔｗｏｒｋ−ｉｎｉｔｉａｔｅｄ  ＮＢＩＦＯＭ（Network-based IP Flow Mobility）  ｍｏｄｅである場合に、受信される、
ことを特徴とする請求項１に記載の端末装置。
【請求項３】
前記ルーティングルールは、ルーティングアクセスに関する情報、ルールの優先度、及び、ルーティングフィルタを含み、
前記ルーティングフィルタは、送信元ＩＰアドレス、送信先ＩＰアドレス、プロトコルに関する情報、送信元ポート番号、送信先ポート番号のうちの少なくとも１つを含む、
ことを特徴とする請求項１又は請求項２に記載の端末装置。
【請求項４】
ＰＣＲＦ（Policy and Charging Rule Function）と接続するＰＧＷ（PDN Gateway）であって、
前記ＰＧＷは、
３ＧＰＰアクセスを介したＩＰフローをＷＬＡＮアクセスを介したフローへ切り替えるために、
ベアラ更新要求メッセージをＴＷＡＧ（Trusted WLAN Access Gateway）に送信し、
ベアラ更新応答メッセージを前記ＴＷＡＧから受信する、
ＩＰ移動通信ネットワークインターフェース部を備え、
前記ベアラ更新要求メッセージは、ルーティングルールを含み、
前記ベアラ更新応答メッセージは、前記ベアラ更新要求メッセージに対する応答メッセージであり、
前記ベアラ更新応答メッセージは、拒絶する理由を示す値を含み、
前記拒絶する理由を示す値は、要求先のアクセスネットワークのリソースが不足していること、又は、要求先のアクセスネットワークの機能が使用不能であることを示す、
ことを特徴とするＰＧＷ。
【請求項５】
前記ＰＧＷは、前記ベアラ更新応答メッセージを受信した後、前記フロー切り替えが拒絶されたことを前記ＰＣＲＦに通知する、
ことを特徴とする請求項４に記載のＰＧＷ。
【請求項６】
前記ルーティングルールは、ルーティングアクセスに関する情報、ルールの優先度、及び、ルーティングフィルタを含み、
前記ルーティングフィルタは、送信元ＩＰアドレス、送信先ＩＰアドレス、プロトコルに関する情報、送信元ポート番号、送信先ポート番号のうちの少なくとも１つを含む、
ことを特徴とする請求項４又は請求項５に記載のＰＧＷ。
【請求項７】
端末装置と接続するＴＷＡＧ（Trusted WLAN Access Gateway）であって、
前記ＴＷＡＧは、
前記端末装置で使用されるルーティングルールを含む、３ＧＰＰアクセスを介したＩＰフローをＷＬＡＮアクセスを介したフローへ切り替えるための要求メッセージを、端末装置に送信し、
拒絶する理由を示す値を含む、前記フロー切り替えを拒絶するための拒絶メッセージを前記端末装置から受信する、
ＩＰ移動通信ネットワークインターフェース部を備え、
前記拒絶する理由を示す値は、要求先のアクセスネットワークのリソースが不足していること、又は、要求先のアクセスネットワークの機能が使用不能であることを示す、
ことを特徴とするＴＷＡＧ。
【発明の詳細な説明】
【技術分野】
【０００１】
本発明は、端末装置等に関する。
【背景技術】
【０００２】
近年の移動通信システムの標準化活動を行う３ＧＰＰ（The 3rd Generation Partnership Project）では、オールＩＰ化を実現する、非特許文献１に記載のＥＰＳ（Evolved Packet System）の仕様化を行っている。ＥＰＳは、移動通信事業者等が携帯電話サービスを提供するための移動通信システムであり、ＥＰＣ（Evolved Packet Core）と呼ばれるコアネットワークやＬＴＥ（Long Term Evolution）とよばれる無線通信規格に基づくアクセスネットワーク等を含めて構成されている。【０００３】
更に、３ＧＰＰのＥＰＳの仕様化の中で、ＮＢＩＦＯＭ（Network-based IP Flow Mobility）の検討が行われている（非特許文献１）。ＮＢＩＦＯＭは、１つのデバイスが３ＧＰＰのインターフェースと、３ＧＰＰ以外のインターフェース（例えばＷＬＡＮ）を同時に利用できることを目的とした、技術項目である。【０００４】
従来より、１つのＰＤＮコネクションには、３ＧＰＰのアクセスネットワーク（例えばＬＴＥアクセスネットワーク）と３ＧＰＰ以外のアクセスネットワーク（例えばＷＬＡＮアクセスネットワーク）のうちいずれか１つのアクセスネットワークを介する通信路又はベアラ又は転送路が収容される。【０００５】
ＮＢＩＦＯＭでは、１つのＰＤＮコネクションに３ＧＰＰを介したベアラ又は通信路又は転送路と３ＧＰＰ以外のベアラ又は通信路又は転送路を同時に収容している状態を維持できる。このようなＰＤＮコネクションをマルチアクセスＰＤＮコネクションとする。【０００６】
更に、ＮＢＩＦＯＭでは、通信路の切り替えの主導機能をもつ端点を示すオペレーションモードを規定する事が検討されている。具体的にはオペレーションモードは端末装置主導のＵＥ−Ｉｎｉｔｉａｔｅｄ  ｍｏｄｅと、ネットワーク主導のＮｅｔｗｏｒｋ−Ｉｎｉｔｉａｔｅｄ  ｍｏｄｅに分類されることが検討されている。【０００７】
端末装置及びコアネットワーク及びアクセスネットワークに含まれる各装置はＮＢＩＦＯＭ機能を用いる事で、アプリケーションごとに適切なアクセスネットワークを介した通信路を用いてデータの送受信ができる。【０００８】
更に、ＮＢＩＦＯＭ機能を用いて確立されたマルチアクセスＰＤＮコネクションのフロー切り替えを主導する端点はオペレーションモードにより設定されることができる。
【先行技術文献】
【非特許文献】
【０００９】
【非特許文献１】３ＧＰＰ  ＴＲ  ２３．８６１  Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ、Ｎｅｔｗｏｒｋ  ｂａｓｅｄ  ＩＰ  ｆｌｏｗ  ｍｏｂｉｌｉｔｙ（Ｒｅｌｅａｓｅ  １３）
【発明の概要】
【発明が解決しようとする課題】
【００１０】
ＮＢＩＦＯＭでは、マルチアクセスＰＤＮコネクションに関わる詳細な制御手続きが規定されていない。具体的には、マルチアクセスＰＤＮコネクション確立手続き及びマルチアクセスＰＤＮコネクションに対するルーティングルールの設定手続きの詳細が明らかになっていない。【００１１】
より具体的には、端末装置がＮＢＩＦＯＭ機能をサポートしたマルチアクセスＰＤＮコネクションの確立を要求に対する、ネットワークからの受諾（accept）手段及び拒絶（reject）手続きの詳細、及び／又はルーティングルールの設定手続き及び失敗手続きの詳細が明らかになっていない。【００１２】
本発明は、このような事情を鑑みてなされたもので、その目的は、マルチアクセスＰＤＮコネクションに対する通信制御手続きの好適な実現手段を提供することである。
【課題を解決するための手段】
【００１３】
上記課題を解決するために、本発明の端末装置は、前記端末装置が使用するルーティングルールを含む、３ＧＰＰアクセスを介したＩＰフローをＷＬＡＮアクセスを介したフローへ切り替えるための要求メッセージを、ＴＷＡＧ（Trusted WLAN Access Gateway）から受信し、前記ルーティングルールを拒絶する場合には、拒絶する理由を示す値を含む、前記フロー切り替えを拒絶するための拒絶メッセージを前記ＴＷＡＧに送信する、ＷＬＡＮインターフェース部を備え、前記拒絶する理由を示す値は、要求先のアクセスネットワークのリソースが不足していること、又は、要求先のアクセスネットワークの機能が使用不能であることを示している、ことを特徴とする。【００１４】
本発明のＰＧＷ（PDN Gateway）は、ＰＣＲＦ（Policy and Charging Rule Function）と接続するＰＧＷであって、３ＧＰＰアクセスを介したＩＰフローをＷＬＡＮアクセスを介したフローへ切り替えるために、ベアラ更新要求メッセージをＴＷＡＧ（Trusted WLAN Access Gateway）に送信し、ベアラ更新応答メッセージを前記ＴＷＡＧから受信する、ＩＰ移動通信ネットワークインターフェース部を備え、前記ベアラ更新要求メッセージは、ルーティングルールを含み、前記ベアラ更新応答メッセージは、前記ベアラ更新要求メッセージに対する応答メッセージであり、前記ベアラ更新応答メッセージは、拒絶する理由を示す値を含み、前記拒絶する理由を示す値は、要求先のアクセスネットワークのリソースが不足していること、又は、要求先のアクセスネットワークの機能が使用不能であることを示す、ことを特徴とする。【００１５】
本発明のＴＷＡＧ（Trusted WLAN Access Gateway）は、端末装置と接続するＴＷＡＧであって、前記端末装置で使用されるルーティングルールを含む、３ＧＰＰアクセスを介したＩＰフローをＷＬＡＮアクセスを介したフローへ切り替えるための要求メッセージを、端末装置に送信し、拒絶する理由を示す値を含む、前記フロー切り替えを拒絶するための拒絶メッセージを前記端末装置から受信する、ＩＰ移動通信ネットワークインターフェース部を備え、前記拒絶する理由を示す値は、要求先のアクセスネットワークのリソースが不足していること、又は、要求先のアクセスネットワークの機能が使用不能であることを示す、ことを特徴とする。
【発明の効果】
【００１６】
本発明によれば、端末装置のマルチアクセスＰＤＮコネクションのフロー切り替えに伴う通信制御手続きを実現できる。【００１７】
具体的には、本発明によれば、ネットワーク主導でフロー切り替えが許可されたオペレーションモードにおいて、マルチアクセスＰＤＮコネクションのフロー切り替えを端末装置が拒絶する事ができる。
【図面の簡単な説明】
【００１８】
【図１】移動通信システムの概略を説明するための図である。
【図２】ＩＰ移動通信ネットワークの構成等を説明するための図である。
【図３】ＴＷＡＧの機能構成を説明するための図である。
【図４】ＴＷＡＧの記憶部の構成を説明するための図である。
【図５】ＨＳＳの機能構成を説明するための図である。
【図６】ＨＳＳの記憶部の構成を説明するための図である。
【図７】ＵＥの機能構成を説明するための図である。
【図８】ＵＥの記憶部の構成を説明するための図である。
【図９】ＰＧＷの機能構成を説明するための図である。
【図１０】ＰＧＷの記憶部の構成を説明するための図である。
【図１１】ＰＣＲＦの機能構成を説明するための図である。
【図１２】ＰＣＲＦの記憶部の構成を説明するための図である。
【図１３】初期状態を説明する為の図である。
【図１４】初期状態に至るための手続きを説明する為の図である。
【図１５】マルチアクセスＰＤＮ接続確立手続きを説明する為の図である。
【図１６】第１のフロー切り替え手続きを説明する為の図である。
【図１７】第２のフロー切り替え手続きを説明する為の図である。
【図１８】追加アタッチ手続きを説明するための図である。
【発明を実施するための形態】
【００１９】
［１．第１の実施形態］
以下、図面を参照しながら本発明の実施形態による無線通信技術について詳細に説明する。
【００２０】
［１．１．システム概要］
図１は、本実施形態における移動通信システムの概略を説明するための図である。本図に示すように、移動通信システム９は、移動端末装置ＵＥ１０とアクセスネットワークＡに含まれるＬＴＥの基地局ｅＮＢ４５と、アクセスネットワークＢに含まれるゲートウェイＴＷＡＧ（Trusted WLAN Access Gateway）７４と、コアネットワーク９０に含まれるＭＭＥ（Mobility Management Entity）４０とＳＧＷ（Serving Gateway）３５とＰＧＷ（PDN Gateway）３０により構成される。
【００２１】
ここで、ＵＥ１０は移動端末装置であればよく、ＵＥ（User equipment）又は、ＭＥ（Mobile equipment）又はＭＳ（Mobile Station）であってもよい。
【００２２】
また、アクセスネットワークＡはＬＴＥのアクセスネットワークであってよく、アクセスネットワークＡに含まれるｅＮＢ４５はＬＴＥの無線基地局であってもよい。なお、アクセスネットワークＡには複数の無線基地局が含まれていてもよい。
【００２３】
また、アクセスネットワークＢはＷＬＡＮのアクセスネットワークであってもよい。ＴＷＡＧ７４は、コアネットワーク９０内のＰＧＷ３０と接続する、コアネットワーク９０とＷＬＡＮアクセスネットワーク間を接続するゲートウェイであってもよい。
【００２４】
本実施形態において、ＵＥ１０はアクセスネットワークＡを介してＥＰＳベアラを用いたＰＤＮコネクションを確立できる。
【００２５】
また、ＵＥ１０はＰＧＷ３０とＵＥ１０間のＧＴＰ／ＰＭＩＰｖ６転送路を用いてＰＤＮコネクションを確立することができる。なお、転送路はベアラであってもよい。
【００２６】
ここで、コアネットワーク９０は、移動通信事業者（Mobile Operator）が運用するＩＰ移動通信ネットワークのことである。
【００２７】
例えば、コアネットワーク９０は移動通信システム９を運用、管理する移動通信事業者のためのコアネットワークであってもよい、又はＭＶＮＯ（Mobile Virtual Network Operator）等の仮想移動通信事業者のためのコアネットワークであってもよい。
【００２８】
ＭＭＥ４０は、アクセスネットワークＡを介してＵＥ１０の位置管理及びアクセス制御を行う制御装置である。ＭＭＥ４０の詳細は後に説明する。
【００２９】
また、ＳＧＷ３５はコアネットワーク９０とアクセスネットワークＡ間のゲートウェイ装置であり、ＵＥ１０とＰＧＷ３０間のユーザデータの転送を行う。
【００３０】
ＰＧＷ３０はＵＥ１０に通信サービスを提供するパケットデータサービス網（ＰＤＮ：Packet Data Network）のゲートウェイ装置である。
【００３１】
本実施形態では、ＵＥ１０は、第１のＰＤＮコネクション及び／又は第２のＰＤＮコネクションを確立することができる。
【００３２】
また、本実施形態においてＮＢＩＦＯＭとはマルチアクセスＰＤＮコネクションを確立することができる技術である。
【００３３】
また、本実施形態においてマルチアクセスＰＤＮコネクションとは、１つのＰＤＮコネクションに３ＧＰＰアクセス及び／又はＷＬＡＮアクセスによる転送路及び／又はベアラを収容する事ができるＰＤＮコネクションである。言い換えれば、マルチアクセスＰＤＮコネクションは３ＧＰＰアクセスとＷＬＡＮアクセスを介した転送路を両方収容する事ができる。なお、マルチアクセスＰＤＮコネクションは３ＧＰＰアクセスを介したベアラのみを収容したＰＤＮコネクションであってもよく、又はＷＬＡＮアクセスを介した転送路のみを収容したＰＤＮコネクションであってもよい。言い換えれば、マルチアクセスＰＤＮコネクションは、1又は複数の転送路を構成する事が可能なＰＤＮコネクションである。
【００３４】
またマルチアクセスＰＤＮコネクションが複数の転送路で構成される場合、各転送路は同じＩＰアドレスを利用できる。つまり、マルチアクセスＰＤＮコネクションフローに対して各通信路が対応付けられており、フローごとに通信路を切り替えることが可能である。
【００３５】
本実施形態では、ＩＦＯＭ（IP Flow Mobility）に基づいて確立するＰＤＮコネクションと明確に区別するために、ＮＢＩＦＯＭに基づいて特定のフローの転送路を選択可能なＰＤＮコネクションをマルチアクセスＰＤＮコネクションとする。
【００３６】
なお、ＩＦＯＭとは、ＤＳＭＩＰｖ６（Dual Stack Mobile IPv6）プロトコルを用いて、特定のＩＰフローの通信路を切り替える技術のことであり、本実施形態においては、ＩＦＯＭに基づいて特定のＩＰフローの通信路を切り替えることが可能なＰＤＮコネクションは、ＩＦＯＭのためのＰＤＮコネクションとして説明する。
【００３７】
また、第１のＰＤＮコネクションは上述したマルチアクセスＰＤＮコネクションであってもよい。
【００３８】
詳細には、第１のＰＤＮコネクションはアクセスネットワークＡを介した通信路ＥＰＳベアラと、アクセスネットワークＢを介したＧＴＰ／ＰＭＩＰｖ６トンネルによる通信路を、一つのＰＤＮコネクションとして用いる事ができるＰＤＮコネクションである。つまり、このＰＤＮコネクションは３ＧＰＰアクセスや、ＷＬＡＮアクセス、又は両方のアクセスを介してデータを送受信できる。第１のＰＤＮコネクションはマルチアクセスＰＤＮコネクションであってもよい。
【００３９】
また、第２のＰＤＮコネクションは、マルチアクセスＰＤＮコネクションではなく従来のＰＤＮコネクションであってもよい。なお、第２のＰＤＮコネクションはシングルアクセスＰＤＮコネクションであってもよい。
【００４０】
ここで、シングルアクセスＰＤＮコネクションとはマルチアクセスＰＤＮコネクションと異なり、３ＧＰＰアクセスとＷＬＡＮアクセスのいずれかの転送路のみを構成する１つのＰＤＮコネクションである。詳細には、シングルアクセスＰＤＮコネクションは従来のアタッチにより確立するＰＤＮコネクションである。
【００４１】
つまり、第２のＰＤＮコネクションはアクセスネットワークＡを介したＥＰＳベアラにより構成されるＰＤＮコネクション、又はアクセスネットワークＢを介したＧＴＰ／ＰＭＩＰｖ６転送路により構成されるＰＤＮコネクションである。第２のＰＤＮコネクションにはどちらか一方のアクセスネットワークを介した転送路及び／又は通信路が収容される。
【００４２】
このように、シングルアクセスＰＤＮコネクションは、マルチアクセスＰＤＮコネクションやＩＦＯＭのためのＰＤＮコネクションとは異なるＰＤＮコネクションである。さらに、シングルアクセスＰＤＮコネクションは、ＬＩＰＡ（Local IP Access）用のＰＤＮコネクションとも異なるＰＤＮコネクションである。ここで、ＬＩＰＡとは、ホームネットワークへのオフロードを行うための通信制御である。より具体的には、端末装置が接続する基地局は、従来コアネットワークへ配送するユーザデータを、基地局が接続するホームネットワークへ送信することによりオフロードを実行する。ＬＩＰＡ用のＰＤＮコネクションとは、こうしたＬＩＰＡに基づいた通信を行うためのＰＤＮコネクションである。
【００４３】
次に、コアネットワーク９０の構成例を説明する。図２（ａ）はＩＰ移動通信ネットワークの構成の一例を示す。図２（ａ）に示すように、コアネットワーク９０は、ＨＳＳ（Home Subscriber Server）５０、ＡＡＡ（Authentication, Authorization, Accounting）５５、ＰＣＲＦ（Policy and Charging Rules Function）６０、ＰＧＷ３０、ｅＰＤＧ（enhanced Packet Data Gateway）６５、ＳＧＷ３５、ＭＭＥ４０、ＳＧＳＮ（Serving GPRS Support Node）４５により構成される。
【００４４】
また、コアネットワーク９０は、複数の無線アクセスネットワーク（ＬＴＥ  ＡＮ８０、ＷＬＡＮ  ＡＮｂ７５、ＷＬＡＮ  ＡＮａ７０、ＵＴＲＡＮ２０、ＧＥＲＡＮ２５）に接続することができる。
【００４５】
無線アクセスネットワークは、複数の異なるアクセスネットワークに接続して構成してもよいし、いずれか一つのアクセスネットワークに接続した構成であってもよい。さらに、ＵＥ１０は無線アクセスネットワークに無線接続することができる。
【００４６】
さらに、ＷＬＡＮアクセスシステムで接続可能なアクセスネットワークは、ｅＰＤＧ６５を介してコアネットワーク９０へ接続するＷＬＡＮアクセスネットワークｂ（ＷＬＡＮ  ＡＮｂ７５）と、ＰＧＷ３０とＰＣＲＦ６０とＡＡＡ５５とに接続するＷＬＡＮアクセスネットワークａ（ＷＬＡＮ  ＡＮａ７５）とが構成可能である。
【００４７】
なお、各装置はＥＰＳを利用した移動通信システムにおける従来の装置と同様に構成されるため、詳細な説明は省略する。以下、各装置の簡単な説明をする。
【００４８】
ＰＧＷ３０はＰＤＮ１００とＳＧＷ３５とｅＰＤＧ６５とＷＬＡＮ  ＡＮａ７０と、ＰＣＲＦ６０とＡＡＡ５５とに接続されており、ＰＤＮ１００とコアネットワーク９０のゲートウェイ装置としてユーザデータの転送を行う中継装置である。
【００４９】
ＳＧＷ３５は、ＰＧＷ３０とＭＭＥ４０とＬＴＥ  ＡＮ８０とＳＧＳＮ４５とＵＴＲＡＮ２０とに接続されており、コアネットワーク９０と３ＧＰＰのアクセスネットワーク（ＵＴＲＡＮ２０、ＧＥＲＡＮ２５、ＬＴＥ  ＡＮ８０）とのゲートウェイ装置としてユーザデータの転送を行う中継装置である。
【００５０】
ＭＭＥ４０は、ＳＧＷ３５とＬＴＥ  ＡＮ８０とＨＳＳ５０に接続されており、ＬＴＥ  ＡＮ８０を経由してＵＥ１０の位置情報管理と、アクセス制御を行うアクセス制御装置である。また、コアネットワーク９０には、複数の位置管理装置が含まれて構成されてもよい。例えば、ＭＭＥ４０とは異なる位置管理装置が構成されてもよい。ＭＭＥ４０とは異なる位置管理装置はＭＭＥ４０と同様にＳＧＷ３５とＬＴＥ  ＡＮ８０と、ＨＳＳ５０と接続されてもよい。
【００５１】
また、コアネットワーク９０内に複数のＭＭＥ４０が含まれている場合、ＭＭＥ４０同士が接続されてもよい。これにより、ＭＭＥ４０間で、ＵＥ１０のコンテキストの送受信が行われてもよい。
【００５２】
ＨＳＳ５０はＭＭＥ４０とＡＡＡ５５とに接続されており、加入者情報の管理を行う管理ノードである。ＨＳＳ５０の加入者情報は、例えばＭＭＥ４０のアクセス制御の際に参照される。さらに、ＨＳＳ５０は、ＭＭＥ４０とは異なる位置管理装置と接続されていてもよい。
【００５３】
ＡＡＡ５５は、ＰＧＷ３０と、ＨＳＳ５０と、ＰＣＲＦ６０と、ＷＬＡＮ  ＡＮａ７０とに接続されており、ＷＬＡＮ  ＡＮａ７０を経由して接続するＵＥ１０のアクセス制御を行う。
【００５４】
ＰＣＲＦ６０は、ＰＧＷ３０と、ＷＬＡＮ  ＡＮａ７５と、ＡＡＡ５５と、ＰＤＮ１００に接続されており、データ配送に対するＱｏＳ管理を行う。例えば、ＵＥ１０とＰＤＮ１００間の通信路のＱｏＳの管理を行う。
【００５５】
ｅＰＤＧ６５は、ＰＧＷ３０と、ＷＬＡＮ  ＡＮｂ７５とに接続されており、コアネットワーク９０と、ＷＬＡＮ  ＡＮｂ７５とのゲートウェイ装置としてユーザデータの配送を行う。
【００５６】
ＳＧＳＮ４５は、ＵＴＲＡＮ２０とＧＥＲＡＮ２５とＳＧＷ３５と接続されており、３Ｇ／２Ｇのアクセスネットワーク（ＵＴＲＡＮ／ＧＥＲＡＮ）とＬＴＥのアクセスネットワーク（Ｅ−ＵＴＲＡＮ）間の位置管理のための制御装置である。更に、ＳＧＳＮ４５は、ＰＧＷ３０及びＳＧＷ３５の選択機能、ＵＥ１０のタイムゾーンの管理機能、及びＥ−ＵＴＲＡＮへのハンドオーバー時のＭＭＥ４０の選択機能を持つ。
【００５７】
また、図２（ｂ）に示すように、各無線アクセスネットワークには、ＵＥ１０が実際に接続される装置（例えば、基地局装置やアクセスポイント装置）等が含まれている。接続に用いられる装置は、無線アクセスネットワークに適応した装置が考えられる。
【００５８】
本実施形態においては、ＬＴＥ  ＡＮ８０はｅＮＢ４５を含んで構成される。ｅＮＢ４５はＬＴＥアクセスシステムでＵＥ１０が接続する無線基地局であり、ＬＴＥ  ＡＮ８０には１又は複数の無線基地局が含まれて構成されてもよい。
【００５９】
ＷＬＡＮ  ＡＮａ７０はＷＬＡＮ  ＡＰａ７２と、ＴＷＡＧ７４とが含まれて構成される。ＷＬＡＮ  ＡＰａ７２はコアネットワーク９０を運営する事業者に対して信頼性のあるＷＬＡＮアクセスシステムでＵＥ１０が接続する無線基地局であり、ＷＬＡＮ  ＡＮａ７０には１又は複数の無線基地局が含まれて構成されてもよい。ＴＷＡＧ７４はコアネットワーク９０とＷＬＡＮ  ＡＮａ７０のゲートウェイ装置である。また、ＷＬＡＮ  ＡＰａ７２とＴＷＡＧ７４とは、単一の装置で構成されてもよい。
【００６０】
コアネットワーク９０を運営する事業者とＷＬＡＮ  ＡＮａ７０を運営する事業者が異なる場合でも、事業者間の契約や規約によりこのような構成での実現が可能となる。
【００６１】
また、ＷＬＡＮ  ＡＮｂ７５はＷＬＡＮ  ＡＰｂ７６を含んで構成される。ＷＬＡＮ  ＡＰｂ７６はコアネットワーク９０を運営する事業者に対して信頼関係が結ばれていない場合に、ＷＬＡＮアクセスシステムでＵＥ１０が接続する無線基地局であり、ＷＬＡＮ  ＡＮｂ７５には１又は複数の無線基地局が含まれて構成されてもよい。
【００６２】
このように、ＷＬＡＮ  ＡＮｂ７５はコアネットワーク９０に含まれる装置であるｅＰＤＧ６５をゲートウェイとしてコアネットワーク９０に接続される。ｅＰＤＧ６５は安全性を確保するためのセキュリティー機能を持つ。
【００６３】
ＵＴＲＡＮ２０は、ＲＮＣ（Ｒａｄｉｏ  Ｎｅｔｗｏｒｋ  Ｃｏｎｔｒｏｌｌｅｒ）２４とｅＮＢ（ＵＴＲＡＮ）２２を含んで構成される。ｅＮＢ（ＵＴＲＡＮ）２２は、ＵＴＲＡ（UMTS Terrestrial Radio Access）でＵＥ１０が接続する無線基地局であり、ＵＴＲＡＮ２０には１又は複数の無線基地局が含まれて構成されてもよい。またＲＮＣ２４は、コアネットワーク９０とｅＮＢ（ＵＴＲＡＮ）２２を接続する制御部であり、ＵＴＲＡＮ２０には１又は複数のＲＮＣが含まれて構成されてもよい。また、ＲＮＣ２４は１つ又は複数のｅＮＢ（ＵＴＲＡＮ）２２と接続されてもよい。更に、ＲＮＣ２４は、ＧＥＲＡＮ２５に含まれる無線基地局（ＢＳＳ（Base Station Subsystem）２６）と接続されてもよい。
【００６４】
ＧＥＲＡＮ２５は、ＢＳＳ２６を含んで構成される。ＢＳＳ２６は、ＧＥＲＡ（ＧＳＭ／ＥＤＧＥ  Ｒａｄｉｏ  Ａｃｃｅｓｓ）でＵＥ１０が接続する無線基地局であり、ＧＥＲＡＮ２５には１又は複数の無線基地局ＢＳＳで構成されてもよい。また、複数のＢＳＳ２６は互いに接続しあっていてもよい。またＢＳＳ２６はＲＮＣ２４と接続してもよい。
【００６５】
なお、本明細書において、ＵＥ１０が各無線アクセスネットワークに接続されるという事は、各無線アクセスネットワークに含まれる基地局装置やアクセスポイント等に接続される事であり、送受信されるデータや信号等も、基地局装置やアクセスポイントを経由している。
【００６６】
［１．２．装置構成］
以下、各装置の構成について説明する。
【００６７】
［１．２．１．ＴＷＡＧ構成］
図３はＴＷＡＧ７４の装置構成を示す。図に示すように、ＴＷＡＧ７４はＩＰ移動通信ネットワークインターフェース部３２０と、制御部３００と記憶部３４０で構成されている。ＩＰ移動通信ネットワークインターフェース部３２０と記憶部３４０は制御部３００と、バスを介して接続されている。
【００６８】
制御部３００はＴＷＡＧ７４を制御するための機能部である。制御部３００は、記憶部３４０に記憶されている各種プログラムを読みだして実行することにより各種処理を実現する。
【００６９】
ＩＰ移動通信ネットワークインターフェース部３２０はＴＷＡＧ７４が、ＰＧＷ３０と接続するための機能部である。
【００７０】
記憶部３４０は、ＴＷＡＧ７４の各動作に必要なプログラムや、データ等を記憶する機能部である。記憶部３４０は、例えば、半導体メモリや、ＨＤＤ（Ｈａｒｄ  Ｄｉｓｋ  Ｄｒｉｖｅ）等により構成されている。
【００７１】
図３に示すように、記憶部３４０はＴＷＡＧ  ｃａｐａｂｉｌｉｔｙ３４２と、Ｎｅｔｗｏｒｋ  ｃａｐａｂｉｌｉｔｙ３４４とＥＰＳベアラコンテキスト３４６を記憶する。以下、記憶部３４０で記憶される情報要素について説明する。
【００７２】
図４に、記憶部３４０で記憶される情報要素を示す。図４（ａ）はＴＷＡＧ７４が記憶するＴＷＡＧ  ｃａｐａｂｉｌｉｔｙの一例を示す。ＴＷＡＧ  ｃａｐａｂｉｌｉｔｙでは、ＴＷＡＧ７４ごとに第１のＰＤＮコネクションを確立する能力をサポートしているか否かを示す識別情報（ＮＢＩＦＯＭ  ｃａｐａｂｉｌｉｔｙ）を記憶する。言い換えれば、ＴＷＡＧ７４がＮＢＩＦＯＭ機能をサポートしているか否かを示す識別情報である。具体的には、ＮＢＩＦＯＭ  ｃａｐａｂｉｌｉｔｙには、“ａｌｌｏｗｅｄ”又は”Ｎｏｔ  ａｌｌｏｗｅｄ”が含まれてよい。
【００７３】
なお、ＮＢＩＦＯＭ機能とは、マルチアクセスＰＤＮコネクションを確立することができる機能を有する事を示す情報であってもよい。
【００７４】
又は、ＮＢＩＦＯＭ  ｃａｐａｂｉｌｉｔｙは、第１のＰＤＮコネクションを確立する能力があることを示す識別情報であってもよい。つまり、記憶部にＮＢＩＦＯＭ  ｃａｐａｂｉｌｉｔｙが存在することでＴＷＡＧ７４が第１のＰＤＮコネクションを確立する機能を持つゲートウェイであることを意味してもよい。言い換えれば、記憶部にＮＢＩＦＯＭ  ｃａｐａｂｉｌｉｔｙが存在することで、ＴＷＡＧ７４はＮＢＩＦＯＭ機能をサポートするゲートウェイであることを意味してもよい。
【００７５】
図に示すように、ＮＢＩＦＯＭ  ｃａｐａｂｉｌｉｔｙは、ＴＷＡＧ７４の識別情報ＴＷＡＧ  ＩＤと対応づけられて記憶されてもよい。ＴＷＡＧ  ＩＤと対応づけられていない場合、ＮＢＩＦＯＭ  ｃａｐａｂｉｌｉｔｙは、記憶するＴＷＡＧ７４の能力を意味してもよい。
【００７６】
ＴＷＡＧ  ＩＤとＮＢＩＦＯＭ  ｃａｐａｂｉｌｉｔｙが対応付けて記憶されている場合、ＴＷＡＧ７４は複数のＴＷＡＧ７４のＴＷＡＧ  ｃａｐａｂｉｌｉｔｙを記憶してもよい。
【００７７】
この場合、ＵＥ１０が他のＴＷＡＧ７４へハンドオーバーする際に、ＴＷＡＧ７４がＴＷＡＧ  ｃａｐａｂｉｌｉｔｙに基づきハンドオーバー先のＴＷＡＧ７４を選択してもよい。
【００７８】
次に、Ｎｅｔｗｏｒｋ  ｃａｐａｂｉｌｉｔｙ３４４について説明する。図４（ｂ）はＴＷＡＧ７４が記憶するＮｅｔｗｏｒｋ  ｃａｐａｂｉｌｉｔｙの一例を示す。Ｎｅｔｗｏｒｋ  ｃａｐａｂｉｌｉｔｙでは、ネットワークごと、つまりＰＧＷ３０ごとのＮＢＩＦＯＭ  ｃａｐａｂｉｌｉｔｙを記憶する。
【００７９】
ここで、ＮＢＩＦＯＭ  ｃａｐａｂｉｌｉｔｙは、ネットワークごとに第１のＰＤＮコネクションを確立する能力をサポートしているか否かを示す識別情報である。言い換えれば、ＰＧＷ３０がＮＢＩＦＯＭ機能をサポートしているか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれてよい。
【００８０】
なお、ＮＢＩＦＯＭ機能とは、マルチアクセスＰＤＮコネクションを確立することができる機能を有する事を示す情報であってもよい。
【００８１】
又は、ＮＢＩＦＯＭ  ｃａｐａｂｉｌｉｔｙは、第１のＰＤＮコネクションを確立する能力があることを示す識別情報であってもよい。言い換えれば、ＮＢＩＦＯＭ  ｃａｐａｂｉｌｉｔｙはＮＢＩＦＯＭ機能をサポートするゲートウェイであることを示す識別情報であってもよい。つまり、記憶部にＮＢＩＦＯＭ  ｃａｐａｂｉｌｉｔｙが存在することでＰＧＷ３０が第１のＰＤＮコネクションを確立する機能を持つゲートウェイであることを意味してもよい。言い換えれば、記憶部にＮＢＩＦＯＭ  ｃａｐａｂｉｌｉｔｙが存在することでＰＧＷ３０がＮＢＩＦＯＭ機能をサポートするゲートウェイであることを意味してもよい。
【００８２】
図４（ｂ）に示すように、ＴＷＡＧ７４は、ＰＧＷ  ＩＤと対応付けてＮＢＩＦＯＭ  ｃａｐａｂｉｌｉｔｙを記憶する。更に、図に示すように、複数のＰＧＷ３０に対応づけて、それぞれＮＢＩＦＯＭ  ｃａｐａｂｉｌｉｔｙが記憶されてもよい。
【００８３】
ＰＧＷ  ＩＤは、ＰＧＷ３０を識別するための情報であればよく、例えばＡＰＮ（Ａｃｃｅｓｓ  Ｐｏｉｎｔ  Ｎａｍｅ）であってもよい。
【００８４】
次に、ＥＰＳベアラコンテキストについて説明する。ＥＰＳベアラコンテキストは、ＵＥ１０ごとに記憶されるＵＥ１０ごとのＥＰＳベアラコンテキストと、ＰＤＮコネクションごとのＥＰＳベアラコンテキストとベアラ及び／又は転送路ごとのＥＰＳベアラコンテキストに分類されてもよい。
【００８５】
図４（ｃ）はＵＥ１０ごとのＥＰＳベアラコンテキストに含まれる情報要素を示す。図から分かるように、ＴＷＡＧ７４はＵＥ１０ごとにＵＥ  ＮＢＩＦＯＭ  ｃａｐａｂｉｌｉｔｙ、ＮＢＩＦＯＭ  ａｌｌｏｗｅｄを記憶する。
【００８６】
ＵＥ  ＮＢＩＦＯＭ  ｃａｐａｂｉｌｉｔｙは、ＵＥ１０のＮＢＩＦＯＭ  ｃａｐａｂｉｌｉｔｙである。ＵＥ  ＮＢＩＦＯＭ  ｃａｐａｂｉｌｉｔｙは、ＵＥ１０ごとに第１のＰＤＮコネクションを確立する能力をサポートしているか否かを示す識別情報である。言い換えれば、ＵＥ  ＮＢＩＦＯＭ  ｃａｐａｂｉｌｉｔｙは、ＵＥ１０がＮＢＩＦＯＭ機能をサポートするか否かを示す識別情報である。より具体的には、例えば、ＵＥ  ＮＢＩＦＯＭ  ｃａｐａｂｉｌｉｔｙには、“ａｌｌｏｗｅｄ”又は”Ｎｏｔ  ａｌｌｏｗｅｄ”が含まれてよい。
【００８７】
なお、ＮＢＩＦＯＭ機能とは、マルチアクセスＰＤＮコネクションを確立することができる機能を有する事を示す情報であってもよい。
【００８８】
又は、ＵＥ  ＮＢＩＦＯＭ  ｃａｐａｂｉｌｉｔｙは、ＵＥ１０が第１のＰＤＮコネクションを確立する能力があることを示す識別情報であってもよい。つまり、ＵＥ  ＮＢＩＦＯＭ  ｃａｐａｂｉｌｉｔｙが存在することでＵＥ１０が第１のＰＤＮコネクションを確立する機能を持つことを意味してもよい。
【００８９】
言い換えれば、ＵＥ１０がＮＢＩＦＯＭ機能をサポートすることを示す識別情報であってもよい。つまり、記憶部にＵＥ  ＮＢＩＦＯＭ  ｃａｐａｂｉｌｉｔｙが存在することでＵＥ１０がＮＢＩＦＯＭ機能をサポートすることを意味してもよい。
【００９０】
また、ＮＢＩＦＯＭ  ａｌｌｏｗｅｄはＮＢＩＦＯＭを用いたＰＤＮコネクションを確立することが許可されたＡＰＮを示す識別情報である。ＮＢＩＦＯＭは少なくともＡＰＮと対応付けられていてよい。ＮＢＩＦＯＭ  ａｌｌｏｗｅｄは複数のＡＰＮと対応付けられていてもよい。
【００９１】
本実施形態ではＡＰＮ１はＮＢＩＦＯＭ  ａｌｌｏｗｅｄに対応付けられている。つまり、ＡＰＮ１はマルチアクセスＰＤＮコネクションを確立することが許可されている。言い換えれば、本実施形態ではＵＥ１０はＡＰＮ１を用いてマルチアクセスＰＤＮコネクションを確立することが許可されている。なお、ＡＰＮ１はマルチアクセスＰＤＮコネクションではなく、従来のＰＤＮコネクションを確立する事も許可されている。
【００９２】
更に、本実施形態ではＡＰＮ２はＮＢＩＦＯＭ  ａｌｌｏｗｅｄに対応付けられていない。つまり、本実施形態ではＡＰＮ２はマルチアクセスＰＤＮコネクションを確立することが許可されていない。つまり、本実施形態ではＵＥ１０はＡＰＮ２を用いて、マルチアクセスＰＤＮコネクションを確立することはできない。
【００９３】
ＮＢＩＦＯＭ  ａｌｌｏｗｅｄはＰＤＮコネクション確立前に記憶されていてよい。
【００９４】
ＴＷＡＧ７４は、ＰＤＮコネクション確立前及び／又は確立手続き中に、ＨＳＳ５０にアクセスしＮＢＩＦＯＭ  ａｌｌｏｗｅｄを取得してもよい。
【００９５】
また、ＵＥ１０ごとのＥＰＳベアラコンテキストにはＵＥ１０の識別情報が含まれていてもよい。ＵＥ１０の識別情報はＩＭＳＩであってもよい。
【００９６】
また、図４（ｄ）にＰＤＮコネクションごとのＥＰＳベアラコンテキストを示す。ＰＤＮコネクションごとのＥＰＳベアラコンテキストは、ＰＤＮ  ｃｏｎｎｅｃｔｉｏｎ  ＩＤとＮｅｔｗｏｒｋ  ａｌｌｏｗｅｄ  ｍｏｄｅとＯｐｅｒａｔｉｏｎ  ｍｏｄｅとＵｓｅｒ  ｐｌａｎｅ  ｃｏｎｎｅｃｔｉｏｎ  ＩＤとＴＷＡＧ  ＭＡＣ  ａｄｄｒｅｓｓ、ＮＢＩＦＯＭ  Ｐｅｒｍｉｓｓｉｏｎを含める。
【００９７】
ＰＤＮ  ｃｏｎｎｅｃｔｉｏｎ  ＩＤは、ＰＤＮコネクションを識別するための識別情報である。ＵＥ１０とＴＷＡＧ７４とＰＧＷ３０が同じ識別情報を記憶していてもよい。
【００９８】
Ｏｐｅｒａｔｉｏｎ  ｍｏｄｅは、ＰＤＮコネクションが第１のＰＤＮコネクションである場合、データの送受信を主導する、又は通信制御を開始できるのがＵＥ１０であるのか、ネットワークであるのかを示すモードの識別情報である。
【００９９】
より具体的には、例えば、ＵＥ１０から通信制御を開始できるＯｐｅｒａｔｉｏｎ  ｍｏｄｅはＵＥ−Ｉｎｉｔｉａｔｅｄ  ｍｏｄｅであってもよい。
【０１００】
また、ネットワーク及び／又はＰＧＷ３０及び／又はＰＣＲＦ６０から通信制御を開始できるＯｐｅｒａｔｉｏｎ  ｍｏｄｅはＮｅｔｗｏｒｋ  Ｉｎｉｔｉａｔｅｄ  ｍｏｄｅであってもよい。
【０１０１】
Ｎｅｔｗｏｒｋ  ａｌｌｏｗｅｄ  ｍｏｄｅは、ネットワークが許可するＯｐｅｒａｔｉｏｎ  ｍｏｄｅを示す。Ｎｅｔｗｏｒｋ  ａｌｌｏｗｅｄ  ｍｏｄｅはＵＥ  Ｉｎｉｔｉａｔｅｄ  ｍｏｄｅ、又はＮｅｔｗｏｒｋ  Ｉｎｉｔｉａｔｅｄ  ｍｏｄｅ、又はこれら両方を含めてもよい。
【０１０２】
Ｕｓｅｒ  ｐｌａｎｅ  ｃｏｎｎｅｃｔｉｏｎ  ＩＤは、ＵＥ１０がＴＷＡＧ７４を介した転送路を確立した場合のユーザデータの伝送に用いる接続を識別する識別情報である。ＴＷＡＧ  ＭＡＣ  ａｄｄｒｅｓｓはＴＷＡＧ７４の物理アドレスである。
【０１０３】
ＮＢＩＦＯＭ  ｐｅｒｍｉｓｓｉｏｎは、このＰＤＮコネクションがマルチアクセスＰＤＮコネクションを確立した事を示す情報である。言い換えれば、ＮＢＩＦＯＭ  ｐｅｒｍｉｓｓｉｏｎは、第１のＰＤＮコネクションを確立したことを示す。
【０１０４】
つまり、ＴＷＡＧ７４がＮＢＩＦＯＭ  ｐｅｒｍｉｓｓｉｏｎを記憶することで、このＰＤＮコネクションは第１のＰＤＮコネクションであることを意味する。
【０１０５】
ＮＢＩＦＯＭ  ｐｅｒｍｉｓｓｉｏｎは、ＰＤＮコネクションを確立することにより、ＴＷＡＧ７４が記憶する識別情報である。
【０１０６】
ＴＷＡＧ７４はＰＤＮコネクション確立中に、ＨＳＳ５０にアクセスしＮＢＩＦＯＭ  ｐｅｒｍｉｓｓｉｏｎを取得してもよい。又は、マルチアクセスＰＤＮコネクションが確立されたことに基づき、ＴＷＡＧ７４はＮＢＩＦＯＭ  Ｐｅｒｍｉｓｓｉｏｎを記憶してもよい。
【０１０７】
次に、ベアラ及び／又は転送路ごとのＥＰＳベアラコンテキストについて説明する。図４（ｅ）に示すように、ベアラ及び／又は転送路ごとのＥＰＳベアラコンテキストには、転送路識別情報とＲｏｕｔｉｎｇ  Ｒｕｌｅがふくまれてもよい。
【０１０８】
転送路識別情報は転送路及び／又はベアラを識別する情報である。転送路識別情報は、例えばＥＰＳベアラＩＤであってもよい。
【０１０９】
Ｒｏｕｔｉｎｇ  ＲｕｌｅはＲｏｕｔｉｎｇ  Ｆｉｌｔｅｒと、Ｒｏｕｔｉｎｇ  ａｄｄｒｅｓｓ又はＲｏｕｔｉｎｇ  ａｃｃｅｓｓ  ｔｙｐｅの対応付けを示す。この対応付けに基づき、３ＧＰＰのアクセスネットワークを介した通信路を用いるか、ＷＬＡＮのアクセスネットワークを介した通信路を用いるかが決定される。
【０１１０】
ここで、Ｒｏｕｔｉｎｇ  ａｃｃｅｓｓ  ｔｙｐｅは、フローが経由するアクセスネットワークを示す。例えば、これは３ＧＰＰ、又はＷＬＡＮを示す。
【０１１１】
また、Ｒｏｕｔｉｎｇ  ａｄｄｒｅｓｓは経由可能なＩＰアドレスを示す。例えば、ＳＧＷ３５のＩＰアドレスであってもよい。又はＴＷＡＧ７４のＩＰアドレスであってもよい。又はＭＡＧ（Ｍｏｂｉｌｅ  Ａｃｃｅｓｓ  Ｇａｔｅｗａｙ）のＩＰアドレスであってもよい。
【０１１２】
Ｒｏｕｔｉｎｇ  ＲｕｌｅはＰＧＷ３０やＰＣＲＦ６０から通知されてもよいし、ＵＥ１０から通知されてもよい。又はＴＷＡＧ７４が事前にデフォルト値として記憶していた値であってもよい。
【０１１３】
Ｒｏｕｔｉｎｇ  ＦｉｌｔｅｒにはＩＰヘッダーを含めることでＩＰフローを切り替えてもよい。又は、Ｒｏｕｔｉｎｇ  ＦｉｌｔｅｒにアプリケーションＩＤを含めることで、アプリケーションごとにフローを切り替えてもよい。又は、ＴＦＴを含めてもよい。
【０１１４】
Ｒｏｕｔｉｎｇ  Ｒｕｌｅには複数のルールが記憶されていてよい。更に、Ｒｏｕｔｉｎｇ  Ｒｕｌｅは、各ルールに優先順位が含まれていてもよい。
【０１１５】
ＴＷＡＧ  ｃａｐａｂｉｌｉｔｙとＮｅｔｗｏｒｋ  ｃａｐａｂｉｌｉｔｙはＥＰＳベアラコンテキストに含まれていてもよい。
【０１１６】
［１．２．２．ＨＳＳ構成］
次に、ＨＳＳ５０の構成について説明する。図５はＨＳＳ５０の装置構成を示す。図に示すように、ＨＳＳ５０はＩＰ移動通信ネットワークインターフェース部５２０と、制御部５００と記憶部５４０で構成されている。ＩＰ移動通信ネットワークインターフェース部５２０と記憶部５４０は制御部５００と、バスを介して接続されている。
【０１１７】
制御部５００はＨＳＳ５０を制御するための機能部である。制御部５００は、記憶部５４０に記憶されている各種プログラムを読みだして実行することにより各種処理を実現する。
【０１１８】
ＩＰ移動通信ネットワークインターフェース部５２０はＨＳＳ５０が、ＭＭＥ４０及び／又はその他のＭＭＥ４０と、ＡＡＡ５５と接続するための機能部である。
【０１１９】
記憶部５４０は、ＨＳＳ５０の各動作に必要なプログラムや、データ等を記憶する機能部である。記憶部５４０は、例えば、半導体メモリや、ＨＤＤ（Ｈａｒｄ  Ｄｉｓｋ  Ｄｒｉｖｅ）等により構成されている。
【０１２０】
図５に示すように、記憶部５４０はＨＳＳデータ５４２を記憶する。以下、記憶部５４０で記憶される情報要素について説明する。
【０１２１】
図６に、記憶部５４０で記憶される情報要素を示す。図６（ａ）はＨＳＳ５０が記憶するＵＥ１０ごとのＨＳＳデータの一例を示す。
【０１２２】
図から分かるように、ＵＥ１０ごとのＨＳＳデータには、ＩＭＳＩ、ＭＳＩＳＤＮ、ＩＭＥＩ／ＩＭＥＩＳＶ、Ａｃｃｅｓｓ  Ｒｅｓｔｒｉｃｔｉｏｎ、ＵＥ  ＮＢＩＦＯＭ  ｃａｐａｂｉｌｉｔｙ、ＮＢＩＦＯＭ  ａｌｌｏｗｅｄが含まれる。ＩＭＳＩはＵＥ１０を使用するユーザ（加入者）に割り当てられる、識別情報である。ＭＳＩＳＤＮは、ＵＥ１０の電話番号を表す。ＩＭＥＩ／ＩＭＩＳＶは、ＵＥ１０に割り当てられている識別情報である。Ａｃｃｅｓｓ  Ｒｅｓｔｒｉｃｔｉｏｎは、アクセス制限の登録情報を示す。
【０１２３】
ＵＥ  ＮＢＩＦＯＭ  ｃａｐａｂｉｌｉｔｙは、ＵＥ１０のＮＢＩＦＯＭ  ｃａｐａｂｉｌｉｔｙである。ＵＥ  ＮＢＩＦＯＭ  ｃａｐａｂｉｌｉｔｙは、ＵＥ１０ごとに第１のＰＤＮコネクションを確立する能力をサポートしているか否かを示す識別情報である。言い換えれば、ＵＥ１０がＮＢＩＦＯＭ機能をサポートしているか否かを示す。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれてよい。
【０１２４】
又は、ＵＥ  ＮＢＩＦＯＭ  ｃａｐａｂｉｌｉｔｙは、ＵＥ１０が第１のＰＤＮコネクションを確立する能力があることを示す識別情報であってもよい。つまり、ＵＥ  ＮＢＩＦＯＭ  ｃａｐａｂｉｌｉｔｙが存在することでＵＥ１０が第１のＰＤＮコネクションを確立する機能を持つことを意味してもよい。
【０１２５】
また、ＮＢＩＦＯＭ  ａｌｌｏｗｅｄはＮＢＩＦＯＭを用いたＰＤＮコネクションを確立することが許可されたＡＰＮを示す識別情報である。ＮＢＩＦＯＭは少なくともＡＰＮと対応付けられていてよい。ＮＢＩＦＯＭ  ａｌｌｏｗｅｄは複数のＡＰＮと対応付けられていてもよい。
【０１２６】
本実施形態ではＡＰＮ１はＮＢＩＦＯＭ  ａｌｌｏｗｅｄに対応付けられている。つまり、ＡＰＮ１はマルチアクセスＰＤＮコネクションを確立することが許可されている。言い換えれば、本実施形態ではＵＥ１０はＡＰＮ１を用いてマルチアクセスＰＤＮコネクションを確立することが許可されている。なお、ＡＰＮ１はマルチアクセスＰＤＮコネクションではなく、従来のＰＤＮコネクションを確立する事も許可されている。
【０１２７】
更に、本実施形態ではＡＰＮ２はＮＢＩＦＯＭ  ａｌｌｏｗｅｄに対応付けられていない。つまり、本実施形態ではＡＰＮ２はマルチアクセスＰＤＮコネクションを確立することが許可されていない。つまり、本実施形態ではＵＥ１０はＡＰＮ２を用いて、マルチアクセスＰＤＮコネクションを確立することはできない。ＮＢＩＦＯＭ  ａｌｌｏｗｅｄはＰＤＮコネクション確立前に記憶されていてよい。
【０１２８】
図６（ｂ）はＨＳＳ５０が記憶するＰＤＮコネクションごとのＨＳＳデータの一例を示す。図から分かるように、ＰＤＮコネクションごとのＨＳＳデータには、少なくともＣｏｎｔｅｘｔ  ＩＤ、ＰＤＮ  ａｄｄｒｅｓｓ、ＰＤＮ  Ｔｙｐｅ、ＡＰＮ（Ａｃｃｅｓｓ  Ｐｏｉｎｔ  Ｎａｍｅ）、ＷＬＡＮ  ｏｆｆｌａｏｄ  ａｂｉｌｉｔｙ、ＰＤＮ  ＧＷ  ＩＤ、ＮＢＩＦＯＭ  Ｐｅｒｍｉｓｓｉｏｎが含まれる。
【０１２９】
Ｃｏｎｔｅｘｔ  ＩＤは、ＰＤＮコネクションごとのＨＳＳデータを記憶するコンテキストの識別情報である。
【０１３０】
ＰＤＮ  Ａｄｄｒｅｓｓは、登録されたＩＰアドレスを示す。ＰＤＮ  ＡｄｄｒｅｓｓはＵＥ１０のＩＰアドレスである。
【０１３１】
ＰＤＮ  Ｔｙｐｅは、ＰＤＮ  Ａｄｄｒｅｓｓのタイプを示す。つまり、例えばＩＰｖ４又はＩＰｖ６又はＩＰｖ４ｖ６を識別するための識別情報である。
【０１３２】
ＡＰＮは、ＤＮＳの命名規則に従い、ネットワークのアクセス先を示すラベルである。
【０１３３】
ＷＬＡＮ  ｏｆｆｌｏａｄ  ａｂｉｌｉｔｙは、このＡＰＮで接続されたトラフィックは、ＷＬＡＮと３ＧＰＰ間の連携機能を用いて、ＷＬＡＮにオフロードできるか、又は３ＧＰＰの接続を維持するのかを示す識別情報である。ＷＬＡＮ  ｏｆｆｌｏａｄ  ａｂｉｌｉｔｙは、ＲＡＴタイプごとに分かれていてもよい。具体的には、ＬＴＥ（Ｅ−ＵＴＲＡ）と３Ｇ（ＵＴＲＡ）で異なっていてもよい。
【０１３４】
ＰＤＮ  ＧＷ  ｉｄｅｎｔｉｔｙは、このＡＰＮで利用されるＰＧＷ３０を識別する識別情報である。この識別情報は、ＦＱＤＮ（Ｆｕｌｌｙ  Ｑｕａｌｉｆｉｅｄ  Ｄｏｍａｉｎ  Ｎａｍｅ：完全修飾ドメイン名）か、ＩＰアドレスであってもよい。
【０１３５】
ＮＢＩＦＯＭ  ｐｅｒｍｉｓｓｉｏｎは、このＰＤＮコネクションがマルチアクセスＰＤＮコネクションを確立した事を示す情報である。言い換えれば、ＮＢＩＦＯＭ  ｐｅｒｍｉｓｓｉｏｎは、第１のＰＤＮコネクションを確立したことを示す。
【０１３６】
つまり、ＴＷＡＧ７４がＮＢＩＦＯＭ  ｐｅｒｍｉｓｓｉｏｎを記憶することで、このＰＤＮコネクションは第１のＰＤＮコネクションであることを意味する。
【０１３７】
ＮＢＩＦＯＭ  ｐｅｒｍｉｓｓｉｏｎは、ＰＤＮコネクションを確立することにより、ＴＷＡＧ７４が記憶する識別情報である。
【０１３８】
具体的には、例えばＡＰＮ１が含まれるＰＤＮコネクションごとのＨＳＳデータにはＮＢＩＦＯＭ  Ｐｅｒｍｉｓｓｉｏｎが含まれ、ＡＰＮ２が含まれるＰＤＮコネクションごとのＨＳＳデータにはＮＢＩＦＯＭ  Ｐｅｒｍｉｓｓｉｏｎが含まれなくてもよい。
【０１３９】
言い換えれば、ＡＰＮ１によるＰＤＮコネクションは第１のＰＤＮコネクションであってもよく、ＡＰＮ２は第１のＰＤＮコネクションであってはならない。
【０１４０】
［１．２．３．ＵＥ構成］
次に、ＵＥ１０の構成について説明する。図７はＵＥ１０の装置構成を示す。図に示すように、ＵＥ１０はＬＴＥインターフェース部７２０と、ＷＬＡＮインターフェース部７４０と、制御部７００と記憶部７５０で構成されている。
【０１４１】
ＬＴＥインターフェース部７２０とＷＬＡＮインターフェース部７４０と記憶部７５０は制御部７００と、バスを介して接続されている。
【０１４２】
制御部７００はＵＥ１０を制御するための機能部である。制御部７００は、記憶部７５０に記憶されている各種プログラムを読みだして実行することにより各種処理を実現する。
【０１４３】
ＬＴＥインターフェース部７２０は、ＵＥ１０がＬＴＥ基地局に接続し、ＩＰアクセスネットワークへ接続するための機能部である。また、ＬＴＥインターフェース部７２０には、外部アンテナ７１０が接続されている。
【０１４４】
ＷＬＡＮインターフェース部７４０は、ＵＥ１０がＷＬＡＮ  ＡＰに接続し、ＩＰアクセスネットワークへ接続するための機能部である。また、ＷＬＡＮインターフェース部７４０には、外部アンテナ７３０が接続されている。
【０１４５】
制御部７００はＵＥ１０を制御するための機能部である。制御部７００は、記憶部７５０に記憶されている各種プログラムを読みだして実行することにより各種処理を実現する。
【０１４６】
記憶部７４０は、ＵＥ１０の各動作に必要なプログラムや、データ等を記憶する機能部である。記憶部７５０は、例えば、半導体メモリや、ＨＤＤ（Ｈａｒｄ  Ｄｉｓｋ  Ｄｒｉｖｅ）等により構成されている。
【０１４７】
図７に示すように、記憶部７５０はＵＥコンテキスト７５２を記憶する。以下、記憶部７５０で記憶される情報要素について説明する。なお、ＵＥコンテキスト７５２は、ＵＥ１０ごとのＵＥコンテキストとＰＤＮコネクションごとのＵＥコンテキストと、転送路及び／又はベアラごとのＵＥコンテキストに分類される。
【０１４８】
図８（ａ）は、ＵＥ１０ごとに記憶されるＵＥコンテキストの一例である。図に示すように、ＵＥ１０ごとのＵＥコンテキストは、ＩＭＳＩ、ＥＭＭ  Ｓｔａｔｅ、ＧＵＴＩ、ＭＥ  Ｉｄｅｎｔｉｔｙ、ＵＥ  ＮＢＩＦＯＭ  ｃａｐａｂｉｌｉｔｙが含まれる。
【０１４９】
ＩＭＳＩはＵＥ１０を使用するユーザ（加入者）に割り当てられる、識別情報である。
【０１５０】
ＥＭＭ  Ｓｔａｔｅは、ＵＥ１０の移動管理状態を示す。例えば、ＵＥ１０がネットワークに登録されているＥＭＭ−ＲＥＧＩＳＴＥＲＥＤ（登録状態、ｒｅｇｉｓｔｅｒｅｄ状態）、又はＵＥ１０がネットワークに登録されていないＥＭＭ−ＤＥＲＥＧＩＳＴＥＲＤ（非登録状態、ｄｅｒｅｇｉｓｔｅｒｅｄ状態）であってもよい。
【０１５１】
ＧＵＴＩは、Ｇｌｏｂａｌｌｙ  Ｕｎｉｑｕｅ  Ｔｅｍｐｏｒａｒｙ  Ｉｄｅｎｔｉｔｙの略であり、ＵＥ１０の一時的な識別情報である。ＧＵＴＩはＭＭＥ４０の識別情報（ＧＵＭＭＥＩ：Ｇｌｏｂａｌｌｙ  Ｕｎｉｑｕｅ  ＭＭＥ  Ｉｄｅｎｔｉｆｉｅｒ）と特定ＭＭＥ４０内でのＵＥ１０の識別情報（Ｍ−ＴＭＳＩ）により構成される。
【０１５２】
ＭＥ  Ｉｄｅｎｔｉｔｙは、ＭＥのＩＤであり、例えば、ＩＭＥＩ／ＩＭＩＳＶであってもよい。
【０１５３】
ＵＥ  ＮＢＩＦＯＭ  ｃａｐａｂｉｌｉｔｙは、ＵＥ１０のＮＢＩＦＯＭ  ｃａｐａｂｉｌｉｔｙである。ＵＥ  ＮＢＩＦＯＭ  ｃａｐａｂｉｌｉｔｙは、ＵＥ１０ごとに第１のＰＤＮコネクションを確立する能力をサポートしているか否かを示す識別情報である。言い換えれば、ＵＥ  ＮＢＩＦＯＭ  ｃａｐａｂｉｌｉｔｙは、ＵＥ１０ごとにＮＢＩＦＯＭ機能をサポートしているか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれてよい。
【０１５４】
なお、ＮＢＩＦＯＭ機能とは、マルチアクセスＰＤＮコネクションを確立することができる機能を有する事を示す情報であってもよい。
【０１５５】
又は、ＵＥ  ＮＢＩＦＯＭ  ｃａｐａｂｉｌｉｔｙは、ＵＥ１０が第１のＰＤＮコネクションを確立する能力があることを示す識別情報であってもよい。つまり、ＵＥ１０の記憶部にＵＥ  ＮＢＩＦＯＭ  ｃａｐａｂｉｌｉｔｙが存在することでＵＥ１０が第１のＰＤＮコネクションを確立する機能を持つことを意味してもよい。
【０１５６】
言い換えれば、ＵＥ  ＮＢＩＦＯＭ  ｃａｐａｂｉｌｉｔｙは、ＵＥ１０がＮＢＩＦＯＭ機能をサポートすることを示す識別情報であってもよい。つまり、ＵＥ１０の記憶部にＵＥ  ＮＢＩＦＯＭ  ｃａｐａｂｉｌｉｔｙが存在することで、ＵＥ１０がＮＢＩＦＯＭ機能をサポートすることを意味してもよい。
【０１５７】
図８（ｂ）はＰＤＮコネクションごとのＵＥコンテキストの一例を示す。図に示すように、ＰＤＮコネクションごとのＵＥコンテキストには、少なくともＰＤＮ  ｃｏｎｎｅｃｔｉｏｎ  ＩＤ、ＡＰＮ  ｉｎ  Ｕｓｅ、ＩＰ  ａｄｄｒｅｓｓ、Ｄｅｆａｕｌｔ  Ｂｅａｒｅｒ、ＷＬＡＮ  ｏｆｆｌｏａｄ  ａｂｉｌｉｔｙ、ＵＥ  ａｌｌｏｗｅｄ  ｍｏｄｅ、Ｏｐｅｒａｔｉｏｎ  ｍｏｄｅが含まれる。
【０１５８】
ＰＤＮ  ｃｏｎｎｅｃｔｉｏｎ  ＩＤは、ＰＤＮコネクションを識別するための識別情報である。ＵＥ１０とＴＷＡＧ７４とＰＧＷ３０が同じ識別情報を記憶していてもよい。
【０１５９】
ＡＰＮ  ｉｎ  Ｕｓｅは、ＵＥ１０が直前に利用したＡＰＮである。このＡＰＮは、ネットワークの識別情報と、デフォルトのオペレータの識別情報とで構成されてもよい。
【０１６０】
ＩＰ  Ａｄｄｒｅｓｓは、ＰＤＮコネクションでＵＥ１０に割り当てられたＩＰアドレスであり、ＩＰｖ４アドレス、又はＩＰｖ６  プレフィックスであってもよい。
【０１６１】
Ｄｅｆａｕｌｔ  Ｂｅａｒｅｒは、このＰＤＮコネクションでのデフォルトベアラを識別するＥＰＳベアラ識別情報である。
【０１６２】
ＷＬＡＮ  ｏｆｆｌｏａｄａｂｉｌｉｔｙは、このＰＤＮコネクションに関連付けられた通信はＷＬＡＮと３ＧＰＰ間のインターワーキング機能を用いてＷＬＡＮへオフロードすることを許可するか、又は３ＧＰＰアクセスを維持するか否かを示すＷＬＡＮオフロードの許可情報である。
【０１６３】
ＵＥ  ａｌｌｏｗｅｄ  ｍｏｄｅは、ＵＥ１０が許可するＯｐｅｒａｔｉｏｎ  ｍｏｄｅである。この識別情報は、ＵＥ  ｉｎｔｉａｔｅｄ  ｍｏｄｅを示してもよいし、Ｎｅｔｗｏｒｋ  Ｉｎｉｔｉａｔｅｄ  ｍｏｄｅを示してもよいし、これら両方を示してもよい。
【０１６４】
Ｏｐｅｒａｔｉｏｎ  ｍｏｄｅは、現在のＰＤＮコネクションが第１のＰＤＮコネクションである場合、データの送受信を主導する、又は通信制御を開始できるのがＵＥ１０であるのかネットワークであるのかを示すモードの識別情報である。
【０１６５】
図８（ｃ）はベアラごとのＵＥコンテキストである。ベアラごとのＵＥコンテキストには転送路識別情報、Ｒｏｕｔｉｎｇ  Ｒｕｌｅが含まれている。
【０１６６】
転送路識別情報は転送路及び／又はベアラを識別する情報である。転送路識別情報は、例えばＥＰＳベアラＩＤであってもよい。
【０１６７】
また、転送路識別情報はＴＦＴと対応付けられていてもよい。
【０１６８】
ここで、Ｒｏｕｔｉｎｇ  ａｃｃｅｓｓ  ｔｙｐｅは、フローが経由するアクセスネットワークを示す。例えば、これは３ＧＰＰ、又はＷＬＡＮを示す。
【０１６９】
また、Ｒｏｕｔｉｎｇ  ａｄｄｒｅｓｓは経由可能なＩＰアドレスを示す。例えば、ＳＧＷ３５のＩＰアドレスであってもよい。又はＴＷＡＧ７４のＩＰアドレスであってもよい。又はＭＡＧ（Ｍｏｂｉｌｅ  Ａｃｃｅｓｓ  Ｇａｔｅｗａｙ）のＩＰアドレスであってもよい。
【０１７０】
Ｒｏｕｔｉｎｇ  ＲｕｌｅはＰＧＷ３０やＰＣＲＦ６０から通知されてもよい。又は、ＵＥ１０が事前にデフォルト値として記憶していた値であってもよい。
【０１７１】
Ｒｏｕｔｉｎｇ  ＦｉｌｔｅｒにはＩＰヘッダーを含めることでＩＰフローを切り替えてもよい。又は、Ｒｏｕｔｉｎｇ  ＦｉｌｔｅｒにアプリケーションＩＤを含めることで、ＵＥ１０はアプリケーションごとにフローを切り替えてもよい。又は、Ｒｏｕｔｉｎｇ  ＦｉｌｔｅｒにＴＦＴを含めてもよい。
【０１７２】
Ｒｏｕｔｉｎｇ  Ｒｕｌｅには複数のルール（規則）が記憶されていてよい。更に、Ｒｏｕｔｉｎｇ  Ｒｕｌｅは、各ルールに優先順位が含まれていてもよい。
【０１７３】
図８（ｄ）にＴＷＡＧ  ｃａｐａｂｉｌｉｔｙを示す。ＴＷＡＧ  ｃａｐａｂｉｌｉｔｙでは、ＴＷＡＧ７４ごとに第１のＰＤＮコネクションを確立する能力をサポートしているか否かを示す識別情報（ＮＢＩＦＯＭ  ｃａｐａｂｉｌｉｔｙ）を記憶する。言い換えれば、ＴＷＡＧ７４がＮＢＩＦＯＭ機能をサポートしているか否かを示す識別情報である。具体的には、ＮＢＩＦＯＭ  ｃａｐａｂｉｌｉｔｙには、“ａｌｌｏｗｅｄ”又は”Ｎｏｔ  ａｌｌｏｗｅｄ”が含まれてよい。
【０１７４】
なお、ＮＢＩＦＯＭ機能とは、マルチアクセスＰＤＮコネクションを確立することができる機能を有する事を示す情報であってもよい。
【０１７５】
又は、ＮＢＩＦＯＭ  ｃａｐａｂｉｌｉｔｙは、第１のＰＤＮコネクションを確立する能力があることを示す識別情報であってもよい。つまり、記憶部にＮＢＩＦＯＭ  ｃａｐａｂｉｌｉｔｙが存在することでＴＷＡＧ７４が第１のＰＤＮコネクションを確立する機能を持つゲートウェイであることを意味してもよい。言い換えれば、記憶部にＮＢＩＦＯＭ  ｃａｐａｂｉｌｉｔｙが存在することで、ＴＷＡＧ７４はＮＢＩＦＯＭ機能をサポートするゲートウェイであることを意味してもよい。
【０１７６】
ＵＥ１０はＮＢＩＦＯＭ  ｃａｐａｂｉｌｉｔｙはＴＷＡＧ  ＩＤと対応付けて記憶してもよい。また、複数のＴＷＡＧ７４のＮＢＩＦＯＭ  ｃａｐａｂｉｌｉｔｙを記憶してもよい。
【０１７７】
図８（ｅ）にＮｅｔｗｏｒｋ  ｃａｐａｂｉｌｉｔｙの一例を示す。Ｎｅｔｗｏｒｋ  ｃａｐａｂｉｌｉｔｙでは、ネットワークごと、つまりＰＧＷ３０ごとのＮＢＩＦＯＭ  ｃａｐａｂｉｌｉｔｙを記憶する。
【０１７８】
ここで、ＮＢＩＦＯＭ  ｃａｐａｂｉｌｉｔｙは、ネットワークごとに第１のＰＤＮコネクションを確立する能力をサポートしているか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれてよい。
【０１７９】
又は、ＮＢＩＦＯＭ  ｃａｐａｂｉｌｉｔｙは、第１のＰＤＮコネクションを確立する能力があることを示す識別情報であってもよい。つまり、ＮＢＩＦＯＭ  ｃａｐａｂｉｌｉｔｙが存在することでＰＧＷ３０及び／又はネットワークが第１のＰＤＮコネクションを確立する機能を持つゲートウェイであることを意味してもよい。
【０１８０】
図８（ｅ）に示すように、ＴＷＡＧ７４は、ＰＧＷ  ＩＤと対応付けてＮＢＩＦＯＭ  ｃａｐａｂｉｌｉｔｙを記憶する。更に、図に示すように、複数のＰＧＷ３０に対応づけて、それぞれＮＢＩＦＯＭ  ｃａｐａｂｉｌｉｔｙが記憶されてもよい。
【０１８１】
ＰＧＷ  ＩＤは、ＰＧＷ３０を識別するための情報である。ＰＧＷ  ＩＤは、例えばＡＰＮであってもよい。
【０１８２】
図８（ｆ）にＭＭＥ  ｃａｐａｂｉｌｉｔｙを示す。ＭＭＥ  ｃａｐａｂｉｌｉｔｙでは、ＭＭＥ４０ごとに第１のＰＤＮコネクションを確立する能力をサポートしているか否かを示す識別情報（ＮＢＩＦＯＭ  ｃａｐａｂｉｌｉｔｙ）を記憶する。言い換えれば、ＭＭＥ４０がＮＢＩＦＯＭ機能をサポートしているか否かを示す識別情報である。具体的には、ＮＢＩＦＯＭ  ｃａｐａｂｉｌｉｔｙには、“ａｌｌｏｗｅｄ”又は”Ｎｏｔ  ａｌｌｏｗｅｄ”が含まれてもよい。
【０１８３】
なお、ＮＢＩＦＯＭ機能とは、マルチアクセスＰＤＮコネクションを確立することができる機能を有する事を示す情報であってもよい。
【０１８４】
又は、ＮＢＩＦＯＭ  ｃａｐａｂｉｌｉｔｙは、第１のＰＤＮコネクションを確立する能力があることを示す識別情報であってもよい。つまり、記憶部にＮＢＩＦＯＭ  ｃａｐａｂｉｌｉｔｙが存在することでＭＭＥ４０が第１のＰＤＮコネクションを確立する機能を持つゲートウェイであることを意味してもよい。言い換えれば、記憶部にＮＢＩＦＯＭ  ｃａｐａｂｉｌｉｔｙが存在することで、ＭＭＥ４０はＮＢＩＦＯＭ機能をサポートするゲートウェイであることを意味してもよい。
【０１８５】
ＵＥ１０はＮＢＩＦＯＭ  ｃａｐａｂｉｌｉｔｙはＭＭＥ  ＩＤと対応付けて記憶してもよい。
【０１８６】
図８（ｇ）にＳＧＷ  ｃａｐａｂｉｌｉｔｙを示す。ＳＧＷ  ｃａｐａｂｉｌｉｔｙでは、ＳＧＷ３５ごとに第１のＰＤＮコネクションを確立する能力をサポートしているか否かを示す識別情報（ＮＢＩＦＯＭ  ｃａｐａｂｉｌｉｔｙ）を記憶する。言い換えれば、ＳＧＷ３５がＮＢＩＦＯＭ機能をサポートしているか否かを示す識別情報である。具体的には、ＮＢＩＦＯＭ  ｃａｐａｂｉｌｉｔｙには、“ａｌｌｏｗｅｄ”又は”Ｎｏｔ  ａｌｌｏｗｅｄ”が含まれてもよい。
【０１８７】
なお、ＮＢＩＦＯＭ機能とは、マルチアクセスＰＤＮコネクションを確立することができる機能を有する事を示す情報であってもよい。
【０１８８】
又は、ＮＢＩＦＯＭ  ｃａｐａｂｉｌｉｔｙは、第１のＰＤＮコネクションを確立する能力があることを示す識別情報であってもよい。つまり、記憶部にＮＢＩＦＯＭ  ｃａｐａｂｉｌｉｔｙが存在することでＳＧＷ３５が第１のＰＤＮコネクションを確立する機能を持つゲートウェイであることを意味してもよい。言い換えれば、記憶部にＮＢＩＦＯＭ  ｃａｐａｂｉｌｉｔｙが存在することで、ＳＧＷ３５はＮＢＩＦＯＭ機能をサポートするゲートウェイであることを意味してもよい。
【０１８９】
ＵＥ１０はＮＢＩＦＯＭ  ｃａｐａｂｉｌｉｔｙはＳＧＷ  ＩＤと対応付けて記憶してもよい。
【０１９０】
ＴＷＡＧ  ｃａｐａｂｉｌｉｔｙとＮｅｔｗｏｒｋ  ｃａｐａｂｉｌｉｔｙとＭＭＥ  ｃａｐａｂｉｌｉｔｙとＳＧＷ  ｃａｐａｂｉｌｉｔｙはＵＥコンテキストに含まれていてもよいし、ＵＥコンテキストから独立した情報であってもよい。
【０１９１】
つまり、ＵＥ１０はＴＷＡＧ  ｃａｐａｂｉｌｉｔｙとＮｅｔｗｏｒｋ  ｃａｐａｂｉｌｉｔｙをＵＥコンテキストに含めて記憶してもよく、又はＴＷＡＧ  ｃａｐａｂｉｌｉｔｙとＮｅｔｗｏｒｋ  ｃａｐａｂｉｌｉｔｙをＵＥコンテキストから独立して記憶してもよい。
【０１９２】
［１．２．４．ＰＧＷ構成要素］
次に、ＰＧＷ３０の構成要素について説明する。図９はＰＧＷ３０の装置構成を示す。図に示すように、ＰＧＷ３０はＩＰ移動通信ネットワークインターフェース部９２０と、制御部９００と記憶部９４０で構成されている。ＩＰ移動通信ネットワークインターフェース部９２０と記憶部９４０は制御部９００と、バスを介して接続されている。
【０１９３】
制御部９００はＰＧＷ３０を制御するための機能部である。制御部９００は、記憶部９４０に記憶されている各種プログラムを読みだして実行することにより各種処理を実現する。
【０１９４】
ＩＰ移動通信ネットワークインターフェース部９２０は、ＰＧＷ３０が、ＳＧＷ３５及び／又はＰＣＲＦ６０及び／又はｅＰＤＧ６５と及び／又はＡＡＡ５５及び／又はＧＷ７４と接続するための機能部である。
【０１９５】
記憶部９４０は、ＰＧＷ３０の各動作に必要なプログラムや、データ等を記憶する機能部である。記憶部９４０は、例えば、半導体メモリや、ＨＤＤ（Ｈａｒｄ  Ｄｉｓｋ  Ｄｒｉｖｅ）等により構成されている。
【０１９６】
記憶部９４０は、図に示すように、ＥＰＳベアラコンテキスト９４２を記憶する。なお、ＥＰＳベアラコンテキストの中には、ＵＥ１０ごとに記憶されるものと、ＡＰＮごとに記憶されるものと、ＰＤＮコネクションごとに記憶されるものと、転送路及び／又はベアラごとに記憶されるものが含まれる。
【０１９７】
まず、ＵＥ１０ごとのＥＰＳベアラコンテキストについて説明する。図１０（ａ）は、ＵＥ１０ごとのＥＰＳベアラコンテキストの一例を示す。図に示すようにＥＰＳベアラコンテキストには、少なくともＩＭＳＩとＭＥ  ＩｄｅｎｔｉｔｙとＭＳＩＳＤＮとＵＥ  ＮＢＩＦＯＭ  ｃａｐａｂｉｌｉｔｙが含まれる。ＩＭＳＩはＵＥ１０のユーザを識別する情報である。ＭＥ  Ｉｄｅｎｔｉｔｙは、ＭＥのＩＤであり、例えば、ＩＭＥＩ／ＩＭＩＳＶであってもよい。ＭＳＩＳＤＮは、ＵＥ１０の電話番号を表す。
【０１９８】
ＵＥ  ＮＢＩＦＯＭ  ｃａｐａｂｉｌｉｔｙは、ＵＥ１０のＮＢＩＦＯＭ  ｃａｐａｂｉｌｉｔｙである。ＵＥ  ＮＢＩＦＯＭ  ｃａｐａｂｉｌｉｔｙは、ＵＥ１０ごとに第１のＰＤＮコネクションを確立する能力をサポートしているか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれてよい。
【０１９９】
又は、ＵＥ  ＮＢＩＦＯＭ  ｃａｐａｂｉｌｉｔｙは、ＵＥ１０が第１のＰＤＮコネクションを確立する能力があることを示す識別情報であってもよい。つまり、ＵＥ  ＮＢＩＦＯＭ  ｃａｐａｂｉｌｉｔｙが存在することでＵＥ１０が第１のＰＤＮコネクションを確立する機能を持つことを意味してもよい。
【０２００】
次に、ＰＤＮコネクションごとのＥＰＳベアラコンテキストについて説明する。図１０（ｂ）はＰＤＮコネクションごとのＥＰＳベアラコンテキストの一例を示す。
【０２０１】
図に示すように、コンテキストには少なくともＰＤＮ  ｃｏｎｎｅｃｔｉｏｎ  ＩＤ、ＩＰ  ａｄｄｒｅｓｓ、ＰＤＮ  ｔｙｐｅ、ＡＰＮ、Ｎｅｔｗｏｒｋ  ａｌｌｏｗｅｄ  ｍｏｄｅ、Ｏｐｅｒａｔｉｏｎ  ｍｏｄｅを含める。
【０２０２】
ＰＤＮ  ｃｏｎｎｅｃｔｉｏｎ  ＩＤは、ＰＤＮコネクションを識別するための識別情報である。ＵＥ１０とＴＷＡＧ７４とＭＭＥ４０とＰＧＷ３０が同じ識別情報を記憶していてもよい。
【０２０３】
ＩＰ  Ａｄｄｒｅｓｓは、このＰＤＮコネクションに対してＵＥ１０が割り当てられたＩＰアドレスを示す。ＩＰアドレスはＩＰｖ４及び／又はＩＰｖ６  プレフィックスであってもよい。
【０２０４】
ＰＤＮ  ｔｙｐｅは、ＩＰアドレスの種類を示す。ＰＤＮ  ｔｙｐｅは例えば、ＩＰｖ４又はＩＰｖ６又はＩＰｖ４ｖ６を示す。
【０２０５】
ＡＰＮは、ＤＮＳの命名規則に従い、ネットワークのアクセス先を示すラベルである。
【０２０６】
Ｎｅｔｗｏｒｋ  ａｌｌｏｗｅｄ  ｍｏｄｅは、ネットワークが許可するＯｐｅｒａｔｉｏｎ  ｍｏｄｅを示す。Ｎｅｔｗｏｒｋ  ａｌｌｏｗｅｄ  ｍｏｄｅはＵＥ  Ｉｎｉｔｉａｔｅｄ  ｍｏｄｅ、又はＮｅｔｗｏｒｋ  Ｉｎｉｔｉａｔｅｄ  ｍｏｄｅ、又はこれら両方を含めてもよい。
【０２０７】
Ｏｐｅｒａｔｉｏｎ  ｍｏｄｅは、現在のＰＤＮコネクションが第１のＰＤＮコネクションである場合、データの送受信を主導する、又は通信制御を開始できるのがＵＥ１０であるのかネットワークであるのかを示すモードの識別情報である。
【０２０８】
より具体的には、例えば、ＵＥ１０から通信制御を開始できるＵＥ  Ｉｎｉｔｉａｔｅｄ  ｍｏｄｅや、ネットワークから通信制御を開始できるＮｅｔｗｏｒｋ  Ｉｎｉｔｉａｔｅｄ  ｍｏｄｅを識別してもよい。
【０２０９】
次に、転送路及び／又はベアラごとのＥＰＳベアラコンテキストの一例を、図１０（ｃ）を用いて説明する。図に示すように、コンテキストには少なくとも転送路識別情報とＲｏｕｔｉｎｇ  Ｒｕｌｅが含まれる。
【０２１０】
転送路識別情報は転送路及び／又はベアラを識別する情報である。転送路識別情報は、例えばＥＰＳベアラＩＤであってもよい。また、転送路識別情報はＴＦＴと対応付けられていてもよい。
【０２１１】
Ｒｏｕｔｉｎｇ  ａｃｃｅｓｓ  ｔｙｐｅは、フローが経由するアクセスネットワークを示す。例えば、これは３ＧＰＰ、又はＷＬＡＮを示す。
【０２１２】
また、Ｒｏｕｔｉｎｇ  ａｄｄｒｅｓｓは経由可能なＩＰアドレスを示す。例えば、ＳＧＷ３５のＩＰアドレスであってもよい。又はＴＷＡＧ７４のＩＰアドレスであってもよい。又はＭＡＧ（Ｍｏｂｉｌｅ  Ａｃｃｅｓｓ  Ｇａｔｅｗａｙ）のＩＰアドレスであってもよい。
【０２１３】
Ｒｏｕｔｉｎｇ  ＲｕｌｅはＰＧＷ３０やＰＣＲＦ６０から通知されてもよい。又は、ＵＥ１０が事前にデフォルト値として記憶していた値であってもよい。
【０２１４】
Ｒｏｕｔｉｎｇ  ＦｉｌｔｅｒにＩＰヘッダーを含めることで、ＰＧＷ３０はＩＰフローを切り替えてもよい。又は、Ｒｏｕｔｉｎｇ  ＦｉｌｔｅｒにアプリケーションＩＤを含めることで、ＰＧＷ３０はアプリケーションごとにフローを切り替えてもよい。又は、Ｒｏｕｔｉｎｇ  ＦｉｌｔｅｒにＴＦＴを含めてもよい。
【０２１５】
Ｒｏｕｔｉｎｇ  Ｒｕｌｅには複数のルールが記憶されていてよい。更に、Ｒｏｕｔｉｎｇ  Ｒｕｌｅは、各ルールに優先順位が含まれていてもよい。
【０２１６】
図１０（ｄ）にＴＷＡＧ  ｃａｐａｂｉｌｉｔｙを示す。ＴＷＡＧ  ｃａｐａｂｉｌｉｔｙでは、ＴＷＡＧ７４ごとに第１のＰＤＮコネクションを確立する能力をサポートしているか否かを示す識別情報（ＮＢＩＦＯＭ  ｃａｐａｂｉｌｉｔｙ）を記憶する。言い換えれば、ＴＷＡＧ７４がＮＢＩＦＯＭ機能をサポートしているか否かを示す識別情報である。具体的には、ＮＢＩＦＯＭ  ｃａｐａｂｉｌｉｔｙには、“ａｌｌｏｗｅｄ”又は”Ｎｏｔ  ａｌｌｏｗｅｄ”が含まれてよい。
【０２１７】
なお、ＮＢＩＦＯＭ機能とは、マルチアクセスＰＤＮコネクションを確立することができる機能を有する事を示す情報であってもよい。
【０２１８】
又は、ＮＢＩＦＯＭ  ｃａｐａｂｉｌｉｔｙは、第１のＰＤＮコネクションを確立する能力があることを示す識別情報であってもよい。つまり、記憶部にＮＢＩＦＯＭ  ｃａｐａｂｉｌｉｔｙが存在することでＴＷＡＧ７４が第１のＰＤＮコネクションを確立する機能を持つゲートウェイであることを意味してもよい。言い換えれば、記憶部にＮＢＩＦＯＭ  ｃａｐａｂｉｌｉｔｙが存在することで、ＴＷＡＧ７４はＮＢＩＦＯＭ機能をサポートするゲートウェイであることを意味してもよい。
【０２１９】
ＰＧＷ３０はＮＢＩＦＯＭ  ｃａｐａｂｉｌｉｔｙはＴＷＡＧ  ＩＤと対応付けて記憶してもよい。
【０２２０】
図１０（ｅ）にＮｅｔｗｏｒｋ  ｃａｐａｂｉｌｉｔｙの一例を示す。Ｎｅｔｗｏｒｋ  ｃａｐａｂｉｌｉｔｙでは、ネットワークごと、つまりＰＧＷ３０ごとのＮＢＩＦＯＭ  ｃａｐａｂｉｌｉｔｙを記憶する。
【０２２１】
ここで、ＮＢＩＦＯＭ  ｃａｐａｂｉｌｉｔｙは、ネットワークごとに第１のＰＤＮコネクションを確立する能力をサポートしているか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれてよい。
【０２２２】
又は、ＮＢＩＦＯＭ  ｃａｐａｂｉｌｉｔｙは、第１のＰＤＮコネクションを確立する能力があることを示す識別情報であってもよい。つまり、ＮＢＩＦＯＭ  ｃａｐａｂｉｌｉｔｙが存在することでＰＧＷ３０及び／又はネットワークが第１のＰＤＮコネクションを確立する機能を持つゲートウェイであることを意味してもよい。
【０２２３】
図１０（ｅ）に示すように、ＰＧＷ３０は、ＰＧＷ  ＩＤと対応付けてＮＢＩＦＯＭ  ｃａｐａｂｉｌｉｔｙを記憶する。更に、図に示すように、複数のＰＧＷ３０に対応づけて、それぞれＮＢＩＦＯＭ  ｃａｐａｂｉｌｉｔｙが記憶されてもよい。
【０２２４】
ＰＧＷ  ＩＤは、ＰＧＷ３０を識別するための情報であればよく、例えばＡＰＮであってもよい。
【０２２５】
図１０（ｆ）にＭＭＥ  ｃａｐａｂｉｌｉｔｙを示す。ＭＭＥ  ｃａｐａｂｉｌｉｔｙでは、ＭＭＥ４０ごとに第１のＰＤＮコネクションを確立する能力をサポートしているか否かを示す識別情報（ＮＢＩＦＯＭ  ｃａｐａｂｉｌｉｔｙ）を記憶する。言い換えれば、ＭＭＥ４０がＮＢＩＦＯＭ機能をサポートしているか否かを示す識別情報である。具体的には、ＮＢＩＦＯＭ  ｃａｐａｂｉｌｉｔｙには、“ａｌｌｏｗｅｄ”又は”Ｎｏｔ  ａｌｌｏｗｅｄ”が含まれてもよい。
【０２２６】
なお、ＮＢＩＦＯＭ機能とは、マルチアクセスＰＤＮコネクションを確立することができる機能を有する事を示す情報であってもよい。
【０２２７】
又は、ＮＢＩＦＯＭ  ｃａｐａｂｉｌｉｔｙは、第１のＰＤＮコネクションを確立する能力があることを示す識別情報であってもよい。つまり、記憶部にＮＢＩＦＯＭ  ｃａｐａｂｉｌｉｔｙが存在することでＭＭＥ４０が第１のＰＤＮコネクションを確立する機能を持つゲートウェイであることを意味してもよい。言い換えれば、記憶部にＮＢＩＦＯＭ  ｃａｐａｂｉｌｉｔｙが存在することで、ＭＭＥ４０はＮＢＩＦＯＭ機能をサポートするゲートウェイであることを意味してもよい。
【０２２８】
ＰＧＷ３０はＮＢＩＦＯＭ  ｃａｐａｂｉｌｉｔｙはＭＭＥ  ＩＤと対応付けて記憶してもよい。
【０２２９】
図１０（ｇ）にＳＧＷ  ｃａｐａｂｉｌｉｔｙを示す。ＳＧＷ  ｃａｐａｂｉｌｉｔｙでは、ＳＧＷ３５ごとに第１のＰＤＮコネクションを確立する能力をサポートしているか否かを示す識別情報（ＮＢＩＦＯＭ  ｃａｐａｂｉｌｉｔｙ）を記憶する。言い換えれば、ＳＧＷ３５がＮＢＩＦＯＭ機能をサポートしているか否かを示す識別情報である。具体的には、ＮＢＩＦＯＭ  ｃａｐａｂｉｌｉｔｙには、“ａｌｌｏｗｅｄ”又は”Ｎｏｔ  ａｌｌｏｗｅｄ”が含まれてもよい。
【０２３０】
なお、ＮＢＩＦＯＭ機能とは、マルチアクセスＰＤＮコネクションを確立することができる機能を有する事を示す情報であってもよい。
【０２３１】
又は、ＮＢＩＦＯＭ  ｃａｐａｂｉｌｉｔｙは、第１のＰＤＮコネクションを確立する能力があることを示す識別情報であってもよい。つまり、記憶部にＮＢＩＦＯＭ  ｃａｐａｂｉｌｉｔｙが存在することでＳＧＷ３５が第１のＰＤＮコネクションを確立する機能を持つゲートウェイであることを意味してもよい。言い換えれば、記憶部にＮＢＩＦＯＭ  ｃａｐａｂｉｌｉｔｙが存在することで、ＳＧＷ３５はＮＢＩＦＯＭ機能をサポートするゲートウェイであることを意味してもよい。
【０２３２】
ＰＧＷ３０はＮＢＩＦＯＭ  ｃａｐａｂｉｌｉｔｙはＳＧＷ  ＩＤと対応付けて記憶してもよい。ＴＷＡＧ  ｃａｐａｂｉｌｉｔｙとＮｅｔｗｏｒｋ  ｃａｐａｂｉｌｉｔｙとＭＭＥ  ｃａｐａｂｉｌｉｔｙとＳＧＷ  ｃａｐａｂｉｌｉｔｙはＥＰＳベアラコンテキストに含まれていてもよいし、ＵＥコンテキストから独立した情報であってもよい。
【０２３３】
［１．２．５．ＰＣＲＦ６０構成要素］
次に、ＰＣＲＦ６０の構成要素について説明する。図１１はＰＣＲＦ６０の装置構成を示す。図に示すように、ＰＣＲＦ６０はＩＰ移動通信ネットワークインターフェース部１１２０と、制御部１１００と記憶部１１４０で構成されている。ＩＰ移動通信ネットワークインターフェース部１１２０と記憶部１１４０は制御部１１００と、バスを介して接続されている。
【０２３４】
制御部１１００はＰＣＲＦ６０を制御するための機能部である。制御部１１００は、記憶部１１４０に記憶されている各種プログラムを読みだして実行することにより各種処理を実現する。
【０２３５】
ＩＰ移動通信ネットワークインターフェース部１１２０は、ＰＣＲＦ６０が、ＰＧＷ３０及び／又はＴＷＡＧ７４及び／又はＡＡＡ５５と接続するための機能部である。
【０２３６】
記憶部１１４０は、ＰＣＲＦ６０の各動作に必要なプログラムや、データ等を記憶する機能部である。記憶部９４０は、例えば、半導体メモリや、ＨＤＤ（Ｈａｒｄ  Ｄｉｓｋ  Ｄｒｉｖｅ）等により構成されている。
【０２３７】
記憶部１１４０は、図に示すように、ＵＥコンテキスト１１４２を記憶する。なお、ＵＥコンテキストの中には、ＵＥ１０ごとに記憶されるものと、ＰＤＮコネクションごとに記憶されるもので分けられてもよい。
【０２３８】
図１２（ａ）にＵＥ１０ごとのＵＥコンテキストを示す。図に示すように、コンテキストには少なくともＳｕｂｓｃｒｉｂｅｒ  ＩＤとＵＥ  ＮＢＩＦＯＭ  ｃａｐａｂｉｌｉｔｙを含める。Ｓｕｂｓｃｒｉｂｅｒ  ＩＤは、ユーザの識別情報である。例えばＩＭＳＩであってもよい。
【０２３９】
ＵＥ  ＮＢＩＦＯＭ  ｃａｐａｂｉｌｉｔｙは、ＵＥ１０のＮＢＩＦＯＭ  ｃａｐａｂｉｌｉｔｙである。ＵＥ  ＮＢＩＦＯＭ  ｃａｐａｂｉｌｉｔｙは、ＵＥ１０ごとに第１のＰＤＮコネクションを確立する能力をサポートしているか否かを示す識別情報である。言い換えれば、ＵＥ  ＮＢＩＦＯＭ  ｃａｐａｂｉｌｉｔｙは、ＵＥ１０がＮＢＩＦＯＭ機能をサポートするか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれてよい。
【０２４０】
又は、ＵＥ  ＮＢＩＦＯＭ  ｃａｐａｂｉｌｉｔｙは、ＵＥ１０が第１のＰＤＮコネクションを確立する能力があることを示す識別情報であってもよい。つまり、ＵＥ  ＮＢＩＦＯＭ  ｃａｐａｂｉｌｉｔｙが存在することでＵＥ１０が第１のＰＤＮコネクションを確立する機能を持つことを意味してもよい。
【０２４１】
言い換えれば、ＵＥ１０がＮＢＩＦＯＭ機能をサポートすることを示す識別情報であってもよい。つまり、記憶部にＵＥ  ＮＢＩＦＯＭ  ｃａｐａｂｉｌｉｔｙが存在することでＵＥ１０がＮＢＩＦＯＭ機能をサポートすることを意味してもよい。
【０２４２】
次に、ＰＤＮコネクションごとのＵＥコンテキストを説明する。図１２（ｂ）はＰＤＮコネクションごとのＵＥコンテキストの一例である。図に示すように、コンテキストには少なくともＡＰＮ、Ｏｐｅｒａｔｉｏｎ  ｍｏｄｅ、Ｎｅｔｗｏｒｋ  Ｐｏｌｉｃｙ、Ｃｈａｒｇｉｎｇ  Ｒｕｌｅ、ＰＣＣ  Ｒｕｌｅ、ＱｏＳ  Ｒｕｌｅを含めてもよい。ＡＰＮは、ＤＮＳの命名規則に従い、ネットワークのアクセス先を示すラベルである。
【０２４３】
Ｏｐｅｒａｔｉｏｎ  ｍｏｄｅは、ＰＤＮコネクションが第１のＰＤＮコネクションである場合、データの送受信を主導する、又は通信制御を開始できるのがＵＥ１０であるのか、ネットワークであるのかを示すモードの識別情報である。
【０２４４】
より具体的には、例えば、ＵＥ１０から通信制御を開始できるＯｐｅｒａｔｉｏｎ  ｍｏｄｅはＵＥ  Ｉｎｉｔｉａｔｅｄ  ｍｏｄｅであってもよい。
【０２４５】
また、ネットワーク及び／又はＰＧＷ３０４０及び／又はＰＣＲＦ６０から通信制御を開始できるＯｐｅｒａｔｉｏｎ  ｍｏｄｅはＮｅｔｗｏｒｋ  Ｉｎｉｔｉａｔｅｄ  ｍｏｄｅであってもよい。
【０２４６】
Ｎｅｔｗｏｒｋ  Ｐｏｌｉｃｙは、ネットワーク側での通信制御ポリシーであり、Ｎｅｔｗｏｒｋ  ａｌｌｏｗｅｄ  ｍｏｄｅが含まれていてもよい。又は、ＰＣＲＦ６０はＮｅｔｗｏｒｋ  ａｌｌｏｗｅｄ  ｍｏｄｅをＮｅｔｗｏｒｋ  Ｐｏｌｉｃｙとは別に記憶してもよい。
【０２４７】
Ｃｈａｒｇｉｎｇ  Ｒｕｌｅは課金に関する規則である。ＰＣＲＦ６０が決定したＣｈａｒｇｉｎｇ  Ｒｕｌｅに基づきＰＣＥＦ６０が課金を行う。
【０２４８】
ＰＣＣ  ＲｕｌｅはＮｅｔｗｏｒｋ  ＰｏｌｉｃｙとＣｈａｒｇｉｎｇ  Ｒｕｌｅの制御にかかわる規則である。ＰＣＣ  Ｒｕｌｅに基づき、ＰＣＥＦは通信制御及び課金を行う。
【０２４９】
ＱｏＳ  Ｒｕｌｅは、フローのＱｏＳに関わる規則である。ＱｏＳ  ＲｕｌｅはＰＣＣ  Ｒｕｌｅと対応付けられていてもよい。
【０２５０】
図１２（ｃ）は、転送路及び／又はベアラごとのＵＥコンテキストを示す。図に示すように、転送路及び.又はベアラごとのＵＥコンテキストは、少なくともＲｏｕｔｉｎｇ  Ｒｕｌｅを含める。
【０２５１】
Ｒｏｕｔｉｎｇ  ＲｕｌｅはＲｏｕｔｉｎｇ  Ｆｉｌｔｅｒと、Ｒｏｕｔｉｎｇ  ａｄｄｒｅｓｓ又はＲｏｕｔｉｎｇ  ａｃｃｅｓｓ  ｔｙｐｅの対応付けを示す。この対応付けに基づき、３ＧＰＰのアクセスネットワークを介した通信路を用いるか、ＷＬＡＮのアクセスネットワークを介した転送路を用いるかが決定される。
【０２５２】
ここで、Ｒｏｕｔｉｎｇ  ａｃｃｅｓｓ  ｔｙｐｅは、フローが経由するアクセスネットワークを示す。例えば、これは３ＧＰＰ、又はＷＬＡＮを示す。
【０２５３】
また、Ｒｏｕｔｉｎｇ  ａｄｄｒｅｓｓは経由可能なＩＰアドレスを示す。例えば、ＳＧＷ３５のＩＰアドレスであってもよい。又はＴＷＡＧ７４のＩＰアドレスであってもよい。又はＭＡＧ（Ｍｏｂｉｌｅ  Ａｃｃｅｓｓ  Ｇａｔｅｗａｙ）のＩＰアドレスであってもよい。
【０２５４】
Ｒｏｕｔｉｎｇ  ＲｕｌｅはＵＥ１０及び／又はＴＷＡＧ７４及び／又はＰＧＷ３０から通知されてもよい。又はＰＣＲＦ６０が事前にデフォルト値として記憶していた値であってもよい。その場合、ＰＣＲＦ６０はＰＣＣ  Ｒｕｌｅに基づいてＲｏｕｔｉｎｇ  Ｒｕｌｅのデフォルト値を決定してもよい。
【０２５５】
Ｒｏｕｔｉｎｇ  ＦｉｌｔｅｒにはＩＰヘッダーを含めることでＩＰフローを切り替えてもよい。又は、Ｒｏｕｔｉｎｇ  ＦｉｌｔｅｒにアプリケーションＩＤを含めることで、アプリケーションごとにフローを切り替えてもよい。又は、ＴＦＴを含めてもよい。
【０２５６】
Ｒｏｕｔｉｎｇ  Ｒｕｌｅには複数のルールが記憶されていてよい。更に、Ｒｏｕｔｉｎｇ  Ｒｕｌｅは、各ルールに優先順位が含まれていてもよい。
【０２５７】
図１２（ｄ）はＴＷＡＧ７４が記憶するＴＷＡＧ  ｃａｐａｂｉｌｉｔｙの一例を示す。ＴＷＡＧ  ｃａｐａｂｉｌｉｔｙでは、ＴＷＡＧ７４ごとに第１のＰＤＮコネクションを確立する能力をサポートしているか否かを示す識別情報（ＮＢＩＦＯＭ  ｃａｐａｂｉｌｉｔｙ）を記憶する。言い換えれば、ＴＷＡＧ７４がＮＢＩＦＯＭ機能をサポートしているか否かを示す識別情報である。具体的には、ＮＢＩＦＯＭ  ｃａｐａｂｉｌｉｔｙには、“ａｌｌｏｗｅｄ”又は”Ｎｏｔ  ａｌｌｏｗｅｄ”が含まれてよい。
【０２５８】
なお、ＮＢＩＦＯＭ機能とは、マルチアクセスＰＤＮコネクションを確立することができる機能を有する事を示す情報であってもよい。
【０２５９】
又は、ＮＢＩＦＯＭ  ｃａｐａｂｉｌｉｔｙは、第１のＰＤＮコネクションを確立する能力があることを示す識別情報であってもよい。つまり、記憶部にＮＢＩＦＯＭ  ｃａｐａｂｉｌｉｔｙが存在することでＴＷＡＧ７４が第１のＰＤＮコネクションを確立する機能を持つゲートウェイであることを意味してもよい。言い換えれば、記憶部にＮＢＩＦＯＭ  ｃａｐａｂｉｌｉｔｙが存在することで、ＴＷＡＧ７４はＮＢＩＦＯＭ機能をサポートするゲートウェイであることを意味してもよい。
【０２６０】
図に示すように、ＮＢＩＦＯＭ  ｃａｐａｂｉｌｉｔｙは、ＴＷＡＧ７４の識別情報ＴＷＡＧ  ＩＤと対応づけられて記憶されてもよい。ＴＷＡＧ  ＩＤと対応づけられていない場合、ＮＢＩＦＯＭ  ｃａｐａｂｉｌｉｔｙは、記憶するＴＷＡＧ７４の能力を意味してもよい。
【０２６１】
ＴＷＡＧ  ＩＤとＮＢＩＦＯＭ  ｃａｐａｂｉｌｉｔｙが対応付けて記憶されている場合、ＰＣＲＦ６０は複数のＴＷＡＧ７４のＴＷＡＧ  ｃａｐａｂｉｌｉｔｙを記憶してもよい。
【０２６２】
図１２（ｅ）はＰＣＲＦ６０が記憶するＮｅｔｗｏｒｋ  ｃａｐａｂｉｌｉｔｙの一例を示す。Ｎｅｔｗｏｒｋ  ｃａｐａｂｉｌｉｔｙでは、ネットワークごと、つまりＰＧＷ３０ごとのＮＢＩＦＯＭ  ｃａｐａｂｉｌｉｔｙを記憶する。
【０２６３】
ここで、ＮＢＩＦＯＭ  ｃａｐａｂｉｌｉｔｙは、ネットワークごとに第１のＰＤＮコネクションを確立する能力をサポートしているか否かを示す識別情報である。言い換えれば、ＰＧＷ３０がＮＢＩＦＯＭ機能をサポートしているか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれてよい。
【０２６４】
なお、ＮＢＩＦＯＭ機能とは、マルチアクセスＰＤＮコネクションを確立することができる機能を有する事を示す情報であってもよい。
【０２６５】
又は、ＮＢＩＦＯＭ  ｃａｐａｂｉｌｉｔｙは、第１のＰＤＮコネクションを確立する能力があることを示す識別情報であってもよい。言い換えれば、ＮＢＩＦＯＭ  ｃａｐａｂｉｌｉｔｙはＮＢＩＦＯＭ機能をサポートするゲートウェイであることを示す識別情報であってもよい。つまり、記憶部にＮＢＩＦＯＭ  ｃａｐａｂｉｌｉｔｙが存在することでＰＧＷ３０が第１のＰＤＮコネクションを確立する機能を持つゲートウェイであることを意味してもよい。言い換えれば、記憶部にＮＢＩＦＯＭ  ｃａｐａｂｉｌｉｔｙが存在することでＰＧＷ３０がＮＢＩＦＯＭ機能をサポートするゲートウェイであることを意味してもよい。
【０２６６】
図１２（ｆ）にＭＭＥ  ｃａｐａｂｉｌｉｔｙを示す。ＭＭＥ  ｃａｐａｂｉｌｉｔｙでは、ＭＭＥ４０ごとに第１のＰＤＮコネクションを確立する能力をサポートしているか否かを示す識別情報（ＮＢＩＦＯＭ  ｃａｐａｂｉｌｉｔｙ）を記憶する。言い換えれば、ＭＭＥ４０がＮＢＩＦＯＭ機能をサポートしているか否かを示す識別情報である。具体的には、ＮＢＩＦＯＭ  ｃａｐａｂｉｌｉｔｙには、“ａｌｌｏｗｅｄ”又は”Ｎｏｔ  ａｌｌｏｗｅｄ”が含まれてもよい。
【０２６７】
なお、ＮＢＩＦＯＭ機能とは、マルチアクセスＰＤＮコネクションを確立することができる機能を有する事を示す情報であってもよい。
【０２６８】
又は、ＮＢＩＦＯＭ  ｃａｐａｂｉｌｉｔｙは、第１のＰＤＮコネクションを確立する能力があることを示す識別情報であってもよい。つまり、記憶部にＮＢＩＦＯＭ  ｃａｐａｂｉｌｉｔｙが存在することでＭＭＥ４０が第１のＰＤＮコネクションを確立する機能を持つゲートウェイであることを意味してもよい。言い換えれば、記憶部にＮＢＩＦＯＭ  ｃａｐａｂｉｌｉｔｙが存在することで、ＭＭＥ４０はＮＢＩＦＯＭ機能をサポートするゲートウェイであることを意味してもよい。
【０２６９】
ＰＣＲＦ６０はＮＢＩＦＯＭ  ｃａｐａｂｉｌｉｔｙはＭＭＥ  ＩＤと対応付けて記憶してもよい。
【０２７０】
図１２（ｇ）にＳＧＷ  ｃａｐａｂｉｌｉｔｙを示す。ＳＧＷ  ｃａｐａｂｉｌｉｔｙでは、ＳＧＷ３５ごとに第１のＰＤＮコネクションを確立する能力をサポートしているか否かを示す識別情報（ＮＢＩＦＯＭ  ｃａｐａｂｉｌｉｔｙ）を記憶する。言い換えれば、ＳＧＷ３５がＮＢＩＦＯＭ機能をサポートしているか否かを示す識別情報である。具体的には、ＮＢＩＦＯＭ  ｃａｐａｂｉｌｉｔｙには、“ａｌｌｏｗｅｄ”又は”Ｎｏｔ  ａｌｌｏｗｅｄ”が含まれてもよい。
【０２７１】
なお、ＮＢＩＦＯＭ機能とは、マルチアクセスＰＤＮコネクションを確立することができる機能を有する事を示す情報であってもよい。
【０２７２】
又は、ＮＢＩＦＯＭ  ｃａｐａｂｉｌｉｔｙは、第１のＰＤＮコネクションを確立する能力があることを示す識別情報であってもよい。つまり、記憶部にＮＢＩＦＯＭ  ｃａｐａｂｉｌｉｔｙが存在することでＳＧＷ３５が第１のＰＤＮコネクションを確立する機能を持つゲートウェイであることを意味してもよい。言い換えれば、記憶部にＮＢＩＦＯＭ  ｃａｐａｂｉｌｉｔｙが存在することで、ＳＧＷ３５はＮＢＩＦＯＭ機能をサポートするゲートウェイであることを意味してもよい。
【０２７３】
ＰＣＲＦ６０はＮＢＩＦＯＭ  ｃａｐａｂｉｌｉｔｙはＳＧＷ  ＩＤと対応付けて記憶してもよい。
【０２７４】
［１．２．６．ＭＭＥ構成］
ＭＭＥ４０の装置構成を説明する。ＭＭＥ４０はＩＰ移動通信ネットワークインターフェース部３２０と、制御部３００と記憶部３４０で構成されている。ＩＰ移動通信ネットワークインターフェース部３２０と記憶部３４０は制御部３００と、バスを介して接続されている。
【０２７５】
制御部３００はＭＭＥ４０を制御するための機能部である。制御部３００は、記憶部３４０に記憶されている各種プログラムを読みだして実行することにより各種処理を実現する。
【０２７６】
ＩＰ移動通信ネットワークインターフェース部３２０はＭＭＥ４０が、ＰＧＷ３０と接続するための機能部である。
【０２７７】
記憶部３４０は、ＭＭＥ４０の各動作に必要なプログラムや、データ等を記憶する機能部である。記憶部３４０は、例えば、半導体メモリや、ＨＤＤ（Ｈａｒｄ  Ｄｉｓｋ  Ｄｒｉｖｅ）等により構成されている。
【０２７８】
記憶部３４０はＭＭＥ  ｃａｐａｂｉｌｉｔｙ３４２と、Ｎｅｔｗｏｒｋ  ｃａｐａｂｉｌｉｔｙ３４４とＥＰＳベアラコンテキスト３４６を記憶する。以下、記憶部３４０で記憶される情報要素について説明する。
【０２７９】
記憶部３４０で記憶される情報要素を説明する。ＭＭＥ４０が記憶するＭＭＥ  ｃａｐａｂｉｌｉｔｙの一例を示す。ＭＭＥ  ｃａｐａｂｉｌｉｔｙでは、ＭＭＥ４０ごとに第１のＰＤＮコネクションを確立する能力をサポートしているか否かを示す識別情報（ＮＢＩＦＯＭ  ｃａｐａｂｉｌｉｔｙ）を記憶する。言い換えれば、ＭＭＥ４０がＮＢＩＦＯＭ機能をサポートしているか否かを示す識別情報である。具体的には、ＮＢＩＦＯＭ  ｃａｐａｂｉｌｉｔｙには、“ａｌｌｏｗｅｄ”又は”Ｎｏｔ  ａｌｌｏｗｅｄ”が含まれてよい。
【０２８０】
なお、ＮＢＩＦＯＭ機能とは、マルチアクセスＰＤＮコネクションを確立することができる機能を有する事を示す情報であってもよい。
【０２８１】
又は、ＮＢＩＦＯＭ  ｃａｐａｂｉｌｉｔｙは、第１のＰＤＮコネクションを確立する能力があることを示す識別情報であってもよい。つまり、記憶部にＮＢＩＦＯＭ  ｃａｐａｂｉｌｉｔｙが存在することでＭＭＥ４０が第１のＰＤＮコネクションを確立する機能を持つゲートウェイであることを意味してもよい。言い換えれば、記憶部にＮＢＩＦＯＭ  ｃａｐａｂｉｌｉｔｙが存在することで、ＭＭＥ４０はＮＢＩＦＯＭ機能をサポートするゲートウェイであることを意味してもよい。
【０２８２】
ＮＢＩＦＯＭ  ｃａｐａｂｉｌｉｔｙは、ＭＭＥ４０の識別情報ＭＭＥ  ＩＤと対応づけられて記憶されてもよい。ＭＭＥ  ＩＤと対応づけられていない場合、ＮＢＩＦＯＭ  ｃａｐａｂｉｌｉｔｙは、記憶するＭＭＥ４０の能力を意味してもよい。
【０２８３】
ＭＭＥ  ＩＤとＮＢＩＦＯＭ  ｃａｐａｂｉｌｉｔｙが対応付けて記憶されている場合、ＭＭＥ４０は複数のＭＭＥ４０のＭＭＥ  ｃａｐａｂｉｌｉｔｙを記憶してもよい。
【０２８４】
この場合、ＵＥ１０が他のＭＭＥ４０へハンドオーバーする際に、ＭＭＥ４０がＭＭＥ  ｃａｐａｂｉｌｉｔｙに基づきハンドオーバー先のＭＭＥ４０を選択してもよい。
【０２８５】
次に、Ｎｅｔｗｏｒｋ  ｃａｐａｂｉｌｉｔｙ３４４について説明する。ＭＭＥ４０が記憶するＮｅｔｗｏｒｋ  ｃａｐａｂｉｌｉｔｙの一例を説明する。Ｎｅｔｗｏｒｋ  ｃａｐａｂｉｌｉｔｙでは、ネットワークごと、つまりＰＧＷ３０ごとのＮＢＩＦＯＭ  ｃａｐａｂｉｌｉｔｙを記憶する。
【０２８６】
ここで、ＮＢＩＦＯＭ  ｃａｐａｂｉｌｉｔｙは、ネットワークごとに第１のＰＤＮコネクションを確立する能力をサポートしているか否かを示す識別情報である。言い換えれば、ＰＧＷ３０がＮＢＩＦＯＭ機能をサポートしているか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれてよい。
【０２８７】
なお、ＮＢＩＦＯＭ機能とは、マルチアクセスＰＤＮコネクションを確立することができる機能を有する事を示す情報であってもよい。
【０２８８】
又は、ＮＢＩＦＯＭ  ｃａｐａｂｉｌｉｔｙは、第１のＰＤＮコネクションを確立する能力があることを示す識別情報であってもよい。言い換えれば、ＮＢＩＦＯＭ  ｃａｐａｂｉｌｉｔｙはＮＢＩＦＯＭ機能をサポートするゲートウェイであることを示す識別情報であってもよい。つまり、記憶部にＮＢＩＦＯＭ  ｃａｐａｂｉｌｉｔｙが存在することでＰＧＷ３０が第１のＰＤＮコネクションを確立する機能を持つゲートウェイであることを意味してもよい。言い換えれば、記憶部にＮＢＩＦＯＭ  ｃａｐａｂｉｌｉｔｙが存在することでＰＧＷ３０がＮＢＩＦＯＭ機能をサポートするゲートウェイであることを意味してもよい。
【０２８９】
ＭＭＥ４０は、ＰＧＷ  ＩＤと対応付けてＮＢＩＦＯＭ  ｃａｐａｂｉｌｉｔｙを記憶する。更に、複数のＰＧＷ３０に対応づけて、それぞれＮＢＩＦＯＭ  ｃａｐａｂｉｌｉｔｙが記憶されてもよい。
【０２９０】
ＰＧＷ  ＩＤは、ＰＧＷ３０を識別するための情報であればよく、例えばＡＰＮ（Ａｃｃｅｓｓ  Ｐｏｉｎｔ  Ｎａｍｅ）であってもよい。
【０２９１】
次に、ＥＰＳベアラコンテキストについて説明する。ＥＰＳベアラコンテキストは、ＵＥ１０ごとに記憶されるＵＥ１０ごとのＥＰＳベアラコンテキストと、ＰＤＮコネクションごとのＥＰＳベアラコンテキストとベアラ及び／又は転送路ごとのＥＰＳベアラコンテキストに分類されてもよい。
【０２９２】
ＵＥ１０ごとのＥＰＳベアラコンテキストに含まれる情報要素を説明する。ＭＭＥ４０はＵＥ１０ごとにＵＥ  ＮＢＩＦＯＭ  ｃａｐａｂｉｌｉｔｙ、ＮＢＩＦＯＭ  ａｌｌｏｗｅｄを記憶する。
【０２９３】
ＵＥ  ＮＢＩＦＯＭ  ｃａｐａｂｉｌｉｔｙは、ＵＥ１０のＮＢＩＦＯＭ  ｃａｐａｂｉｌｉｔｙである。ＵＥ  ＮＢＩＦＯＭ  ｃａｐａｂｉｌｉｔｙは、ＵＥ１０ごとに第１のＰＤＮコネクションを確立する能力をサポートしているか否かを示す識別情報である。言い換えれば、ＵＥ  ＮＢＩＦＯＭ  ｃａｐａｂｉｌｉｔｙは、ＵＥ１０がＮＢＩＦＯＭ機能をサポートするか否かを示す識別情報である。より具体的には、例えば、ＵＥ  ＮＢＩＦＯＭ  ｃａｐａｂｉｌｉｔｙには、“ａｌｌｏｗｅｄ”又は”Ｎｏｔ  ａｌｌｏｗｅｄ”が含まれてよい。
【０２９４】
なお、ＮＢＩＦＯＭ機能とは、マルチアクセスＰＤＮコネクションを確立することができる機能を有する事を示す情報であってもよい。
【０２９５】
又は、ＵＥ  ＮＢＩＦＯＭ  ｃａｐａｂｉｌｉｔｙは、ＵＥ１０が第１のＰＤＮコネクションを確立する能力があることを示す識別情報であってもよい。つまり、ＵＥ  ＮＢＩＦＯＭ  ｃａｐａｂｉｌｉｔｙが存在することでＵＥ１０が第１のＰＤＮコネクションを確立する機能を持つことを意味してもよい。
【０２９６】
言い換えれば、ＵＥ１０がＮＢＩＦＯＭ機能をサポートすることを示す識別情報であってもよい。つまり、記憶部にＵＥ  ＮＢＩＦＯＭ  ｃａｐａｂｉｌｉｔｙが存在することでＵＥ１０がＮＢＩＦＯＭ機能をサポートすることを意味してもよい。
【０２９７】
また、ＮＢＩＦＯＭ  ａｌｌｏｗｅｄはＮＢＩＦＯＭを用いたＰＤＮコネクションを確立することが許可されたＡＰＮを示す識別情報である。ＮＢＩＦＯＭは少なくともＡＰＮと対応付けられていてよい。ＮＢＩＦＯＭ  ａｌｌｏｗｅｄは複数のＡＰＮと対応付けられていてもよい。
【０２９８】
本実施形態ではＡＰＮ１はＮＢＩＦＯＭ  ａｌｌｏｗｅｄに対応付けられている。つまり、ＡＰＮ１はマルチアクセスＰＤＮコネクションを確立することが許可されている。言い換えれば、本実施形態ではＵＥ１０はＡＰＮ１を用いてマルチアクセスＰＤＮコネクションを確立することが許可されている。なお、ＡＰＮ１はマルチアクセスＰＤＮコネクションではなく、従来のＰＤＮコネクションを確立する事も許可されている。
【０２９９】
更に、本実施形態ではＡＰＮ２はＮＢＩＦＯＭ  ａｌｌｏｗｅｄに対応付けられていない。つまり、本実施形態ではＡＰＮ２はマルチアクセスＰＤＮコネクションを確立することが許可されていない。つまり、本実施形態ではＵＥ１０はＡＰＮ２を用いて、マルチアクセスＰＤＮコネクションを確立することはできない。
【０３００】
ＮＢＩＦＯＭ  ａｌｌｏｗｅｄはＰＤＮコネクション確立前に記憶されていてよい。
【０３０１】
ＭＭＥ４０は、ＰＤＮコネクション確立前及び／又は確立手続き中に、ＨＳＳ５０にアクセスしＮＢＩＦＯＭ  ａｌｌｏｗｅｄを取得してもよい。
【０３０２】
また、ＵＥ１０ごとのＥＰＳベアラコンテキストにはＵＥ１０の識別情報が含まれていてもよい。ＵＥ１０の識別情報はＩＭＳＩであってもよい。
【０３０３】
ＰＤＮコネクションごとのＥＰＳベアラコンテキストを説明する。ＰＤＮコネクションごとのＥＰＳベアラコンテキストは、ＰＤＮ  ｃｏｎｎｅｃｔｉｏｎ  ＩＤとＮｅｔｗｏｒｋ  ａｌｌｏｗｅｄ  ｍｏｄｅとＯｐｅｒａｔｉｏｎ  ｍｏｄｅとＵｓｅｒ  ｐｌａｎｅ  ｃｏｎｎｅｃｔｉｏｎ  ＩＤとＭＭＥ  ＭＡＣ  ａｄｄｒｅｓｓ、ＮＢＩＦＯＭ  Ｐｅｒｍｉｓｓｉｏｎを含める。
【０３０４】
ＰＤＮ  ｃｏｎｎｅｃｔｉｏｎ  ＩＤは、ＰＤＮコネクションを識別するための識別情報である。ＵＥ１０とＭＭＥ４０とＰＧＷ３０が同じ識別情報を記憶していてもよい。
【０３０５】
Ｏｐｅｒａｔｉｏｎ  ｍｏｄｅは、ＰＤＮコネクションが第１のＰＤＮコネクションである場合、データの送受信を主導する、又は通信制御を開始できるのがＵＥ１０であるのか、ネットワークであるのかを示すモードの識別情報である。
【０３０６】
より具体的には、例えば、ＵＥ１０から通信制御を開始できるＯｐｅｒａｔｉｏｎ  ｍｏｄｅはＵＥ  Ｉｎｉｔｉａｔｅｄ  ｍｏｄｅであってもよい。
【０３０７】
また、ネットワーク及び／又はＰＧＷ３０及び／又はＰＣＲＦ６０から通信制御を開始できるＯｐｅｒａｔｉｏｎ  ｍｏｄｅはＮｅｔｗｏｒｋ  Ｉｎｉｔｉａｔｅｄ  ｍｏｄｅであってもよい。
【０３０８】
Ｎｅｔｗｏｒｋ  ａｌｌｏｗｅｄ  ｍｏｄｅは、ネットワークが許可するＯｐｅｒａｔｉｏｎ  ｍｏｄｅを示す。Ｎｅｔｗｏｒｋ  ａｌｌｏｗｅｄ  ｍｏｄｅはＵＥ  Ｉｎｉｔｉａｔｅｄ  ｍｏｄｅ、又はＮｅｔｗｏｒｋ  Ｉｎｉｔｉａｔｅｄ  ｍｏｄｅ、又はこれら両方を含めてもよい。
【０３０９】
Ｕｓｅｒ  ｐｌａｎｅ  ｃｏｎｎｅｃｔｉｏｎ  ＩＤは、ＵＥ１０がＭＭＥ４０を介した転送路を確立した場合のユーザデータの伝送に用いる接続を識別する識別情報である。
【０３１０】
ＮＢＩＦＯＭ  ｐｅｒｍｉｓｓｉｏｎは、このＰＤＮコネクションがマルチアクセスＰＤＮコネクションを確立した事を示す情報である。言い換えれば、ＮＢＩＦＯＭ  ｐｅｒｍｉｓｓｉｏｎは、第１のＰＤＮコネクションを確立したことを示す。
【０３１１】
つまり、ＭＭＥ４０がＮＢＩＦＯＭ  ｐｅｒｍｉｓｓｉｏｎを記憶することで、このＰＤＮコネクションは第１のＰＤＮコネクションであることを意味する。
【０３１２】
ＮＢＩＦＯＭ  ｐｅｒｍｉｓｓｉｏｎは、ＰＤＮコネクションを確立することにより、ＭＭＥ４０が記憶する識別情報である。
【０３１３】
ＭＭＥ４０はＰＤＮコネクション確立中に、ＨＳＳ５０にアクセスしＮＢＩＦＯＭ  ｐｅｒｍｉｓｓｉｏｎを取得してもよい。又は、マルチアクセスＰＤＮコネクションが確立されたことに基づき、ＭＭＥ４０はＮＢＩＦＯＭ  Ｐｅｒｍｉｓｓｉｏｎを記憶してもよい。
【０３１４】
次に、ベアラ及び／又は転送路ごとのＥＰＳベアラコンテキストについて説明する。ベアラ及び／又は転送路ごとのＥＰＳベアラコンテキストには、転送路識別情報とＲｏｕｔｉｎｇ  Ｒｕｌｅがふくまれてもよい。
【０３１５】
転送路識別情報は転送路及び／又はベアラを識別する情報である。転送路識別情報は、例えばＥＰＳベアラＩＤであってもよい。
【０３１６】
Ｒｏｕｔｉｎｇ  ＲｕｌｅはＲｏｕｔｉｎｇ  Ｆｉｌｔｅｒと、Ｒｏｕｔｉｎｇ  ａｄｄｒｅｓｓ又はＲｏｕｔｉｎｇ  ａｃｃｅｓｓ  ｔｙｐｅの対応付けを示す。この対応付けに基づき、３ＧＰＰのアクセスネットワークを介した通信路を用いるか、ＷＬＡＮのアクセスネットワークを介した通信路を用いるかが決定される。
【０３１７】
ここで、Ｒｏｕｔｉｎｇ  ａｃｃｅｓｓ  ｔｙｐｅは、フローが経由するアクセスネットワークを示す。例えば、これは３ＧＰＰ、又はＷＬＡＮを示す。
【０３１８】
また、Ｒｏｕｔｉｎｇ  ａｄｄｒｅｓｓは経由可能なＩＰアドレスを示す。例えば、ＳＧＷ３５のＩＰアドレスであってもよい。又はＭＭＥ４０のＩＰアドレスであってもよい。又はＭＡＧ（Ｍｏｂｉｌｅ  Ａｃｃｅｓｓ  Ｇａｔｅｗａｙ）のＩＰアドレスであってもよい。
【０３１９】
Ｒｏｕｔｉｎｇ  ＲｕｌｅはＰＧＷ３０やＰＣＲＦ６０から通知されてもよいし、ＵＥ１０から通知されてもよい。又はＭＭＥ４０が事前にデフォルト値として記憶していた値であってもよい。
【０３２０】
Ｒｏｕｔｉｎｇ  ＦｉｌｔｅｒにはＩＰヘッダーを含めることでＩＰフローを切り替えてもよい。又は、Ｒｏｕｔｉｎｇ  ＦｉｌｔｅｒにアプリケーションＩＤを含めることで、アプリケーションごとにフローを切り替えてもよい。又は、ＴＦＴを含めてもよい。
【０３２１】
Ｒｏｕｔｉｎｇ  Ｒｕｌｅには複数のルールが記憶されていてよい。更に、Ｒｏｕｔｉｎｇ  Ｒｕｌｅは、各ルールに優先順位が含まれていてもよい。
【０３２２】
ＳＧＷ  ｃａｐａｂｉｌｉｔｙでは、ＳＧＷ３５ごとに第１のＰＤＮコネクションを確立する能力をサポートしているか否かを示す識別情報（ＮＢＩＦＯＭ  ｃａｐａｂｉｌｉｔｙ）を記憶する。言い換えれば、ＳＧＷ３５がＮＢＩＦＯＭ機能をサポートしているか否かを示す識別情報である。具体的には、ＮＢＩＦＯＭ  ｃａｐａｂｉｌｉｔｙには、“ａｌｌｏｗｅｄ”又は”Ｎｏｔ  ａｌｌｏｗｅｄ”が含まれてもよい。
【０３２３】
なお、ＮＢＩＦＯＭ機能とは、マルチアクセスＰＤＮコネクションを確立することができる機能を有する事を示す情報であってもよい。
【０３２４】
又は、ＮＢＩＦＯＭ  ｃａｐａｂｉｌｉｔｙは、第１のＰＤＮコネクションを確立する能力があることを示す識別情報であってもよい。つまり、記憶部にＮＢＩＦＯＭ  ｃａｐａｂｉｌｉｔｙが存在することでＳＧＷ３５が第１のＰＤＮコネクションを確立する機能を持つゲートウェイであることを意味してもよい。言い換えれば、記憶部にＮＢＩＦＯＭ  ｃａｐａｂｉｌｉｔｙが存在することで、ＳＧＷ３５はＮＢＩＦＯＭ機能をサポートするゲートウェイであることを意味してもよい。
【０３２５】
ＭＭＥ４０はＮＢＩＦＯＭ  ｃａｐａｂｉｌｉｔｙはＳＧＷ  ＩＤと対応付けて記憶してもよい。
【０３２６】
ＭＭＥ  ｃａｐａｂｉｌｉｔｙとＮｅｔｗｏｒｋ  ｃａｐａｂｉｌｉｔｙはＥＰＳベアラコンテキストに含まれていてもよい。
【０３２７】
［１．３．初期状態の説明］
本実施形態における初期状態について説明する。本実施形態における初期状態は、後述する初期状態であってもよい。なお、本実施形態における初期状態は後述する初期状態に限らなくてもよい。
【０３２８】
初期状態に至るための手続きを、図１４を用いて説明する。初期状態に至るための手続きでは、まず、アクセスネットワークＡを介したマルチアクセスＰＤＮコネクション確立手続きが実行される（Ｓ１４０２）。更に、アクセスネットワークＢを介したアタッチ手続きが実行される（Ｓ１４０４）。
【０３２９】
更に、アクセスネットワークＢを介した追加アタッチ手続きが実行される（Ｓ１４０６）。ただし、アクセスネットワークＢを介した追加アタッチ手続きには、アクセスネットワークＡを介したＰＤＮコネクションに割り当てられたＡＰＮと同様のＡＰＮが用いられる。
【０３３０】
つまり、初期状態では複数の転送路を構成するマルチアクセスＰＤＮコネクションを確立している状態である。具体的には、マルチアクセスＰＤＮコネクションはアクセスネットワークＡとアクセスネットワークＢの複数の転送路を構成する。
【０３３１】
さら具体的には、ＵＥ１０はＡＰＮ１を用いてＬＴＥアクセスネットワークを介した通信路とＷＬＡＮアクセスネットワークを介した転送路を確立する事ができる。
【０３３２】
なお、アクセスネットワークＡを介したマルチアクセスＰＤＮコネクション確立手続き、及び追加アタッチ手続きの詳細は後述する。
【０３３３】
またアクセスネットワークＡを介したアタッチ手続き（Ｓ１４０４）は、従来のＬＴＥアクセスネットワークへのアタッチ手続きでよい。
【０３３４】
具体的には、ＵＥ１０はアタッチ手続きにより、アクセスネットワークＡを介したシングルアクセスＰＤＮコネクションを確立してもよい。なお、シングルアクセスＰＤＮコネクションに割り当てられるＡＰＮは、ＡＰＮ１とは異なるＡＰＮであってもよい。例えば、シングルアクセスＰＤＮコネクションの確立に伴いＵＥ１０が取得するＡＰＮはＡＰＮ２であってもよい。
【０３３５】
［１．３．１．マルチアクセスＰＤＮ接続手続き例］
マルチアクセスＰＤＮ接続手続き例について図１４を用いて説明する。
【０３３６】
ＵＥ１０は、まず、ｅＮＢ４５を介してＭＭＥ４０にＰＤＮ接続要求（PDN connectivity request）を送信する（Ｓ２１０２）。ＵＥ１０は、少なくともＰＤＮ接続要求メッセージＩＤ（PDN connectivity request message identity）及びプロシージャトランザクションＩＤ（Procedure transaction identity）及びリクエストタイプ（Request type）及びＰＤＮタイプ（PDN type）及びプロトコル識別子（Protocol discriminator）及びＥＰＳベアラＩＤ（EPS bearer identity）を含めてＰＤＮ接続要求を送信してもよい。さらに、ＵＥ１０は、少なくとも第８の識別情報及び／又は第６の識別情報をＰＤＮ接続要求に含めてもよい。さらに、ＵＥ１０は、ＡＰＮ（Access Point Name）及び／又はＰＣＯ（Protocol Configuration Options）及び／又はＴＦＴ（Traffic Flow Templates）をＰＤＮ接続要求に含めてもよい。なお、ＵＥ１０は、第８の識別情報及び／又は第６の識別情報及び／又はＴＦＴをＰＣＯに含めて送信してもよい。
【０３３７】
ここで、第８の識別情報は、ＵＥ１０がＮＢＩＦＯＭをサポートしていることを表すＵＥ  ＮＢＩＦＯＭ  ｃａｐａｂｉｌｉｔｙであってよい。なお、ＮＢＩＦＯＭ  ｃａｐａｂｉｌｉｔｙとは、マルチアクセスＰＤＮコネクションを確立する機能を有することを示す情報であってよい。
【０３３８】
さらに、第６の識別情報は、マルチアクセスＰＤＮコネクションのＮＢＩＦＯＭオペレーションモードを決定することを要求することを表すＲｅｑｕｅｓｔ  ＮＢＩＦＯＭであってよい。及び／又は、第６の識別情報は、確立するマルチアクセスＰＤＮコネクションに対して許可されるＮＢＩＦＯＭオペレーションモードを要求することを表す情報であってよい。
【０３３９】
このように、ＵＥ１０は、第８の識別情報及び／又は第６の識別情報を含めてＰＤＮ接続要求を送信することにより、ＵＥ１０が特定のＮＢＩＦＯＭオペレーションモードを要求することなくマルチアクセスＰＤＮコネクションの確立を要求してもよい。
【０３４０】
ＰＤＮ接続要求メッセージＩＤは、ＰＤＮ接続要求メッセージを表すメッセージタイプであってよい。
【０３４１】
プロシージャトランザクションＩＤはＰＤＮ接続手続きを識別する情報であってよい。
【０３４２】
ＡＰＮはＵＥ１０が接続を要求するＡＰＮであってよい。より具体的には、ＡＰＮは、ＡＰＮ１であってもよい。ＵＥ１０は、マルチアクセスＰＤＮコネクションを確立するために、ＡＰＮ１を含めてもよい。ここで、ＡＰＮ１はマルチアクセスＰＤＮコネクションの確立が許可されたＡＰＮで、及び／又はＮＢＩＦＯＭに基づく通信が許可されたＡＰＮであってよい。
【０３４３】
リクエストタイプは、要求するＰＤＮ接続手続きの種類を識別する情報であってよい。例えば、ＵＥ１０はＡＰＮ１を用いて初期接続を行うことから、リクエストタイプは、ハンドオーバーを示すタイプではなくアタッチを示すタイプであってよい。
【０３４４】
ＰＤＮタイプは、利用可能なＩＰバージョンを示すもであってよい。例えば、ＰＤＮタイプはＩＰｖ４であってよく、ＩＰｖ６であってもよく、ＩＰｖ４ｖ６であってもよい。
【０３４５】
プロトコル識別子は、ＰＤＮ接続要求の送受信に使用しているプロトコルの種類を表す識別子であってよい。
【０３４６】
ＥＰＳベアラＩＤは、ＥＰＳベアラを識別する情報であってよい。ＥＰＳベアラＩＤはＭＭＥ４０によって割り当てられてもよい。
【０３４７】
ＰＣＯは、ＰＤＮコネクションと関連付けられたプロトコル情報であってよい。また、ＰＣＯは、要求の識別情報を含めてもよい。なお、ＵＥ１０は第８の識別情報をＰＣＯに含めて送信してもよい。
【０３４８】
ＴＦＴは、本ＰＤＮ接続手続きで確立するＰＤＮコネクションを用いて通信を行うＩＰフローを識別するための情報であってよい。なお、識別するＩＰフローは、アプリケーション単位で異なるものであってよい。したがって、ＴＦＴにより、特定のアプリケーションのユーザデータを識別することができる。
【０３４９】
より具体的には、ＴＦＴは、５タプルで構成されてもよいし、アプリケーションＩＤ等の識別情報で構成されてもよい。なお、タプルは、送信元ＩＰアドレス、送信先ＩＰアドレス、送信元ポート番号、送信先ポート番号、プロトコル番号のいずれか一つ以上の情報を組み合わせて構成されてよい。
【０３５０】
なお、本例では、ＰＤＮ接続要求の送信に伴い、ＵＥ１０は特定のＮＢＩＦＯＭオペレーションモードを要求していないため、ＵＥ１０はＰＤＮ接続要求にＴＦＴを含めずに送信してもよい。言い換えると、ＵＥ１０が特定のＮＢＩＦＯＭオペレーションモードを要求することなくマルチアクセスＰＤＮコネクションの確立を要求する場合には、ＵＥ１０はＰＤＮ接続要求にＴＦＴを含めずに送信してもよい。より具体的には、ＵＥ１０は第８の識別情報及び／又は第６の識別情報を含める場合には、ＴＦＴを含めずにＰＤＮ接続要求を送信してもよい。
【０３５１】
なお、従来より、ＵＥ１０はＰＣＯにＩＦＯＭ  ｓｕｐｐｏｒｔを示す情報を含めて送信することができる。ここで、ＩＦＯＭ  ｓｕｐｐｏｒｔとはＩＦＯＭ（ＩＰ  Ｆｌｏｗ  Ｍｏｂｉｌｉｔｙ）をサポートしていることを表す識別情報である。さらに、ＩＦＯＭとは、間ＤＳＭＩＰｖ６（Ｄｕａｌ  Ｓｔａｃｋ  Ｍｏｂｉｌｅ  ＩＰｖ６）プロトコルを用いて、特定のＩＰフローの通信路を切り替える技術のことである。したがって、ＰＣＯにＩＦＯＭサポートを示す情報を含めることにより、ＵＥ１０は、特定のＩＰフローの通信を行うアクセスネットワークを切り替えることができる。
【０３５２】
本実施形態では、ＵＥ１０はＰＣＯに第８の識別情報及び第６の識別情報を含める場合には、ＩＦＯＭ  ｓｕｐｐｏｒｔを含めない。逆に、ＵＥ１０はＰＣＯにＩＦＯＭ  ｓｕｐｐｏｒｔを含める場合には、第８の識別情報及び／又は第６の情報を含めない。このように、第８の識別情報とＩＦＯＭ  ｓｕｐｐｏｒｔの両方を有効に設定しないことにより、ＮＢＩＦＯＭに基づいた通信路の切り替えと、ＩＦＯＭに基づいた通信路の切り替えのどちらを用いるかを明確にするよう設定してもよい。
【０３５３】
これにより、ＵＥ１０は、単一のＰＤＮコネクション確立手続きにより、ＩＦＯＭをサポートしたＰＤＮコネクションもしくはＮＢＩＦＯＭをサポートしたＰＤＮコネクションのいずれか一方を確立することができる。言い換えると、単一のＰＤＮコネクションは、ＮＢＩＦＯＭをサポートしたＰＤＮコネクションか、ＩＦＯＭをサポートしたＰＤＮコネクションか、シングルアクセスＰＤＮコネクションかのいずれかである。
【０３５４】
ＭＭＥ４０は、ＵＥ１０が送信したＰＤＮ接続要求を受信する。ＭＭＥ４０はＰＤＮ接続要求の受信及び／又は、及び／又はＰＤＮ接続要求に含まれる第８の識別情報及び／又は第６の識別情報に基づいて、ＳＧＷ３５にセッション生成要求を送信する（Ｓ２１０４）。
【０３５５】
ＭＭＥ４０は、ＰＤＮ接続要求の受信及び／又はＰＤＮ接続要求に含まれる第８の識別情報及び／又は第６の識別情報に基づいて、少なくとも第８の識別情報及び／又は第６の識別情報をセッション生成要求に含めて送信してもよい。
【０３５６】
さらに、ＭＭＥ４０は、ＵＥ１０が送信するＴＦＴの受信に基づいて、ＴＦＴをセッション生成要求に含めてもよい。
【０３５７】
また、ＴＦＴは、本ＰＤＮ接続手続きで確立するＰＤＮコネクションを用いて通信を行うＩＰフローを識別するための情報であってよい。なお、識別するＩＰフローは、アプリケーション単位で異なるものであってよい。したがって、ＴＦＴにより、特定のアプリケーションのユーザデータを識別することができる。
【０３５８】
より具体的には、ＴＦＴは、５タプルで構成されてもよいし、アプリケーションＩＤ等の識別情報で構成されてもよい。なお、５タプルは、送信元ＩＰアドレス、送信先ＩＰアドレス、送信元ポート番号、送信先ポート番号、プロトコル番号のいずれか一つ以上の情報を組み合わせて構成されてよい。
【０３５９】
なお、ＭＭＥ４０は、ＰＤＮ接続要求に第８の識別情報と第６の識別情報のいずれの識別情報も含まれない場合は、第８の識別情報及び／又は第６の識別情報を含めずにセッション生成要求を送信してもよい。また、ＭＭＥ４０は、ＰＤＮ接続要求に第８の識別情報及び／又は第６の識別情報が含まれない場合はシングルアクセスＰＤＮコネクションを確立する手続きを実行してもよい。
【０３６０】
ＳＧＷ３５は、ＭＭＥ４０が送信したセッション生成要求を受信する。ＳＧＷ３５は、セッション接続要求の受信及び／又はセッション接続要求に含まれる第８の識別情報及び／又は第６の識別情報に基づいて、ＰＧＷ３０にセッション生成要求を送信する（Ｓ２１０６）。
【０３６１】
ＳＧＷ３５は、セッション接続要求の受信及び／又はセッション接続要求に含まれる第８の識別情報及び／又は第６の識別情報に基づいて、少なくとも第８の識別情報及び／又は第６の識別情報をセッション生成要求に含めて送信してもよい。
【０３６２】
さらに、ＳＧＷ３５は、ＴＦＴをセッション生成要求に含めてもよい。
【０３６３】
また、ＴＦＴは、本ＰＤＮ接続手続きで確立するＰＤＮコネクションを用いて通信を行うＩＰフローを識別するための情報であってよい。なお、識別するＩＰフローは、アプリケーション単位で異なるものであってよい。したがって、ＴＦＴにより、特定のアプリケーションのユーザデータを識別することができる。
【０３６４】
より具体的には、ＴＦＴは、５タプルで構成されてもよいし、アプリケーションＩＤ等の識別情報で構成されてもよい。なお、５タプルは、送信元ＩＰアドレス、送信先ＩＰアドレス、送信元ポート番号、送信先ポート番号、プロトコル番号のいずれか一つ以上の情報を組み合わせて構成されてよい。
【０３６５】
なお、ＳＧＷ３５は、ＰＤＮ接続要求に第８の識別情報と第６の識別情報のいずれの識別情報も含まれない場合は、第８の識別情報及び／又は第６の識別情報を含めずにセッション生成要求を送信してもよい。また、ＭＭＥ４０は、ＰＤＮ接続要求に第８の識別情報及び／又は第６の識別情報が含まれない場合はシングルアクセスＰＤＮコネクションを確立する手続きを実行してもよい。
【０３６６】
ＰＧＷ３０は、ＳＧＷ３５が送信したセッション生成要求を受信する。ＰＧＷ３０は、セッション生成要求の受信及び／又はセッション生成要求に含まれる第８の識別情報及び／又は第６の識別情報に基づいて、ＰＣＲＦ６０との間でのＩＰ−ＣＡＮセッション更新手続きを実行してもよい（Ｓ２１０８）。
【０３６７】
ＰＧＷ３０は、セッション生成要求の受信及び／又はセッション生成要求に含まれる第８の識別情報及び／又は第６の識別情報に基づいて、少なくとも第８の識別情報及び／又は第６の識別情報をＩＰ−ＣＡＮセッション更新手続きに含めて実行してもよい。
【０３６８】
なお、ＰＧＷ３０はＰＣＲＦ６０にＵＥ１０及び／又はｅＮＢ４５及び／又はＭＭＥ４０及び／又はＳＧＷ３５の情報を通知するためにＩＰ−ＣＡＮセッション更新手続きを実行してもよい。
【０３６９】
ＰＧＷ３０は、確立するＰＤＮコネクションがマルチアクセスＰＤＮコネクションであるか、シングルアクセスＰＤＮコネクションであるかを示す情報及び／又は第８の識別情報及び／又は第６の識別情報をＩＰ−ＣＡＮセッション手続き内の制御メッセージに含めてＰＣＲＦ６０に送信してもよい。
【０３７０】
より具体的には、マルチアクセスＰＤＮコネクションを確立する場合には、ＰＧＷ３０は、アクセスネットワークＡを示す情報と、ＰＤＮコネクションＩＤ（PDN connection ID）と、ＰＤＮコネクションがマルチアクセスＰＤＮコネクションであることを示す情報と、第８の識別情報及び／又は第６の識別情報をＰＣＲＦ６０に送信する。もしくは、シングルアクセスＰＤＮコネクションを確立する場合には、ＰＧＷ３０は、アクセスネットワークＡを示す情報と、ＰＤＮコネクションＩＤと、ＰＤＮコネクションがシングルアクセスＰＤＮコネクションであることを示す情報とをＰＣＲＦ６０に送信する。
【０３７１】
なお、ＰＤＮコネクションＩＤは、ＰＤＮ接続手続きにおいてＰＧＷ３０がＰＤＮコネクションを確立する際に割り当てたＩＤであってよく、ＵＥ１０がＰＧＷ３０と確立するＰＤＮコネクションを一意に識別する情報であってよい。
【０３７２】
さらに、ＰＣＲＦ６０は、第８の識別情報及び／又は第６の識別情報の受信に基づいて、ＰＧＷ３０との間でＩＰ−ＣＡＮセッション更新手続き内の制御メッセージに少なくとも第７の識別情報を含めてＰＧＷ３０に送信してもよい。なお、第７の識別情報の詳細説明は後述する。
【０３７３】
なお、ＰＣＲＦ６０はＰＧＷ３０に課金情報及び／又はＱｏＳ制御情報及び／又はルーティング情報を通知するためにＩＰ−ＣＡＮセッション更新手続きを実行してもよい。
【０３７４】
ＰＧＷ３０はセッション生成要求の受信又はＩＰ−ＣＡＮセッション更新手続きの完了及び／又は、セッション生成要求に含まれる第８の識別情報及び／又は第６の識別情報及び／又は、ＩＰ−ＣＡＮセッション更新手続きに含まれる第７の識別情報に基づいて、ＳＧＷ３５にセッション生成応答を送信する（Ｓ２１１０）。
【０３７５】
ＰＧＷ３０は、セッション生成要求の受信又はＩＰ−ＣＡＮセッション更新手続きの完了及び／又は、セッション生成要求に含まれる第８の識別情報及び／又は第６の識別情報及び／又は、ＩＰ−ＣＡＮセッション更新手続きに含まれる第７の識別情報に基づいて、少なくとも第７の識別情報をセッション生成応答に含めて送信してもよい。
【０３７６】
さらに、ＰＧＷ３０はセッション生成応答にＰＤＮアドレス（PDN Address）及び／又はＰＤＮコネクションＩＤ及び／又はＴＦＴを含めてもよい。
【０３７７】
なお、ＰＧＷ３０が第７の識別情報を取得する方法は、これまで説明したＩＰ−ＣＡＮセッション更新手続きにおいてＰＣＲＦ６０から取得する方法に限らず、別の例であってもよい。例えば、ＰＧＷ３０はＩＰ−ＣＡＮセッション更新手続きにおいてＰＣＲＦ６０から取得せず、ＰＧＷ３０第７の識別情報を生成し、セッション生成応答に含めて送信してもよい。
【０３７８】
ここで、第７の識別情報は、確立するマルチアクセスＰＤＮコネクションに対して許可されたＮＢＩＦＯＭオペレーションモードを表すＡｌｌｏｗｅｄ  Ｍｏｄｅであってよい。言い換えると、第７の識別情報はオペレータによって許可されたオペレーションモードであってよい。
【０３７９】
なお、ＰＣＲＦ６０又はＰＧＷ３０は、Ａｌｌｏｗｅｄ  Ｍｏｄｅをオペレータポリシーに基づいて第７の識別情報を決定してもよい。例えば、ＵＥ−Ｉｎｉｔｉａｔｅｄ  ｍｏｄｅのＰＤＮコネクションのみ確立を許すポリシーや、Ｎｅｗｔｏｒｋ−Ｉｎｉｔｉａｔｅｄ  ｍｏｄｅのＰＤＮコネクションのみ確立を許すポリシーや、両方のモードの確立を許すポリシーや、両方のモードの確立を禁止するポリシー等を管理してよい。
【０３８０】
なお、ＰＣＲＦ６０又はＰＧＷ３０は、オペレータポリシーをＨＳＳ５０等から取得してもよい。もしくは、オペレータポリシーは管理者により生成されたものを保存してもよい。
【０３８１】
さらに、オペレータポリシーは、加入者毎に異なるポリシーを管理してもよい。もしくは、ＡＰＮ毎に異なるポリシーを管理してもよい。例えば、ＡＰＮ毎に確立するＰＤＮコネクションに対して異なるＡｌｌｏｗｅｄ Ｍｏｄｅが管理されていてもよい。
【０３８２】
ＰＣＲＦ６０又はＰＧＷ３０は、Ａｌｌｏｗｅｄ  Ｍｏｄｅに基づいて、許可されているオペレーションモードを第７の識別情報に含めてもよい。
【０３８３】
言い換えると、ＰＣＲＦ６０又はＰＧＷ３０はＮｅｔｗｏｒｋ−Ｉｎｉｔｉａｔｅｄ  ｍｏｄｅのみが許可されている場合には、第７の識別情報にＮｅｔｗｏｒｋ−Ｉｎｉｔｉａｔｅｄ  ｍｏｄｅを含めてもよい。若しくは、ＵＥ−Ｉｎｉｔｉａｔｅｄ  ｍｏｄｅのみ許可されている場合には、第７の識別情報にＵＥ−Ｉｎｉｔｉａｔｅｄ  ｍｏｄｅを含めてもよい。
【０３８４】
なお、ＵＥ−Ｉｎｉｔｉａｔｅｄ  ｍｏｄｅとＮｅｔｗｏｒｋ−Ｉｎｉｔｉａｔｅｄ  ｍｏｄｅの両方が許可されている場合には、第７の識別情報は両方のオペレーションモードを含めてもよい。若しくは、ＵＥ−Ｉｎｉｔｉａｔｅｄ  ｍｏｄｅとＮｅｔｗｏｒｋ−Ｉｎｉｔｉａｔｅｄ  ｍｏｄｅの両方が許可されており、且つデフォルトのオペレーションモードが設定されている場合には、第７の識別情報はデフォルトのオペレーションモードのみ含めてもよい。なお、ＵＥ−Ｉｎｉｔｉａｔｅｄ  ｍｏｄｅとＮｅｔｗｏｒｋ−Ｉｎｉｔｉａｔｅｄ  ｍｏｄｅのどちらをデフォルトのオペレーションモードとするかは、オペレータポリシーに基づいて設定されてよい。
【０３８５】
なお、全てのオペレーションモードのＰＤＮコネクションの確立が許可されてない場合には、ＰＣＲＦ６０は、要求したオペレーションモードは許可されないモードであることを示す理由情報（Requested オペレーションモード is not allowed）をＰＧＷ３０に送信してもよい。
【０３８６】
全てのオペレーションモードのＰＤＮコネクションの確立が許可されてない場合には、ＰＧＷ３０は、第７の識別情報をＳＧＷ３５を介してＭＭＥ４０に通知しなくてもよい。
【０３８７】
全てのオペレーションモードのＰＤＮコネクションの確立が許可されてない場合には、ＰＧＷ３０は、要求したオペレーションモードは許可されないモードであることを示す理由情報（Requested オペレーションモード is not allowed）をセッション生成応答に含めてＳＧＷ３５を介してＭＭＥ４０に送信してもよい。
【０３８８】
全てのオペレーションモードのＰＤＮコネクションの確立が許可されてない場合には、ＰＧＷ３０は、許可されたオペレーションが無いことをＳＧＷ３５を介してＭＭＥ４０に通知してもよい。
【０３８９】
このように、Ａｌｌｏｗｅｄ  Ｍｏｄｅに基づいて、ＰＣＲＦ６０又はＰＧＷ３０は,ＰＤＮコネクションの確立が許可されたオペレーションモードを、第７の識別情報としてもよい。
【０３９０】
なお、第７の識別情報にＮｅｔｗｏｒｋ−Ｉｎｉｔｉａｔｅｄ  ｍｏｄｅが含まれない場合には、ＰＣＲＦ６０はＰＧＷ３０にＴＦＴを送信しなくてもよい。
【０３９１】
言い換えると、なお、第７の識別情報にＮｅｔｗｏｒｋ−Ｉｎｉｔｉａｔｅｄ  ｍｏｄｅが含まれる場合にのみ、ＰＣＲＦ６０はＰＧＷ３０にＴＦＴを送信してもよい。
【０３９２】
なお、第７の識別情報にＮｅｔｗｏｒｋ−Ｉｎｉｔｉａｔｅｄ  ｍｏｄｅが含まれない場合には、ＰＧＷ３０はＳＧＷ３５を介してＭＭＥ４０にＴＦＴを送信しなくてもよい。したがって、この場合には、ＰＧＷ３０はＴＦＴをセッション生成応答に含めなくてもよい。
【０３９３】
言い換えると、なお、第７の識別情報にＮｅｔｗｏｒｋ−Ｉｎｉｔｉａｔｅｄ  ｍｏｄｅが含まれる場合にのみ、ＰＧＷ３０はＳＧＷ３５を介してＭＭＥ４０にＴＦＴを送信してもよい。したがって、この場合には、ＰＧＷ３０はＴＦＴをセッション生成応答に含めてもよい。
【０３９４】
ＰＤＮアドレスは、ＵＥ１０に割り当てられたＩＰアドレスであってよい。例えば、ＩＰｖ４アドレスであってよく、ＩＰｖ６アドレスを構築するためのＩＰｖ６プレフィックスとインターフェースＩＤであってよい。ここで、ＰＧＷ３０はＵＥ１０のＩＰアドレスを割り当ててもよい。さらに、ＰＧＷ３０は、ＵＥ１０に割り当てたＩＰアドレスをＰＤＮアドレスに含めてもよい。
【０３９５】
また、ＰＤＮコネクションＩＤは、ＵＥ１０とＰＧＷ３０の間で確立するＰＤＮコネクションを一意に識別するための情報であってよい。ＰＤＮコネクションＩＤは、ＰＧＷ３０によって割り当てられてもよく、ＭＭＥ４０によって割り当てられてもよい。言い換えると、ＰＧＷ３０がＰＤＮコネクションＩＤを割り当ててよい。
【０３９６】
ＳＧＷ３５は、ＰＧＷ３０が送信したセッション生成応答を受信する。ＳＧＷ３５はセッション生成応答の受信及び／又はセッション生成応答に含まれる第７の識別情報に基づいて、ＭＭＥ４０にセッション生成応答を送信する（Ｓ２１１２）。
【０３９７】
ＳＧＷ３５はセッション生成応答の受信及び／又はセッション生成応答に含まれる第７の識別情報に基づいて、少なくとも第７の識別情報をセッション生成応答に含めて送信してもよい。
【０３９８】
さらに、ＳＧＷ３５はセッション要求応答にＰＤＮアドレス（PDN Address）及び／又はＰＤＮコネクションＩＤ及び／又はＴＦＴを含めてもよい。
【０３９９】
ＭＭＥ４０は、ＳＧＷ３５が送信したセッション生成応答を受信する。ＭＭＥ４０はセッション生成応答の受信及び／又はセッション生成応答に含まれる第７の識別情報に基づいて、ｅＮＢ４５にデフォルトＥＰＳベアラコンテキストアクティブ化要求（Activate default EPS bearer context request）を送信する（Ｓ２１１４）。
【０４００】
ＭＭＥ４０は、セッション生成応答の受信及び／又はセッション生成応答に含まれる第７の識別情報に基づいて、少なくともデフォルトＥＰＳベアラコンテキストアクティブ化要求メッセージＩＤ（Activate default EPS bearer context request message identity）及びプロシージャトランザクションＩＤ及びＡＰＮ及びＰＤＮアドレス及びプロトコル識別子及びＥＰＳベアラＩＤ及びＥＰＳ  ＱｏＳをデフォルトＥＰＳベアラコンテキストアクティブ化要求に含めて送信してもよい。さらに、ＭＭＥ４０は、少なくとも第７の識別情報をデフォルトＥＰＳベアラコンテキストアクティブ化要求に含めてもよい。さらに、ＭＭＥ４０は、ＰＣＯ及び／又はＥＳＭ  Ｃａｕｓｅ及び／又はＴＦＴ、及び／又はＰＤＮコネクションＩＤ、及び／又はＰＤＮコネクション属性情報をデフォルトＥＰＳベアラコンテキストアクティブ化要求に含めてもよい。なお、ＭＭＥ４０は第７の識別情報及び／又はＴＦＴ及び／又はＰＤＮコネクションＩＤをＰＣＯに含めて送信してもよい。
【０４０１】
ここで、デフォルトＥＰＳベアラコンテキストアクティブ化要求メッセージＩＤはデフォルトＥＰＳベアラコンテキストアクティブ化要求メッセージを表すメッセージタイプであってよい。
【０４０２】
ＡＰＮはＵＥ１０が接続を許可されたＡＰＮであってよい。より具体的には、ＡＰＮは、ＡＰＮ１であってもよい。ＡＰＮ１は、マルチアクセスＰＤＮコネクションを確立ことが許可されたＡＰＮであってもよい。ＭＭＥ４０はＡＰＮ１をデフォルトＥＰＳベアラコンテキストアクティブ化要求に含めてもよい。
【０４０３】
ＰＤＮアドレスは、ＵＥ１０に割り当てられたＩＰアドレスであってよい。例えば、ＩＰｖ４アドレスであってよく、ＩＰｖ６アドレスを構築するためのインターフェースＩＤであってよい。
【０４０４】
ＥＰＳ  ＱｏＳは、ＥＰＳベアラのＱｏＳを表す状態であってよい。
【０４０５】
ＰＤＮコネクション属性情報は、本ＰＤＮ接続手続きで確立したＰＤＮコネクションがマルチアクセスＰＤＮコネクションであることを示す情報、及び／又は、本ＰＤＮ接続手続きで確立したＰＤＮコネクションを用いて送受信するユーザデータが、アクセスネットワークＡ及びアクセスネットワークＢを介して送受信することが許可されたことを示す情報、及び／又は、本ＰＤＮ接続手続きで確立したＰＤＮコネクションが第７の識別情報の示すオペレーションモードのマルチアクセスＰＤＮコネクションであることを示す情報であってよい。
【０４０６】
なお、ＵＥ１０は、ＰＤＮコネクションのタイプを示すコネクティビティタイプ及び／又はＷＬＡＮオフロードの可否を示すＷＬＡＮオフロード許可情報（ＷＬＡＮ  ｏｆｆｌｏａｄ  ａｃｃｅｐｔａｂｌｉｔｙ）をさらに含めてデフォルトＥＰＳベアラコンテキストアクティブ化要求メッセージを送信してもよい。さらに、ＭＭＥ４０は、ＰＤＮコネクション属性情報を、コネクティビティタイプ又はＷＬＡＮオフロード許可情報に含めて送信してもよい。
【０４０７】
ＥＳＭ  Ｃａｕｓｅは、ＵＥ１０に割り当てられたＰＤＮアドレスのＰＤＮタイプが、ＰＤＮ接続要求でＵＥ１０が要求したＰＤＮタイプと異なることを表す情報であってよい。
【０４０８】
なお、ＭＭＥ４０及び／又はＰＧＷ３０は、ＰＣＯに第７の識別情報を含めてよい。ただし、ＭＭＥ４０及び／又はＰＧＷ３０はＰＣＯに第７の識別情報を含める場合には、ＩＦＯＭ  ｓｕｐｐｏｒｔを含めない。逆に、ＭＭＥ４０及び／又はＰＧＷ３０は、ＰＣＯにＩＦＯＭ  ｓｕｐｐｏｒｔを含める場合には、第７の識別情報を含めない。このように、第７の識別情報とＩＦＯＭ  ｓｕｐｐｏｒｔの両方を同時に有効に設定しないことにより、ＮＢＩＦＯＭに基づいた通信路の切り替えと、ＩＦＯＭに基づいた通信路の切り替えのどちらを用いるかを明確にするよう設定してもよい。
【０４０９】
ｅＮＢ４５は、ＭＭＥ４０が送信したデフォルトＥＰＳベアラコンテキストアクティブ化要求を受信する。ｅＮＢ４５は、デフォルトＥＰＳベアラコンテキストアクティブ化要求の受信に基づいて、ＵＥ１０にデフォルトＥＰＳベアラコンテキストアクティブ化要求を転送する。
【０４１０】
ｅＮＢ４５は、デフォルトＥＰＳベアラコンテキストアクティブ化要求と共に、少なくとも、ＵＥ１０にＲＲＣ接続設定要求（RRC Connection Reconfiguration）を送信してもよい（Ｓ２１１６）。
【０４１１】
ＵＥ１０は、ｅＮＢ４５が送信したＲＲＣ接続設定要求を受信する。さらに、ＵＥ１０は、ＭＭＥ４０が送信し、ｅＮＢ４５が転送したデフォルトＥＰＳベアラコンテキストアクティブ化要求を受信する。
【０４１２】
ＵＥ１０はＲＲＣ接続設定要求の受信に基づいて、ｅＮＢ４５にＲＲＣ接続設定完了（RRC Connection Reconfiguration Complete）を送信する（Ｓ２１１８）。
【０４１３】
ｅＮＢ４５は、ＵＥ１０が送信したＲＲＣ接続設定完了を受信する。ｅＮＢ４５は、ＲＲＣ接続設定完了に基づいて、ＭＭＥ４０にベアラ設定を送信する。
【０４１４】
ＭＭＥ４０は、ｅＮＢ４５が送信したベアラ設定を受信する（Ｓ２１２０）。
【０４１５】
ＵＥ１０はデフォルトＥＰＳベアラコンテキストアクティブ化要求の受信及び／又はデフォルトＥＰＳベアラコンテキストアクティブ化要求に含まれる第７の識別情報に基づいて、ＭＭＥ４０にデフォルトＥＰＳベアラコンテキストアクティブ化受諾（Activate default EPS bearer context accept）を送信する（Ｓ２１２２）（Ｓ２１２４）。
【０４１６】
ＵＥ１０は、少なくともデフォルトＥＰＳベアラコンテキストアクティブ化受諾メッセージＩＤ（Activate default EPS bearer context accept message identity）及びプロシージャトランザクションＩＤ及びプロトコル識別子及びＥＰＳベアラＩＤをデフォルトＥＰＳベアラコンテキストアクティブ化受諾に含めて送信してもよい。
【０４１７】
さらに、ＰＣＯをデフォルトＥＰＳベアラコンテキストアクティブ化受諾に含めてもよい。
【０４１８】
さらに、第７の識別情報に複数のＩＮＦＯＭオペレーションモードが含まれている場合には、ＵＥ１０は、少なくとも第５の識別情報をデフォルトＥＰＳベアラコンテキストアクティブ化受諾に含めてもよい。言い換えると、複数のＩＮＦＯＭオペレーションモードが許可されている場合には、ＵＥ１０は、許可されているモードのうちの一つを選択し、第５の識別情報に含めて送信してもよい。ここで、第５の識別情報は、ＵＥ１０が確立を要求するマルチアクセスＰＤＮコネクションのＮＢＩＦＯＭオペレーションモードを表すＭｏｄｅ  Ｉｎｄｉｃａｔｉｏｎであってもよい。なお、ＵＥ１０は、第５の識別情報に、ＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【０４１９】
具体的には、ＵＥ１０は、デフォルトＥＰＳベアラコンテキストアクティブ化要求に含まれる第７の識別情報にＵＥ−Ｉｎｉｔｉａｔｅｄ  ｍｏｄｅ及びＮｅｔｗｏｒｋ−Ｉｎｉｔｉａｔｅｄ  ｍｏｄｅが含まれている場合、第５の識別情報にＵＥ−Ｉｎｉｔｉａｔｅｄ  ｍｏｄｅ又はＮｅｔｗｏｒｋ−Ｉｎｉｔｉａｔｅｄ  ｍｏｄｅを含めてもよい。
【０４２０】
ＵＥ−Ｉｎｉｔｉａｔｅｄ  ｍｏｄｅとＮｅｔｗｏｒｋ−Ｉｎｉｔｉａｔｅｄ  ｍｏｄｅのどちらを第５の識別情報に含めるかは、ＵＥポリシーに基づいて決定してもよい。
【０４２１】
なお、ＵＥポリシーは、ＵＥ１０に設定された情報であればよい。例えば、ＵＥポリシーはユーザによって設定された情報であってよい。
【０４２２】
ここで、デフォルトＥＰＳベアラコンテキストアクティブ化受諾メッセージＩＤはデフォルトＥＰＳベアラコンテキストアクティブ化受諾メッセージを表すメッセージタイプであってよい。
【０４２３】
マルチアクセスＰＤＮ接続手続きの完了により、ＵＥ１０とＰＧＷ３０は、オペレータポリシーによって決定されたオペレーションモードの第１のＰＤＮコネクションを確立する。もしくは、ＵＥ１０は、オペレータポリシーによって許可されたオペレーションモードのうちの一つから選択したオペレーションモードの第１のＰＤＮコネクションを確立する。なお、ＵＥ１０は、デフォルトＥＰＳベアラコンテキストアクティブ化要求の受信、及び／又はＰＤＮコネクション属性情報、及び／又は第７の識別情報、及び／又は第７の識別情報に基づいて選択するオペレーションモードに基づいて、確立したＰＤＮコネクションに対するＮＢＩＦＯＭオペレーションモードを識別してもよい。第１のＰＤＮコネクションの確立に基づき、ＵＥ１０及びＰＧＷ３０は、ＴＦＴを用いてＩＰフローを送受信するＰＤＮコネクション及び／又はＥＰＳベアラ等の転送路を決定し、ＴＦＴで識別されるＩＰフローに対応するユーザデータを送受信する。より具体的には、ＵＥ１０及びＰＧＷ３０は、ＴＦＴで識別されるフローを第１のＰＤＮコネクションを用いて送受信する。
【０４２４】
なお、マルチアクセスＰＤＮ接続手続きの例では、ＴＦＴの送受信をＰＤＮ接続手続きに含める場合について説明したが、これに限らず、ＴＦＴの送受信は、マルチアクセスＰＤＮコネクションの確立後に実行してもよい。
【０４２５】
したがって、ＵＥ１０及びＭＭＥ４０は、ＴＦＴをＰＤＮ接続要求及び／又はデフォルトＥＰＳベアラコンテキストアクティブ化要求に含めずに送受信し、マルチアクセスＰＤＮコネクションを確立してもよい。言い換えると、ＰＤＮコネクションを確立した時点では、ＰＤＮコネクションを用いてユーザデータを送受信するＩＰフローは無い状態であってよい。その場合、ＵＥ１０及びＭＭＥ４０は、マルチアクセスＰＤＮコネクションを確立後にＴＦＴを送信する。
【０４２６】
より具体的には、ＵＥ−Ｉｎｉｔｉａｔｅｄ  ｍｏｄｅのＰＤＮコネクションを確立した場合には、ＵＥ１０はｅＮＢ４５を介してＭＭＥ４０にＴＦＴを送信してもよい。さらに、ＭＭＥ４０は、ＴＦＴをＵＥ１０から受信し、ＳＧＷ３５を介してＰＧＷ３０に送信する。これにより、ＵＥ１０とＰＧＷ３０は、ＴＦＴを用いてＩＰフローを送受信するＰＤＮコネクション及び／又はＥＰＳベアラ等の転送路を決定し、ＴＦＴで識別されるＩＰフローに対応するユーザデータを送受信することができる。
【０４２７】
一方で、Ｎｅｔｗｏｒｋ−Ｉｎｉｔｉａｔｅｄ  ｍｏｄｅのＰＤＮコネクションを確立した場合には、ＰＧＷ３０はＳＧＷ３５を介してＭＭＥ４０にＴＦＴを送信してもよい。ここで、ＰＧＷ３０は、オペレータポリシーに基づいて決定されるＴＦＴをＰＣＲＦ６０から受信してもよい。さらに、ＭＭＥ４０は、ＴＦＴをＳＧＷ３５を介してＰＧＷ３０から受信し、ｅＮＢ４５を介してＵＥ１０に送信する。これにより、ＵＥ１０とＰＧＷ３０は、ＴＦＴを用いてＩＰフローを送受信するＰＤＮコネクション及び／又はＥＰＳベアラ等の転送路を決定し、ＴＦＴで識別されるＩＰフローに対応するユーザデータを送受信することができる。
【０４２８】
また、マルチアクセスＰＤＮ接続手続きの例では、ＵＥ１０とＰＧＷ３０とが、オペレータポリシーによって決定されたオペレーションモード、もしくは、オペレータポリシーによって許可されたオペレーションモードのうちの一つからＵＥ１０が選択したオペレーションモードの第１のＰＤＮコネクションを確立する場合について説明したが、これに限らず、ＵＥ１０は、第１のＰＤＮコネクションの確立を拒絶してもよい。
【０４２９】
例えば、ＵＥ１０が、オペレータポリシーによって許可されたオペレーションモードをサポートしていない場合、及び／又は、オペレータポリシーによって許可されたオペレーションモードがＵＥ１０のポリシーに沿わない場合に、ＵＥ１０は、第１のＰＤＮコネクションの確立を拒絶してもよい。
【０４３０】
より詳細には、ＵＥ１０は、デフォルトＥＰＳベアラコンテキストアクティブ化要求の受信及び／又はデフォルトＥＰＳベアラコンテキストアクティブ化要求に含まれる第７の識別情報及び／又はＰＤＮコネクション属性情報及び／又はＵＥ１０のポリシーに基づいて、ｅＮＢ４５を介してＭＭＥ４０にデフォルトＥＰＳベアラコンテキストアクティブ化拒絶（Activate default EPS bearer context reject）を送信してもよい。
【０４３１】
ＵＥ１０は、少なくともデフォルトＥＰＳベアラコンテキストアクティブ化拒絶メッセージＩＤ（Activate default EPS bearer context reject message identity）及びプロシージャトランザクションＩＤ及びプロトコル識別子及びＥＰＳベアラＩＤ及びＥＳＭ  ＣａｕｓｅをデフォルトＥＰＳベアラコンテキストアクティブ化拒絶に含めて送信してもよい。さらに、ＵＥ１０はデフォルトＥＰＳベアラコンテキストアクティブ化拒絶に第４の識別情報をさらに含めてもよい。さらに、ＵＥ１０はデフォルトＥＰＳベアラコンテキストアクティブ化拒絶にＰＣＯをさらに含めてもよい。なお、ＵＥ１０は第４の識別情報をＰＣＯに含めて送信してもよい。
【０４３２】
第４の識別情報は、ＵＥ１０がオペレータポリシーによって許可されたオペレーションモードをサポートしていないことを表す情報及び／又はオペレータポリシーによって許可されたオペレーションモードがＵＥ１０のポリシーに沿わないことを表す情報であってよい。
【０４３３】
デフォルトＥＰＳベアラコンテキストアクティブ化拒絶メッセージＩＤはデフォルトＥＰＳベアラコンテキストアクティブ化拒絶メッセージを表すメッセージタイプであってよい。
【０４３４】
ＥＳＭ  Ｃａｕｓｅは、デフォルトＥＰＳベアラコンテキストアクティブ化要求が拒絶された理由を表す情報であってよい。ここで、ＵＥ１０は、第４の識別情報をＥＳＭ  Ｃａｕｓｅに含めてもＵＥ１０に通知してもよい。
【０４３５】
ＭＭＥ４０は、ＵＥ１０が送信したデフォルトＥＰＳベアラコンテキストアクティブ化拒絶を受信してもよい。ＭＭＥ４０は、デフォルトＥＰＳベアラコンテキストアクティブ化拒絶の受信及び／又はデフォルトＥＰＳベアラコンテキストアクティブ化拒絶に含まれる第４の識別情報をもとに、ＭＭＥ４０が保有する確立したＰＤＮコネクションに関してのＥＰＳベアラコンテキストを削除してもよい。ｓらに、ＭＭＥ４０は、ＳＧＷ３５にデフォルトＥＰＳベアラコンテキストアクティブ化拒絶に含まれる第４の識別情報を送信してもよい。
【０４３６】
ＳＧＷ３５は、ＭＭＥ４０が送信した第４の識別情報を受信してもよい。ＳＧＷ３５は、第４の識別情報の受信及び／又はオペレータポリシーに基づいて、ＳＧＷ３５が保有する確立したＰＤＮコネクションに関してのＥＰＳベアラコンテキストを削除してもよい。さらに、ＳＧＷ３５は、ＰＧＷ３０にＭＭＥ４０から受信した第４の識別情報を送信してもよい。
【０４３７】
ＰＧＷ３０は、ＳＧＷ３５が送信した第４の識別情報を受信してもよい。ＰＧＷ３０は、第４の識別情報の受信及び／又はオペレータポリシーに基づいて、ＰＧＷ３０が保有する確立したＰＤＮコネクションに関してのＥＰＳベアラコンテキストを削除してもよい。
【０４３８】
また、ＰＧＷ３０は第４の情報の受信をもとに、ＰＣＲＦ６０との間でＩＰ−ＣＡＮセッション更新手続きを実行してもよい。ＰＧＷ３０は、ＩＰ−ＣＡＮセッション更新手続きに第４の識別情報を含めてもよい。
【０４３９】
ＰＣＲＦ６０は、ＩＰ−ＣＡＮセッション更新手続きに基づいて、オペレータポリシーを変更してもよい。なお、ＰＧＷ３０は、オペレータポリシーの変更に基づき、ＰＧＷ３０が保有する確立したＰＤＮコネクションに関してのＥＰＳベアラコンテキストを削除してもよい。
【０４４０】
［１．３．２．追加アタッチ手続き］
ＵＥ１０はアクセスネットワークＡを介したマルチアクセスＰＤＮコネクションの確立及びマルチアクセスＰＤＮコネクションのオペレーションモードに基づいて、追加アタッチ手続きを実行してよい。
【０４４１】
具体的には、アクセスネットワークＡを介したマルチアクセスＰＤＮコネクションの確立完了及び、アクセスネットワークＢを介したシングルアクセスＰＤＮコネクションの確立に基づき、ＵＥ１０は追加アタッチ手続きを実行してもよい。
【０４４２】
又は、更にマルチアクセスＰＤＮコネクションのオペレーションモードがＮｅｔｗｏｒｋ−Ｉｎｉｔｉａｔｅｄ  ｍｏｄｅであることに基づき、ＵＥ１０は追加アタッチ手続きを実行してもよい。
【０４４３】
又は、マルチアクセスＰＤＮコネクションのオペレーションモードがＵＥ−Ｉｎｉｔｉａｔｅｄ  ｍｏｄｅであり、更にＵＥポリシーに基づいて、ＵＥ１０は追加アタッチ手続きを実行してもよい。
【０４４４】
以下、追加アタッチ手続きを図１８を用いて説明する。ＵＥ１０は、まず、ＴＷＡＧ７４にＰＤＮ接続要求（PDN connectivity request）を送信する（Ｓ２４０２）。ＵＥ１０は、少なくともＰＤＮ接続要求メッセージＩＤ（PDN connectivity request message identity）及びプロシージャトランザクションＩＤ（Procedure transaction identity）及びリクエストタイプ（Request type）及びＰＤＮタイプ（PDN type）を含めてＰＤＮ接続要求を送信してもよい。さらに、ＵＥ１０は、少なくとも第８の識別情報及び／又は第６の識別情報及び／又はＰＤＮコネクションＩＤ（PDN connection ID）をＰＤＮ接続要求に含めてもよい。さらに、ＵＥ１０は、ＡＰＮ（Access Point Name）及び／又はＰＣＯ（Protocol Configuration Options）及び／又はＴＦＴ（Traffic Flow Templates）をＰＤＮ接続要求に含めてもよい。なお、ＵＥ１０は、第８の識別情報及び／又は第６の識別情報及び／又はＰＤＮコネクションＩＤ及び／又はＴＦＴをＰＣＯに含めて送信してもよい。
【０４４５】
ここで、第８の識別情報は、ＵＥ１０がＮＢＩＦＯＭをサポートしていることを表すＵＥ  ＮＢＩＦＯＭ  ｃａｐａｂｉｌｉｔｙであってよい。なお、ＮＢＩＦＯＭ  ｃａｐａｂｉｌｉｔｙとは、マルチアクセスＰＤＮコネクションを確立する機能を有することを示す情報であってよい。
【０４４６】
さらに、第６の識別情報は、マルチアクセスＰＤＮコネクションのＮＢＩＦＯＭオペレーションモードを決定することを要求することを表すＲｅｑｕｅｓｔ  ＮＢＩＦＯＭであってよい。及び／又は、第６の識別情報は、確立するマルチアクセスＰＤＮコネクションに対して許可されるＮＢＩＦＯＭオペレーションモードを要求することを表す情報であってよい。
【０４４７】
このように、ＵＥ１０は、第８の識別情報及び／又は第６の識別情報を含めてＰＤＮ接続要求を送信することにより、ＵＥ１０が特定のＮＢＩＦＯＭオペレーションモードを要求することなくマルチアクセスＰＤＮコネクションの確立を要求してもよい。
【０４４８】
ＰＤＮ接続要求メッセージＩＤは、ＰＤＮ接続要求メッセージを表すメッセージタイプであってよい。
【０４４９】
プロシージャトランザクションＩＤはＰＤＮ接続手続きを識別する情報であってよい。
【０４５０】
ＡＰＮはＵＥ１０が接続を要求するＡＰＮであってよい。より具体的には、ＡＰＮは、ＡＰＮ１であってもよい。ＵＥ１０は、マルチアクセスＰＤＮコネクションを確立するために、ＡＰＮ１を含めてもよい。ここで、ＡＰＮ１はマルチアクセスＰＤＮコネクションの確立が許可されたＡＰＮ、及び／又はＮＢＩＦＯＭに基づく通信が許可されたＡＰＮであってよい。さらに、ＡＰＮは第１のＰＤＮコネクションを識別する識別情報であってよい。
【０４５１】
ＰＤＮコネクションＩＤは、ＰＤＮ接続手続きにおいてＰＧＷ３０がＰＤＮコネクションを確立する際に割り当てたＩＤであってよく、ＵＥ１０がＰＧＷ３０と確立するＰＤＮコネクションを一意に識別する情報であってよい。さらに、ＰＤＮコネクションＩＤは第１のＰＤＮコネクションを識別する識別情報であってよい。ＰＤＮコネクションＩＤはＡＰＮと対応づけられていてよい。
【０４５２】
なお、ＵＥ１０はＡＰＮ及び／又はＰＤＮコネクションＩＤを用いて、第１のＰＤＮコネクションを識別してもよい。
【０４５３】
リクエストタイプは、要求するＰＤＮ接続手続きの種類を識別する情報であってよい。例えば、ＵＥ１０はＡＰＮ１を用いて初期接続を行うことから、リクエストタイプは、ハンドオーバーを示すタイプではなくアタッチを示すタイプであってよい。
【０４５４】
ＰＤＮタイプは、利用可能なＩＰバージョンを示すもであってよい。例えば、ＰＤＮタイプはＩＰｖ４であってよく、ＩＰｖ６であってもよく、ＩＰｖ４ｖ６であってもよい。  ＰＣＯは、ＰＤＮコネクションと関連付けられたプロトコル情報であってよい。また、ＰＣＯは、要求の識別情報を含めてもよい。なお、ＵＥ１０は第８の識別情報をＰＣＯに含めて送信してもよい。
【０４５５】
ＴＦＴは、本ＰＤＮ接続手続きで確立するＰＤＮコネクションを用いて通信を行うＩＰフローを識別するための情報であってよい。なお、識別するＩＰフローは、アプリケーション単位で異なるものであってよい。したがって、ＴＦＴにより、特定のアプリケーションのユーザデータを識別することができる。
【０４５６】
より具体的には、ＴＦＴは、５タプルで構成されてもよいし、アプリケーションＩＤ等の識別情報で構成されてもよい。なお、５タプルは、送信元ＩＰアドレス、送信先ＩＰアドレス、送信元ポート番号、送信先ポート番号、プロトコル番号のいずれか一つ以上の情報を組み合わせて構成されてよい。
【０４５７】
なお、本例では、ＰＤＮ接続要求の送信に伴い、ＵＥ１０は特定のＮＢＩＦＯＭオペレーションモードを要求していないため、ＵＥ１０はＰＤＮ接続要求にＴＦＴを含めずに送信してもよい。言い換えると、ＵＥ１０が特定のＮＢＩＦＯＭオペレーションモードを要求することなくマルチアクセスＰＤＮコネクションの確立を要求する場合には、ＵＥ１０はＰＤＮ接続要求にＴＦＴを含めずに送信してもよい。より具体的には、ＵＥ１０は第８の識別情報及び／又は第６の識別情報を含める場合には、ＴＦＴを含めずにＰＤＮ接続要求を送信してもよい。なお、従来より、ＵＥ１０はＰＣＯにＩＦＯＭ  ｓｕｐｐｏｒｔを示す情報を含めて送信することができる。ここで、ＩＦＯＭ  ｓｕｐｐｏｒｔとはＩＦＯＭ（ＩＰ  Ｆｌｏｗ  Ｍｏｂｉｌｉｔｙ）をサポートしていることを表す識別情報である。
【０４５８】
さらに、ＩＦＯＭとは、ＤＳＭＩＰｖ６（Ｄｕａｌ  Ｓｔａｃｋ  Ｍｏｂｉｌｅ  ＩＰｖ６）プロトコルを用いて、特定のＩＰフローの通信路を切り替える技術のことである。したがって、ＰＣＯにＩＦＯＭサポートを示す情報を含めることにより、ＵＥ１０は、特定のＩＰフローの通信を行うアクセスネットワークを切り替えることができる。
【０４５９】
本実施形態では、ＵＥ１０はＰＣＯに第８の識別情報及び第６の識別情報を含める場合には、ＩＦＯＭ  ｓｕｐｐｏｒｔを含めない。逆に、ＵＥ１０はＰＣＯにＩＦＯＭ  ｓｕｐｐｏｒｔを含める場合には、第８の識別情報及び／又は第６の情報を含めない。このように、第８の識別情報とＩＦＯＭ  ｓｕｐｐｏｒｔの両方を同時に有効に設定しないことにより、ＮＢＩＦＯＭに基づいた通信路の切り替えと、ＩＦＯＭに基づいた通信路の切り替えのどちらを用いるかを明確にするよう設定してもよい。
【０４６０】
これにより、ＵＥ１０は、単一のＰＤＮコネクション確立手続きにより、ＩＦＯＭをサポートしたＰＤＮコネクションもしくはＮＢＩＦＯＭをサポートしたＰＤＮコネクションのいずれか一方を確立することができる。言い換えると、単一のＰＤＮコネクションは、ＮＢＩＦＯＭをサポートしたＰＤＮコネクションか、ＩＦＯＭをサポートしたＰＤＮコネクションか、シングルアクセスＰＤＮコネクションかのいずれかである。
【０４６１】
ＴＷＡＧ７４は、ＵＥ１０が送信したＰＤＮ接続要求を受信する。ＴＷＡＧ７４はＰＤＮ接続要求の受信及び／又は、及び／又はＰＤＮ接続要求に含まれる第８の識別情報及び／又は第６の識別情報に基づいて、ＰＧＷ３０にセッション生成要求を送信する（Ｓ２４０４）。
【０４６２】
ＴＷＡＧ７４は、ＰＤＮ接続要求の受信及び／又はＰＤＮ接続要求に含まれる第８の識別情報及び／又は第６の識別情報に基づいて、少なくとも第８の識別情報及び／又は第６の識別情報をセッション生成要求に含めて送信してもよい。さらに、ＴＷＡＧ７４は、ＵＥ１０が送信するＴＦＴの受信に基づいて、ＴＦＴをセッション生成要求に含めてもよい。
【０４６３】
さらに、ＴＷＡＧ７４は、ＵＥ１０が送信するＡＰＮ及び／又はＰＤＮコネクションＩＤの受信に基づいて、ＡＰＮ及び／又はＰＤＮコネクションＩＤをセッション生成要求に含めてもよい。なお、ＴＷＡＧ７４は受信したＡＰＮ及び／又はＰＤＮコネクションＩＤを用いて、第１のＰＤＮコネクションを識別してもよい。
【０４６４】
また、ＴＦＴは、本ＰＤＮ接続手続きで確立するＰＤＮコネクションを用いて通信を行うＩＰフローを識別するための情報であってよい。なお、識別するＩＰフローは、アプリケーション単位で異なるものであってよい。したがって、ＴＦＴにより、特定のアプリケーションのユーザデータを識別することができる。
【０４６５】
より具体的には、ＴＦＴは、５タプルで構成されてもよいし、アプリケーションＩＤ等の識別情報で構成されてもよい。なお、５タプルは、送信元ＩＰアドレス、送信先ＩＰアドレス、送信元ポート番号、送信先ポート番号、プロトコル番号のいずれか一つ以上の情報を組み合わせて構成されてよい。
【０４６６】
なお、ＴＷＡＧ７４は、ＰＤＮ接続要求に第８の識別情報と第６の識別情報のいずれの識別情報も含まれない場合は、第８の識別情報及び／又は第６の識別情報を含めずにセッション生成要求を送信してもよい。また、ＴＷＡＧ７４は、ＰＤＮ接続要求に第８の識別情報及び／又は第６の識別情報が含まれない場合はシングルアクセスＰＤＮコネクションを確立する手続きを実行してもよい。
【０４６７】
ＰＧＷ３０は、ＴＷＡＧ７４が送信したセッション生成要求を受信する。ＰＧＷ３０は、セッション生成要求の受信及び／又はセッション生成要求に含まれる第８の識別情報及び／又は第６の識別情報に基づいて、ＰＣＲＦ６０との間でのＩＰ−ＣＡＮセッション更新手続きを実行してもよい。
【０４６８】
ＰＧＷ３０は、セッション生成要求の受信及び／又はセッション生成要求に含まれる第８の識別情報及び／又は第６の識別情報に基づいて、少なくとも第８の識別情報及び／又は第６の識別情報をＩＰ−ＣＡＮセッション更新手続きに含めて実行してもよい。
【０４６９】
さらに、ＰＧＷ３０は、ＴＷＡＧ７４が送信するＡＰＮ及び／又はＰＤＮコネクションＩＤの受信に基づいて、受信したＡＰＮ及び／又はＰＤＮコネクションＩＤを用いて、第１のＰＤＮコネクションを識別してもよい。
【０４７０】
なお、ＰＧＷ３０はＰＣＲＦ６０にＵＥ１０及び／又はＴＷＡＧ７４の情報を通知するためにＩＰ−ＣＡＮセッション更新手続きを実行してもよい。
【０４７１】
ＰＧＷ３０は、確立するＰＤＮコネクションがマルチアクセスＰＤＮコネクションであるか、シングルアクセスＰＤＮコネクションであるかを示す情報及び／又は第８の識別情報及び／又は第６の識別情報をＩＰ−ＣＡＮセッション手続き内の制御メッセージに含めてＰＣＲＦ６０に送信してもよい。
【０４７２】
より具体的には、マルチアクセスＰＤＮコネクションを確立する場合には、ＰＧＷ３０は、アクセスネットワークＢを示す情報と、ＰＤＮコネクションＩＤと、ＰＤＮコネクションがマルチアクセスＰＤＮコネクションであることを示す情報と、第８及び／又は第６の識別情報をＰＣＲＦ６０に送信する。もしくは、シングルアクセスＰＤＮコネクションを確立する場合には、ＰＧＷ３０は、アクセスネットワークＢを示す情報と、ＰＤＮコネクションＩＤと、ＰＤＮコネクションがシングルアクセスＰＤＮコネクションであることを示す情報とをＰＣＲＦ６０に送信する。
【０４７３】
なお、ＰＤＮコネクションＩＤは、ＰＤＮ接続手続きにおいてＰＧＷ３０がＰＤＮコネクションを確立する際に割り当てたＩＤであってよく、ＵＥ１０がＰＧＷ３０と確立するＰＤＮコネクションを一意に識別する情報であってよい。
【０４７４】
さらに、ＰＣＲＦ６０は、第８の識別情報及び／又は第６の識別情報の受信に基づいて、ＰＧＷ３０との間でＩＰ−ＣＡＮセッション更新手続き内の制御メッセージに少なくとも第７の識別情報を含めてＰＧＷ３０に送信してもよい。なお、第７の識別情報の詳細説明は後述する。
【０４７５】
なお、ＰＣＲＦ６０はＰＧＷ３０に課金情報及び／又はＱｏＳ制御情報及び／又はルーティング情報を通知するためにＩＰ−ＣＡＮセッション更新手続きを実行してもよい。
【０４７６】
ＰＧＷ３０はセッション生成要求の受信又はＩＰ−ＣＡＮセッション更新手続きの完了及び／又は、セッション生成要求に含まれる第８の識別情報及び／又は第６の識別情報及び／又は、ＩＰ−ＣＡＮセッション更新手続きに含まれる第７の識別情報に基づいて、ＴＷＡＧ７４にセッション生成応答を送信する（Ｓ２４０６）。
【０４７７】
ＰＧＷ３０は、セッション生成要求の受信又はＩＰ−ＣＡＮセッション更新手続きの完了及び／又は、セッション生成要求に含まれる第８の識別情報及び／又は第６の識別情報及び／又は、ＩＰ−ＣＡＮセッション更新手続きに含まれる第７の識別情報に基づいて、少なくとも第７の識別情報をセッション生成応答に含めて送信してもよい。
【０４７８】
さらに、ＰＧＷ３０はセッション生成応答にＰＤＮアドレス（PDN Address）及び／又はＰＤＮコネクションＩＤ及び／又はＴＦＴを含めてもよい。
【０４７９】
なお、ＰＧＷ３０が第７の識別情報を取得する方法は、これまで説明したＩＰ−ＣＡＮセッション更新手続きにおいてＰＣＲＦ６０から取得する方法に限らず、別の例であってもよい。例えば、ＰＧＷ３０はＩＰ−ＣＡＮセッション更新手続きにおいてＰＣＲＦ６０から取得せず、ＰＧＷ３０第７の識別情報を生成し、セッション生成応答に含めて送信してもよい。
【０４８０】
ここで、第７の識別情報は、確立するマルチアクセスＰＤＮコネクションに対して許可されたＮＢＩＦＯＭオペレーションモードを表すＡｌｌｏｗｅｄ  Ｍｏｄｅであってよい。言い換えると、第７の識別情報はオペレータによって許可されたオペレーションモードであってよい。
【０４８１】
なお、ＰＣＲＦ６０又はＰＧＷ３０は、Ａｌｌｏｗｅｄ  Ｍｏｄｅをオペレータポリシーに基づいて第７の識別情報を決定してもよい。例えば、ＵＥ−Ｉｎｉｔｉａｔｅｄ  ｍｏｄｅのＰＤＮコネクションのみ確立を許すポリシーや、Ｎｅｗｔｏｒｋ−Ｉｎｉｔｉａｔｅｄ  ｍｏｄｅのＰＤＮコネクションのみ確立を許すポリシーや、両方のモードの確立を許すポリシーや、両方のモードの確立を禁止するポリシー等を管理してよい。
【０４８２】
なお、ＰＣＲＦ６０又はＰＧＷ３０は、オペレータポリシーをＨＳＳ５０等から取得してもよい。もしくは、オペレータポリシーは管理者により生成されたものを保存してもよい。
【０４８３】
さらに、オペレータポリシーは、加入者毎に異なるポリシーを管理してもよい。もしくは、ＡＰＮ毎に異なるポリシーを管理してもよい。例えば、ＡＰＮ毎に確立するＰＤＮコネクションに対して異なるＡｌｌｏｗｅｄ Ｍｏｄｅが管理されていてもよい。
【０４８４】
ＰＣＲＦ６０又はＰＧＷ３０は、Ａｌｌｏｗｅｄ  Ｍｏｄｅに基づいて、許可されているオペレーションモードを第７の識別情報に含めてもよい。
【０４８５】
言い換えると、ＰＣＲＦ６０又はＰＧＷ３０はＮｅｔｗｏｒｋ−Ｉｎｉｔｉａｔｅｄ  ｍｏｄｅのみが許可されている場合には、第７の識別情報にＮｅｔｗｏｒｋ−Ｉｎｉｔｉａｔｅｄ  ｍｏｄｅを含めてもよい。若しくは、ＵＥ−Ｉｎｉｔｉａｔｅｄ  ｍｏｄｅのみ許可されている場合には、第７の識別情報にＵＥ−Ｉｎｉｔｉａｔｅｄ  ｍｏｄｅを含めてもよい。
【０４８６】
なお、ＵＥ−Ｉｎｉｔｉａｔｅｄ  ｍｏｄｅとＮｅｔｗｏｒｋ−Ｉｎｉｔｉａｔｅｄ  ｍｏｄｅの両方が許可されている場合には、第７の識別情報は両方のオペレーションモードを含めてもよい。若しくは、ＵＥ−Ｉｎｉｔｉａｔｅｄ  ｍｏｄｅとＮｅｔｗｏｒｋ−Ｉｎｉｔｉａｔｅｄ  ｍｏｄｅの両方が許可されており、且つデフォルトのオペレーションモードが設定されている場合には、第７の識別情報はデフォルトのオペレーションモードのみ含めてもよい。なお、ＵＥ−Ｉｎｉｔｉａｔｅｄ  ｍｏｄｅとＮｅｔｗｏｒｋ−Ｉｎｉｔｉａｔｅｄ  ｍｏｄｅのどちらをデフォルトのオペレーションモードとするかは、オペレータポリシーに基づいて設定されてよい。
【０４８７】
なお、全てのオペレーションモードのＰＤＮコネクションの確立が許可されてない場合には、ＰＣＲＦ６０は、要求したオペレーションモードは許可されないモードであることを示す理由情報（Requested オペレーションモード is not allowed）をＰＧＷ３０に送信してもよい。
【０４８８】
全てのオペレーションモードのＰＤＮコネクションの確立が許可されてない場合には、ＰＧＷ３０は、第７の識別情報をＴＷＡＧ７４に通知しなくてもよい。
【０４８９】
全てのオペレーションモードのＰＤＮコネクションの確立が許可されてない場合には、ＰＧＷ３０は、要求したオペレーションモードは許可されないモードであることを示す理由情報（Requested オペレーションモード is not allowed）をセッション生成応答に含めてＴＷＡＧ７４に送信してもよい。
【０４９０】
全てのオペレーションモードのＰＤＮコネクションの確立が許可されてない場合には、ＰＧＷ３０は、許可されたオペレーションが無いことをＴＷＡＧ７４に通知してもよい。
【０４９１】
このように、Ａｌｌｏｗｅｄ  Ｍｏｄｅに基づいて、ＰＣＲＦ６０又はＰＧＷ３０は,ＰＤＮコネクションの確立が許可されたオペレーションモードを、第７の識別情報としてもよい。
【０４９２】
なお、第７の識別情報にＮｅｔｗｏｒｋ−Ｉｎｉｔｉａｔｅｄ  ｍｏｄｅが含まれない場合には、ＰＣＲＦ６０はＰＧＷ３０にＴＦＴを送信しなくてもよい。
【０４９３】
言い換えると、なお、第７の識別情報にＮｅｔｗｏｒｋ−Ｉｎｉｔｉａｔｅｄ  ｍｏｄｅが含まれる場合にのみ、ＰＣＲＦ６０はＰＧＷ３０にＴＦＴを送信してもよい。
【０４９４】
なお、第７の識別情報にＮｅｔｗｏｒｋ−Ｉｎｉｔｉａｔｅｄ  ｍｏｄｅが含まれない場合には、ＰＧＷ３０はＴＷＡＧ７４にＴＦＴを送信しなくてもよい。したがって、この場合には、ＰＧＷ３０はＴＦＴをセッション生成応答に含めなくてもよい。
【０４９５】
言い換えると、なお、第７の識別情報にＮｅｔｗｏｒｋ−Ｉｎｉｔｉａｔｅｄ  ｍｏｄｅが含まれる場合にのみ、ＰＧＷ３０はＴＷＡＧ７４にＴＦＴを送信してもよい。したがって、この場合には、ＰＧＷ３０はＴＦＴをセッション生成応答に含めてもよい。
【０４９６】
ＰＤＮアドレスは、ＵＥ１０に割り当てられたＩＰアドレスであってよい。例えば、ＩＰｖ４アドレスであってよく、ＩＰｖ６アドレスを構築するためのＩＰｖ６プレフィックスとインターフェースＩＤであってよい。ここで、ＰＧＷ３０はＵＥ１０のＩＰアドレスを割り当ててもよい。さらに、ＰＧＷ３０は、ＵＥ１０に割り当てたＩＰアドレスをＰＤＮアドレスに含めてもよい。
【０４９７】
また、ＰＤＮコネクションＩＤは、ＵＥ１０とＰＧＷ３０の間で確立するＰＤＮコネクションを一意に識別するための情報であってよい。ＰＤＮコネクションＩＤは、ＰＧＷ３０によって割り当てられてもよく、ＭＭＥ４０によって割り当てられてもよい。言い換えると、ＰＧＷ３０がＰＤＮコネクションＩＤを割り当ててよい。
【０４９８】
ＴＷＡＧ７４は、ＰＧＷ３０が送信したセッション生成応答を受信する。ＴＷＡＧ７４はセッション生成応答の受信及び／又はセッション生成応答に含まれる第７の識別情報に基づいて、ＵＥ１０にＰＤＮ接続受諾を送信する（Ｓ２４０８）。
【０４９９】
ＴＷＡＧ７４は、セッション生成応答の受信及び／又はセッション生成応答に含まれる第７の識別情報に基づいて、少なくともＰＤＮ接続受諾メッセージＩＤ（PDN connectivity accept message identity）及びプロシージャトランザクションＩＤ及びＡＰＮ及びＰＤＮアドレス（PDN Address）及びＰＤＮコネクションＩＤ（PDN connection ID）及びユーザプレーンコネクションＩＤ（User Plane Connection ID）をＰＤＮ接続受諾に含めて送信してもよい。さらに、ＴＷＡＧ７４は、少なくとも第７の識別情報をＰＤＮ接続受諾に含めてもよい。さらに、ＴＷＡＧ７４は、ＰＣＯ及び／又はＣａｕｓｅ及び／又はＴＦＴ、及び／又はＰＤＮコネクション属性情報をＰＤＮ接続受諾に含めてもよい。なお、ＴＷＡＧ７４は第７の識別情報及び／又はＴＦＴをＰＣＯに含めて送信してもよい。
【０５００】
ここで、ＰＤＮ接続受諾メッセージＩＤはＰＤＮ接続受諾メッセージを表すメッセージタイプであってよい。
【０５０１】
ＡＰＮはＵＥ１０が接続を許可されたＡＰＮであってよい。より具体的には、ＡＰＮは、ＡＰＮ１であってもよい。ＡＰＮ１は、マルチアクセスＰＤＮコネクションを確立ことが許可されたＡＰＮであってもよい。ＴＷＡＧ７４はＡＰＮ１をＰＤＮ接続受諾に含めてもよい。
【０５０２】
ＰＤＮアドレスは、ＵＥ１０に割り当てられたＩＰアドレスであってよい。例えば、ＩＰｖ４アドレスであってよく、ＩＰｖ６アドレスを構築するためのインターフェースＩＤであってよい。
【０５０３】
ＰＤＮコネクションＩＤは、ＵＥ１０とＰＧＷ３０の間で確立するＰＤＮコネクションを一意に識別するための情報であってよい。ＰＤＮコネクションＩＤは、ＰＧＷ３０が割り当てたＩＤでもよく、ＴＷＡＧ７４が割り当てたＩＤでもよい。言い換えると、ＴＷＡＧ７４がＰＤＮコネクションＩＤを割り当ててもよい。
【０５０４】
ユーザプレーンコネクションＩＤは、ユーザプレーンを識別する情報である。ユーザプレーンは、ＰＤＮコネクションでユーザデータの転送に用いる転送路である。ＴＷＡＧ７４はユーザプレーンコネクションＩＤを割り当ててもよい。
【０５０５】
Ｃａｕｓｅは、ＵＥ１０に割り当てられたＰＤＮアドレスのＰＤＮタイプが、ＰＤＮ接続要求でＵＥ１０が要求したＰＤＮタイプと異なることを表す情報であってよい。
【０５０６】
なお、ＴＷＡＧ７４及び／又はＰＧＷ３０は、ＰＣＯに第７の識別情報を含めてよい。ただし、ＴＷＡＧ７４及び／又はＰＧＷ３０はＰＣＯに第７の識別情報を含める場合には、ＩＦＯＭ  ｓｕｐｐｏｒｔを含めない。逆に、ＴＷＡＧ７４及び／又はＰＧＷ３０は、ＰＣＯにＩＦＯＭ  ｓｕｐｐｏｒｔを含める場合には、第７の識別情報を含めない。このように、第７の識別情報とＩＦＯＭ  ｓｕｐｐｏｒｔの両方を同時に有効に設定しないことにより、ＮＢＩＦＯＭに基づいた通信路の切り替えと、ＩＦＯＭに基づいた通信路の切り替えのどちらを用いるかを明確にするよう設定してもよい。
【０５０７】
ＰＤＮコネクション属性情報は、本ＰＤＮ接続手続きで確立したＰＤＮコネクションがマルチアクセスＰＤＮコネクションであることを示す情報、及び／又は、本ＰＤＮ接続手続きで確立したＰＤＮコネクションを用いて送受信するユーザデータが、アクセスネットワークＡ及びアクセスネットワークＢを介して送受信することが許可されたことを示す情報、及び／又は、第７の識別情報の示すオペレーションモードが複数無い場合には、本ＰＤＮ接続手続きで確立したＰＤＮコネクションが第７の識別情報の示すオペレーションモードのマルチアクセスＰＤＮコネクションであることを示す情報であってよい。
【０５０８】
なお、ＵＥ１０は、ＰＤＮコネクションのタイプを示すコネクティビティタイプ及び／又はＷＬＡＮオフロードの可否を示すＷＬＡＮオフロード許可情報（ＷＬＡＮ  ｏｆｆｌｏａｄ  ａｃｃｅｐｔａｂｌｉｔｙ）をさらに含めてＰＤＮ接続受諾メッセージを送信してもよい。さらに、ＴＷＡＧ７４は、ＰＤＮコネクション属性情報を、コネクティビティタイプ又はＷＬＡＮオフロード許可情報に含めて送信してもよい。
【０５０９】
ＵＥ１０は、ＴＷＡＧ７４が送信したＰＤＮ接続受諾を受信する。ＵＥ１０はＰＤＮ接続受諾の受信及び／又はＰＤＮ接続受諾に含まれる第７の識別情報に基づいて、ＴＷＡＧ７４にＰＤＮ接続完了（PDN connectivity complete）を送信する（Ｓ２４１０）。ＵＥ１０は、少なくともＰＤＮ接続完了メッセージＩＤ（PDN connectivity complete）及びプロシージャトランザクションＩＤ及びＰＤＮコネクションＩＤをＰＤＮ接続完了に含めて送信してもよい。
【０５１０】
さらに、第７の識別情報に複数のＩＮＦＯＭオペレーションモードが含まれている場合には、ＵＥ１０は、少なくとも第５の識別情報をＰＤＮ接続完了に含めてもよい。言い換えると、複数のＩＮＦＯＭオペレーションモードが許可されている場合には、ＵＥ１０は、許可されているモードのうちの一つを選択し、第５の識別情報に含めて送信してもよい。
【０５１１】
ここで、第５の識別情報は、ＵＥ１０が確立を要求するマルチアクセスＰＤＮコネクションのＮＢＩＦＯＭオペレーションモードを表すＭｏｄｅ  Ｉｎｄｉｃａｔｉｏｎであってもよい。なお、ＵＥ１０は、第５の識別情報に、ＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【０５１２】
具体的には、ＵＥ１０は、ＰＤＮ接続受諾に含まれる第７の識別情報にＵＥ−Ｉｎｉｔｉａｔｅｄ  ｍｏｄｅ及びＮｅｔｗｏｒｋ−Ｉｎｉｔｉａｔｅｄ  ｍｏｄｅが含まれている場合、第５の識別情報にＵＥ−Ｉｎｉｔｉａｔｅｄ  ｍｏｄｅ又はＮｅｔｗｏｒｋ−Ｉｎｉｔｉａｔｅｄ  ｍｏｄｅを含めてもよい。
【０５１３】
ＵＥ−Ｉｎｉｔｉａｔｅｄ  ｍｏｄｅとＮｅｔｗｏｒｋ−Ｉｎｉｔｉａｔｅｄ  ｍｏｄｅのどちらを第５の識別情報に含めるかは、ＵＥポリシーに基づいて決定してもよい。なお、ＵＥポリシーは、ＵＥ１０に設定された情報であればよい。例えば、ＵＥポリシーはユーザによって設定された情報であってよい。
【０５１４】
ＰＤＮ接続完了メッセージＩＤはＰＤＮ接続完了メッセージを表すメッセージタイプであってよい。
【０５１５】
これにより、ＵＥ１０は追加のアタッチ手続きを完了する。
【０５１６】
つまり、ＵＥ１０は、第１のＰＤＮコネクションをアクセスネットワークＢを介して確立し、更に第２のＰＤＮコネクションをアクセスネットワークＡを介して確立したこと、及び第１のＰＤＮコネクションのオペレーションモードに基づいて、アクセスネットワークＢを介した追加の転送路を確立する事ができる。
【０５１７】
具体的には、ＵＥ１０は、第１のＰＤＮコネクションをアクセスネットワークＢを介して確立し、更に第２のＰＤＮコネクションをアクセスネットワークＡを介して確立したこと及び、第１のＰＤＮコネクションがＮｅｔｗｏｒｋ−Ｉｎｉｔｉａｔｅｄ  ｍｏｄｅであることに基づき、アクセスネットワークＢにＰＤＮ接続手続きを行い、ＴＷＡＧ７４を介した追加の転送路を確立する事ができる。なお、転送路はベアラ及び／又は通信路であってよい。
【０５１８】
より具体的には、ＵＥ１０はＰＤＮ接続手続きを行うことにより、ＡＰＮ１を用いて選択されるＰＧＷ＿ＡとＵＥ１０間の第１のＰＤＮ接続にアクセスネットワークＢを介した転送路を追加する事ができる。なお、転送路はベアラ及び／又は通信路であってよい。
【０５１９】
又は、ＵＥ１０は、第１のＰＤＮコネクションをアクセスネットワークＢを介して確立し、更に第２のＰＤＮコネクションをアクセスネットワークＡを介して確立したこと及び、ＵＥ−Ｉｎｉｔｉａｔｅｄ  ｍｏｄｅの第１のＰＤＮコネクションのルーティングルールに基づき、アクセスネットワークＢにＰＤＮ接続手続きを行い、ｅＮＢ４５を介した追加の転送路を確立する事ができる。なお、転送路はベアラ及び／又は通信路であってよい。
【０５２０】
具体的には、ＵＥ１０はＰＤＮ接続手続きを行うことにより、ＡＰＮ１を用いて選択されるＰＧＷ＿ＡとＵＥ１０間の第１のＰＤＮ接続にアクセスネットワークＢを介した転送路を追加する事ができる。なお、転送路はベアラ及び／又は通信路であってよい。
【０５２１】
［１．４．ＰＤＮ接続手続きを用いたフロー切り替え手続き例］
以下、第１のＰＤＮコネクションをフロー切り替えするための手続きの例を説明する。なお、本実施形態では、フロー切り替えとはＷＬＡＮアクセスネットワーク以外のアクセスネットワークを介した転送路から、ＷＬＡＮアクセスネットワークを介した転送路へフローを切り替える事であってもよい。又は、フロー切り替えとは第１のＰＤＮコネクションがＷＬＡＮアクセスネットワークを介した転送路を複数含む場合、転送路間でフローを切り替えることであってもよい。具体的には、第１のＰＤＮコネクションにＷＬＡＮアクセスネットワークを介した転送路Ａ転送路Ｂが含まれている場合、フロー切り替え手続きにより、転送路Ａを介したフローから転送路Ｂを介したフローに切り替えてもよい。
【０５２２】
なお、以下に本実施形態で定義する第１〜第４の識別情報を説明する。
【０５２３】
第１の識別情報とは、ルーティングルール（Ｒｏｕｔｉｎｇ  Ｒｕｌｅ）であってもよい。ルーティングルールはルーティングフィルタ（Ｒｏｕｔｉｎｇ  Ｆｉｌｔｅｒ）と、ルーティングアドレス（Ｒｏｕｔｉｎｇ  ａｄｄｒｅｓｓ）又はルーティングアクセスタイプ（Ｒｏｕｔｉｎｇ  ａｃｃｅｓｓ  ｔｙｐｅ）の対応付けを示す。この対応付けに基づき、３ＧＰＰのアクセスネットワークを介した通信路を用いるか、ＷＬＡＮのアクセスネットワークを介した通信路を用いるかが決定される。
【０５２４】
ここで、ルーティングアクセスタイプは、フローが経由するアクセスネットワークを示す。例えば、これは３ＧＰＰ、又はＷＬＡＮを示す。
【０５２５】
また、ルーティングアドレスは経由可能なＩＰアドレスを示す。例えば、ＳＧＷのＩＰアドレスであってもよい。又はＴＷＡＧ７４のＩＰアドレスであってもよい。又はＭＡＧ（Ｍｏｂｉｌｅ  Ａｃｃｅｓｓ  Ｇａｔｅｗａｙ）のＩＰアドレスであってもよい。
【０５２６】
ルーティングフィルタにはＩＰヘッダーを含めることでＩＰフローを切り替えてもよい。又は、ルーティングフィルタにアプリケーションＩＤを含めることで、アプリケーションごとにフローを切り替えてもよい。又は、ＴＦＴをルーティングフィルタに含めてもよい。
【０５２７】
ルーティングルールには複数のルールが記憶されていてもよい。更に、ルーティングルールは、各ルールに優先順位が含まれていてもよい。
【０５２８】
また、第２の識別情報は、ルーティングルールを更新することの要求を表す識別情報であってもよい。ＵＥ１０は第２の識別情報を含めたシグナリングをＴＷＡＧ７４及び／又はＭＭＥ４０に送信することで、ルーティングルールの変更を要求してもよい。言い換えると、ＴＷＡＧ７４及び／又はＭＭＥ４０はルーティングルールの受信及び／又はルーティングルールを含めるシグナリングをＵＥ１０から受信することに基づき、ＵＥ１０がルーティングルールの更新を要求していることを認証し、ＰＧＷ３０にセッション生成要求を送信してもよいし、ＵＥ１０に要求に対する応答を送信してもよい。
【０５２９】
また第３の識別情報はルーティングルールを更新することの要求を表す識別情報及びフラグであってもよい。ＴＷＡＧ７４及び／又はＭＭＥ４０はＰＧＷ３０に第３の識別情報をシグナリングに含めて送信することで、ルーティングルールの更新を要求してもよい。
【０５３０】
言い換えるとＰＧＷ３０はＭＭＥ４０及び／又はＴＷＡＧ７４から第３の識別情報を受信することに基づき、及び／又は第３の識別情報を含めるシグナリングを受信することに基づき、ＰＣＲＦ６０とＩＰ−ＣＡＮ更新手続きを実行してもよい。
【０５３１】
第４の識別情報は、ＮＢＩＦＯＭをサポートしたＰＤＮコネクションの確立要求が拒絶された理由を表すＮＢＩＦＯＭ  Ｒｅｊｅｃｔ  Ｃａｕｓｅであってもよい。
【０５３２】
第４の識別情報は、ＷＬＡＮアクセスの電波強度が低い事を示す情報、及び／又は、ＷＬＡＮアクセスの電波強度が特定の閾値を下回る事を示す情報、及び／又は、ＷＬＡＮアクセスのデータレートが低い事を示す情報、及び／又は、ＷＬＡＮアクセスのデータレートが特定の閾値より低い事を示す情報、及び／又は、ＷＬＡＮアクセスネットワークのアクセスポイントのチャネル利用効率が低い事を示す情報、又はＷＬＡＮアクセスネットワークのアクセスポイントのチャネル利用効率が特定の閾値より低い事を示す情報であってもよい。
【０５３３】
具体的に、ＷＬＡＮアクセスのデータレートが低いということは、上り通信（Ｕｐ  ｌｉｎｋ）及び／又は下り通信（Ｄｏｗｎ  ｌｉｎｋ）のバックフォールのデータレートが低い事であってもよい。
【０５３４】
ＷＬＡＮアクセスの電波強度の閾値及びＷＬＡＮアクセスのデータレートの閾値及びＷＬＡＮアクセスネットワークのアクセスポイントのチャネル利用効率の閾値は、ＵＥ１０が予め記憶、及び設定していてもよい。
【０５３５】
ＵＥ１０はＷＬＡＮアクセスのデータレート及びＷＬＡＮアクセスネットワークのアクセスポイントのチャネル利用効率はＷＬＡＮアクセスネットワークから取得してもよい。
【０５３６】
また、更に第４の識別情報は、ＴＷＡＧ７４又はＭＭＥ４０がＮＢＩＦＯＭをサポートしていないことを表す情報、及び／又は、ＴＷＡＧ７４及び／又はＭＭＥ４０がマルチアクセスＰＤＮコネクションを確立する機能を有さないことを表す情報、及び／又は、ＰＧＷ３０がＮＢＩＦＯＭをサポートしていないことを表す情報、及び／又は、ＰＧＷ３０がマルチアクセスＰＤＮコネクションを確立する機能を有さないことを表す情報、及び／又は、受信したＡＰＮがマルチアクセスＰＤＮコネクションの確立が禁止されたていることを表す情報、及び／又は、受信したＡＰＮがＮＢＩＦＯＭをサポートしていないことを表す情報であってもよい。
【０５３７】
［１．４．１．Ｎｅｔｗｏｒｋ−ｉｎｉｔｉａｔｅｄ  ｍｏｄｅにおけるＰＤＮ接続手続きを用いたフロー切り替え手続き例］
以下、第１のＰＤＮコネクションがＮｅｔｗｏｒｋ−ｉｎｉｔｉａｔｅｄ  ｍｏｄｅである場合に、コアネットワーク９０主導でフロー切り替えを行うための手続き例を示す。
【０５３８】
［１．４．１．１．第１のフロー切り替え手続き例］
第１のフロー切り替え手続き例を、図１６を用いて説明する。具体的には、前述の初期状態から、マルチアクセスＰＤＮコネクションのアクセスネットワークＡを介したＰＧＷ３０へのベアラを用いフローを、アクセスネットワークＢを介した転送路を用いたフローへ切り替えるための手続きであってもよい。
【０５３９】
まず、ＰＣＲＦ６０は、第１のＰＤＮコネクションのフロー切り替えの要求手続きの開始をする。フロー切り替え手続きの開始のトリガーは、例えばネットワーク内のトラフィックの状態の変更や、オペレータポリシーの変更であってもよい。
【０５４０】
具体的には、例えばＰＣＲＦ６０はアクセスネットワークＡ内のトラフィックの増加に伴い、アクセスネットワークＡを介したベアラを用いたＩＰフローを、アクセスネットワークＢを介した転送路を用いたＩＰフローに切り替えることをＵＥ１０に要求してもよい。
【０５４１】
ＰＣＲＦ６０はＰＧＷ３０にＩＰ−ＣＡＮ更新手続きを要求するためのメッセージを送信する（Ｓ１６０２）。メッセージには少なくとも、第１の識別情報が含まれる。
【０５４２】
第１の識別情報は、ＰＣＲＦ６０が要求するフロー切り替えを実現するためのルーティングルールである。言い換えれば、第１の識別情報は、特定のフローをＷＬＡＮアクセスネットワークに切り替える事を示すルーティングルールである。
【０５４３】
第１の識別情報には、変更を要求するフロー識別情報又はＴＦＴを含むルーティングフィルタとそれに対応するルーティングアドレス又はルーティングアクセスタイプを含めてもよい。
【０５４４】
ＰＧＷ３０はＰＣＲＦ６０から第１の識別情報の受信及び／又は第１の識別情報を含むメッセージの受信に伴い、ＴＷＡＧ７４にベアラ更新要求(update bearer request)を送信する(Ｓ１６０４)。
【０５４５】
ＰＧＷ３０はベアラ更新要求に、ベアラコンテキストを含めて送信してもよい。更に、ＰＧＷ３０は少なくとも第１の識別情報及び／又は第３の識別情報を含めてもよい。
【０５４６】
また、ＰＧＷ３０はベアラ更新要求にインディケーションフラグ(Indication flags)及び／又はＰＣＯ(Protocol Configuration Options)及び／又はＴＦＴを含めてもよい。なお、ＰＧＷ３０はインディケーションフラグに第３の識別情報を含めてもよい。また、ＰＣＯにＴＦＴを含めてもよい。
【０５４７】
ベアラコンテキストは更新するベアラに関連する情報群である。ベアラコンテキストには少なくともベアラ識別情報又は転送路識別情報が含まれる。またベアラコンテキストにＴＦＴ及び／又はベアラフラグが含まれてもよい。
【０５４８】
ベアラ識別情報又は転送路識別情報は、ベアラ又は転送路を識別するための識別情報である。ＰＧＷ３０はベアラ識別情報をベアラ更新要求に含めることで、更新を要求するベアラを識別する。
【０５４９】
また、ベアラフラグは、従来よりベアラレベルでのメッセージの指示を示すフラグである。ＰＧＷ３０はベアラフラグに第３の識別情報をふくめて送信してもよい。
【０５５０】
また、インディケーションフラグは、従来よりメッセージの指示を示すフラグである。ＰＧＷ３０はインディケーションフラグに第３の識別情報をふくめて送信してもよい。
【０５５１】
ＴＦＴは、本ＰＤＮ接続手続きで確立するＰＤＮコネクションを用いて通信を行うＩＰフローを識別するための情報であってもよい。なお、識別するＩＰフローは、アプリケーション単位で異なるものであってもよい。したがって、ＴＦＴにより、特定のアプリケーションのユーザデータを識別することができる。
【０５５２】
より具体的には、ＴＦＴは、５タプルで構成されてもよいし、アプリケーションＩＤ等の識別情報で構成されてもよい。なお、５タプルは、送信元ＩＰアドレス、送信先ＩＰアドレス、送信元ポート番号、送信先ポート番号、プロトコル番号のいずれか一つ以上の情報を組み合わせて構成されてもよい。
【０５５３】
ＴＷＡＧ７４は、ＰＧＷ３０からベアラ更新要求の受信及び／又は第１の識別情報及び／又は第２の識別情報の受信に伴い、ＵＥ１０に要求メッセージを送信する（Ｓ１６０６）。ＴＷＡＧ７４は、少なくともメッセージタイプ(Message Type)及び／又はプロシージャトランザクションＩＤ（Procedure transaction identity）を要求メッセージに含めて送信してもよい。更に、ＴＷＡＧ７４は、第１の識別情報及び／又は第２の識別情報を要求メッセージに含めて送信してもよい。
【０５５４】
更に、ＴＷＡＧ７４は要求メッセージにＴＦＴ及び／又はＰＣＯを含めてもよい。なお、ＰＣＯにはＴＦＴが含まれてもよい。
【０５５５】
ＴＦＴは、本ＰＤＮ接続手続きで確立するＰＤＮコネクションを用いて通信を行うＩＰフローを識別するための情報であってもよい。なお、識別するＩＰフローは、アプリケーション単位で異なるものであってもよい。したがって、ＴＦＴにより、特定のアプリケーションのユーザデータを識別することができる。
【０５５６】
より具体的には、ＴＦＴは、５タプルで構成されてもよいし、アプリケーションＩＤ等の識別情報で構成されてもよい。なお、５タプルは、送信元ＩＰアドレス、送信先ＩＰアドレス、送信元ポート番号、送信先ポート番号、プロトコル番号のいずれか一つ以上の情報を組み合わせて構成されてもよい。
【０５５７】
メッセージタイプは、ＩＰフローの切り替えを要求することを示すメッセージタイプであってもよい。メッセージタイプは第２の識別情報であってもよい。ＴＷＡＧ７４はメッセージタイプを要求メッセージに含めて送信することで、ＵＥ１０にフロー切り替えを要求できる。
【０５５８】
プロシージャトランザクションＩＤはＰＤＮ接続手続きを識別する情報であってもよい。
【０５５９】
ＴＷＡＧ７４は要求メッセージ及び／又は第１の識別情報及び／又は第２の識別情報をＵＥ１０に送信することで、ＩＰフロー切り替えを要求する事ができる。
【０５６０】
ＵＥ１０はＴＷＡＧ７４から要求メッセージを受信、及び／又は第１の識別情報の受信及び／又は第２の識別情報の受信に基づいて、ＴＷＡＧ７４に受諾メッセージを送信する（Ｓ１６０８）。
【０５６１】
ＵＥ１０は、受諾メッセージに少なくともプロシージャトランザクションＩＤ及び／又はメッセージタイプを含めてＴＷＡＧ７４に送信する。
【０５６２】
更に、ＵＥ１０は受諾メッセージに第１の識別情報を含めてＴＷＡＧ７４に送信してもよい。また、ＵＥ１０は受諾メッセージにＴＦＴ及び／又はＰＣＯを含めて送信してもよい。なお、ＰＣＯにＴＦＴが含まれてもよい。
【０５６３】
ＴＦＴは、本ＰＤＮ接続手続きで確立するＰＤＮコネクションを用いて通信を行うＩＰフローを識別するための情報であってもよい。なお、識別するＩＰフローは、アプリケーション単位で異なるものであってもよい。したがって、ＴＦＴにより、特定のアプリケーションのユーザデータを識別することができる。
【０５６４】
より具体的には、ＴＦＴは、５タプルで構成されてもよいし、アプリケーションＩＤ等の識別情報で構成されてもよい。なお、５タプルは、送信元ＩＰアドレス、送信先ＩＰアドレス、送信元ポート番号、送信先ポート番号、プロトコル番号のいずれか一つ以上の情報を組み合わせて構成されてもよい。
【０５６５】
プロシージャトランザクションＩＤはＰＤＮ接続手続きを識別する情報であってもよい。プロシージャトランザクションＩＤはＵＥ１０がＴＷＡＧ７４から取得したＩＤであってもよい。
【０５６６】
メッセージタイプは、要求に対し受諾することを示す識別情報であってもよい。
【０５６７】
ＵＥ１０は受諾メッセージに受諾を示すメッセージタイプを含める事で、メッセージの受諾を示してもよい。
【０５６８】
次に、ＴＷＡＧ７４はＵＥ１０から受諾メッセージの受信及び／又は受諾を示すメッセージタイプの受信に伴い、ＰＧＷ３０にベアラ更新応答(Update Bearer Response)を送信する（Ｓ１６１０）。
【０５６９】
ＴＷＡＧ７４はベアラ更新応答に、少なくとも理由値(Cause)及び／又はベアラコンテキストを含めて送信してもよい。更に、ＴＷＡＧ７４はベアラ更新応答に少なくとも第１の識別情報を含めてもよい。
【０５７０】
ベアラコンテキストは、ベアラの識別情報及び／又は理由値を含めてもよい。
【０５７１】
ベアラ更新応答に含まれる理由値は、応答の理由を示す識別情報である。ここでは、ベアラ更新応答は要求の受諾を通知するメッセージであるため、理由値は“Ｒｅｑｕｅｓｔ  ａｃｃｅｐｔｅｄ”であってもよい。又は、ＴＷＡＧ７４及び／又はＵＥ１０が、ネットワークからの要求を一部受諾する場合は、理由値は“Ｒｅｑｕｅｓｔ  ａｃｃｅｐｔｅｄ  ｐａｒｔｉａｌｌｙ”であってもよい。
【０５７２】
具体的には、例えばＰＣＲＦ６０及びＰＧＷ３０はＵＥ１０に複数のＩＰフローの切り替えを要求するフロー切り替え手続きを介しした場合に、ＵＥ１０及び／又はＴＷＡＧ７４が少なくとも一つのＩＰフローの切り替えのみを許可する場合、ＴＷＡＧ７４は理由値に“Ｒｅｑｕｅｓｔ  ａｃｃｅｐｔｅｄ  ｐａｒｔｉａｌｌｙ”を含めてもよい。
【０５７３】
また、ベアラコンテキストに含まれる理由値はベアラ更新応答に含まれる理由値と同様であってもよい。なお、ベアラごとに要求に対する応答が異なる場合、ＴＷＡＧ７４はベアラコンテキストとベアラ更新応答に異なる理由値を含ませてもよい。
【０５７４】
更にベアラコンテキストにはＰＣＯを含めてもよい。
【０５７５】
ＰＧＷ３０は、ＴＷＡＧ７４からベアラ更新応答の受信及び／又は受諾を示す理由値の受信に伴い、ＰＣＲＦ６０にＩＰ−ＣＡＮ更新手続きの完了を送信する(Ｓ１６１２)。
【０５７６】
ＰＧＷ３０は、ＩＰ−ＣＡＮ更新手続きの完了に少なくとも第１の識別情報を含めて送信してもよい。
【０５７７】
ＰＣＲＦ６０は、ＰＧＷ３０からのＩＰ−ＣＡＮ更新手続きの完了の受信及び／又は第１の識別情報の受信に基づき、ＰＣＲＦ６０のフロー切り替えの要求が受諾されたと判断し、記憶部のルーティングルールを更新してもよい。
【０５７８】
以上により、ＰＣＲＦ６０及び／又はネットワークより開始されたフロー切り替えが成功する。
【０５７９】
［１．４．１．２．第２のフロー切り替え手続き例］
次に、第２のフロー切り替え手続き例を、図１７を用いて説明する。図に示すように、第２のフロー切り替え手続き例では前述の第１〜第３の初期状態のうちいずれかであってもよい。
【０５８０】
つまり、初期状態が第１〜第３の初期状態のうちいずれかの初期状態である場合、アクセスネットワークＢを介したＰＧＷ３０への複数の転送路間でフローを切り替えるための手続きであってもよい。
【０５８１】
また、初期状態が第３の初期状態である場合、アクセスネットワークＡを介したＰＧＷ３０へのベアラを用いたフローを、アクセスネットワークＢを介した転送路を用いたフローへ切り替えるための手続きであってもよい。
【０５８２】
まず、ＰＣＲＦ６０は、第１のＰＤＮコネクションのフロー切り替えの要求手続きの開始をする。フロー切り替え手続きの開始のトリガーは、例えばネットワーク内のトラフィックの状態の変更や、オペレータポリシーの変更であってもよい。
【０５８３】
具体的には、ＰＣＲＦ６０はアクセスネットワークＡ内のトラフィックの増加に伴い、アクセスネットワークＡを介したベアラを用いたＩＰフローを、アクセスネットワークＢを介した転送路を用いたＩＰフローに切り替えることをＵＥ１０に要求してもよい。
【０５８４】
ＰＣＲＦ６０はＰＧＷ３０にＩＰ−ＣＡＮ更新手続きを要求するためのメッセージを送信する（Ｓ１７０２）。メッセージには少なくとも、第１の識別情報が含まれる。
【０５８５】
第１の識別情報は、ＰＣＲＦ６０が要求するフロー切り替えを実現するためのルーティングルールである。第１の識別情報には、変更を要求する転送路又はベアラを含むＲｏｕｔｉｎｇ  Ｆｉｌｔｅｒとそれに対応するＲｏｕｔｉｎｇ  ａｄｄｒｅｓｓ又はＲｏｕｔｉｎｇ  ａｃｃｅｓｓ  ｔｙｐｅのみを含めてもよい。
【０５８６】
ＰＧＷ３０はＰＣＲＦ６０から第１の識別情報の受信及び／又は第１の識別情報を含むメッセージの受信に伴い、ＴＷＡＧ７４にベアラ更新要求(update bearer request)を送信する(Ｓ１７０４)。
【０５８７】
ＰＧＷ３０はベアラ更新要求に、ベアラコンテキストを含めて送信してもよい。更に、ＰＧＷ３０は少なくとも第１の識別情報及び／又は第３の識別情報を含めてもよい。
【０５８８】
また、ＰＧＷ３０はベアラ更新要求にインディケーションフラグ(Indication flags)及び／又はＰＣＯ(Protocol Configuration Options)及び／又はＴＦＴを含めてもよい。なお、ＰＧＷ３０はインディケーションフラグに第３の識別情報を含めてもよい。また、ＰＣＯにＴＦＴを含めてもよい。
【０５８９】
ベアラコンテキストは更新するベアラに関連する情報群である。ベアラコンテキストには少なくともベアラ識別情報又は転送路識別情報が含まれる。またベアラコンテキストにＴＦＴ及び／又はベアラフラグが含まれてもよい。
【０５９０】
ベアラ識別情報又は転送路識別情報は、ベアラ又は転送路を識別するための識別情報である。ＰＧＷ３０はベアラ識別情報をベアラ更新要求に含めることで、更新を要求するベアラを識別する。
【０５９１】
また、ベアラフラグは、従来よりベアラレベルでのメッセージの指示を示すフラグである。ＰＧＷ３０はベアラフラグに第３の識別情報をふくめて送信してもよい。
【０５９２】
また、インディケーションフラグは、従来よりメッセージの指示を示すフラグである。ＰＧＷ３０はインディケーションフラグに第３の識別情報をふくめて送信してもよい。
【０５９３】
ＴＦＴは、本ＰＤＮ接続手続きで確立するＰＤＮコネクションを用いて通信を行うＩＰフローを識別するための情報であってもよい。なお、識別するＩＰフローは、アプリケーション単位で異なるものであってもよい。したがって、ＴＦＴにより、特定のアプリケーションのユーザデータを識別することができる。
【０５９４】
より具体的には、ＴＦＴは、５タプルで構成されてもよいし、アプリケーションＩＤ等の識別情報で構成されてもよい。なお、５タプルは、送信元ＩＰアドレス、送信先ＩＰアドレス、送信元ポート番号、送信先ポート番号、プロトコル番号のいずれか一つ以上の情報を組み合わせて構成されてもよい。
【０５９５】
ＴＷＡＧ７４は、ＰＧＷ３０からベアラ更新要求の受信及び／又は第１の識別情報及び／又は第２の識別情報の受信に伴い、ＵＥ１０に要求メッセージを送信する（Ｓ１７０６）。ＴＷＡＧ７４は、少なくともメッセージタイプ(Message Type)及び／又はプロシージャトランザクションＩＤ（Procedure transaction identity）を要求メッセージに含めて送信してもよい。更に、ＴＷＡＧ７４は、第１の識別情報及び／又は第２の識別情報を要求メッセージに含めて送信してもよい。
【０５９６】
更に、ＴＷＡＧ７４は要求メッセージにＴＦＴ及び／又はＰＣＯを含めてもよい。なお、ＰＣＯにはＴＦＴが含まれてもよい。
【０５９７】
ＴＦＴは、本ＰＤＮ接続手続きで確立するＰＤＮコネクションを用いて通信を行うＩＰフローを識別するための情報であってもよい。なお、識別するＩＰフローは、アプリケーション単位で異なるものであってもよい。したがって、ＴＦＴにより、特定のアプリケーションのユーザデータを識別することができる。
【０５９８】
より具体的には、ＴＦＴは、５タプルで構成されてもよいし、アプリケーションＩＤ等の識別情報で構成されてもよい。なお、５タプルは、送信元ＩＰアドレス、送信先ＩＰアドレス、送信元ポート番号、送信先ポート番号、プロトコル番号のいずれか一つ以上の情報を組み合わせて構成されてもよい。
【０５９９】
メッセージタイプは、ＩＰフローの切り替えを要求することを示すメッセージタイプであってもよい。メッセージタイプは第２の識別情報であってもよい。ＴＷＡＧ７４はメッセージタイプを要求メッセージに含めて送信することで、ＵＥ１０にフロー切り替えを要求できる。
【０６００】
プロシージャトランザクションＩＤはＰＤＮ接続手続きを識別する情報であってもよい。
【０６０１】
ＴＷＡＧ７４は要求メッセージ及び／又は第１の識別情報及び／又は第２の識別情報をＵＥ１０に送信することで、ＩＰフロー切り替えを要求する事ができる。
【０６０２】
ＵＥ１０はＴＷＡＧ７４から要求メッセージを受信、及び／又は第１の識別情報の受信及び／又は第２の識別情報の受信に伴って、ＴＷＡＧ７４に拒絶メッセージを送信する（Ｓ１７０８）。
【０６０３】
ＵＥ１０は、拒絶メッセージに少なくともプロシージャトランザクションＩＤ及び／又はメッセージタイプ及び／又は理由値(Cause)を含めてＴＷＡＧ７４に送信する。
【０６０４】
更に、ＵＥ１０は拒絶メッセージに第１の識別情報及び／又は第４の識別情報を含めてＴＷＡＧ７４に送信してもよい。なお、理由値に第４の識別情報を含めてもよい。
【０６０５】
また、ＵＥ１０は受諾メッセージにＴＦＴ及び／又はＰＣＯを含めて送信してもよい。なお、ＰＣＯにＴＦＴが含まれてもよい。
【０６０６】
ＴＦＴは、本ＰＤＮ接続手続きで確立するＰＤＮコネクションを用いて通信を行うＩＰフローを識別するための情報であってもよい。なお、識別するＩＰフローは、アプリケーション単位で異なるものであってもよい。したがって、ＴＦＴにより、特定のアプリケーションのユーザデータを識別することができる。
【０６０７】
より具体的には、ＴＦＴは、５タプルで構成されてもよいし、アプリケーションＩＤ等の識別情報で構成されてもよい。なお、５タプルは、送信元ＩＰアドレス、送信先ＩＰアドレス、送信元ポート番号、送信先ポート番号、プロトコル番号のいずれか一つ以上の情報を組み合わせて構成されてもよい。
【０６０８】
プロシージャトランザクションＩＤはＰＤＮ接続手続きを識別する情報であってもよい。プロシージャトランザクションＩＤはＵＥ１０がＴＷＡＧ７４から取得したＩＤであってもよい。
【０６０９】
メッセージタイプは、要求に対し拒絶することを示す識別情報であってもよい。
【０６１０】
理由値は、要求に対して拒絶する理由を示す識別情報であってもよい。
【０６１１】
理由値は、ＷＬＡＮアクセスの電波強度が低い事を示す情報、及び／又は、ＷＬＡＮアクセスの電波強度が特定の閾値を下回る事を示す情報、及び／又は、ＷＬＡＮアクセスのデータレートが低い事を示す情報、及び／又は、ＷＬＡＮアクセスのデータレートが特定の閾値より低い事を示す情報、及び／又は、ＷＬＡＮアクセスネットワークのアクセスポイントのチャネル利用効率が低い事を示す情報、又はＷＬＡＮアクセスネットワークのアクセスポイントのチャネル利用効率が特定の閾値より低い事を示す情報であってもよい。
【０６１２】
また、理由値は、第１のＰＤＮコネクションがＮｅｔｗｏｒｋ−ｉｎｉｔｉａｔｅｄ  ｍｏｄｅではない事を示す“Ｉｎｖａｌｉｄ  ｍｏｄｅ”であってもよい。言い換えると、第１のＰＤＮコネクションがＵＥ−ｉｎｉｔｉａｔｅｄ  ｍｏｄｅであることを示す“Ｉｎｖａｌｉｄ  ｍｏｄｅ”であってもよい。
【０６１３】
又は、理由値は第１のＰＤＮコネクションがマルチアクセスＰＤＮコネクションでない事を示す “ＮＢＩＦＯＭ  ｎｏｔ  ａｌｌｏｗｅｄ”であってもよい。
【０６１４】
また、第１の初期状態又は第２の初期状態から本手続きが開始された場合、理由値はＵＥ１０がＷＬＡＮアクセスをサポートしていない事を示す“Ｗｉｆｉ  ｎｏｔ  ａｖａｉｌａｂｌｅ”であってもよい。
【０６１５】
また、要求されたフローの切り替え先のバックフォールのデータレートが低い場合、理由値は“Ｌｏｗ  ＵＬ／ＤＬ  ｂａｃｋｈａｕｌ  ｄａｔａ  ｒａｔｅ”であってもよい。
【０６１６】
また、要求されたフローの切り替え先の電界強度が低い場合、理由値は“Ｌｏｗ  ＲＳＳＩ”であってもよい。
【０６１７】
また、要求されたフローの切り替え先のチャネル利用効率が低い場合、理由値は“Ｌｏｗ  ｃｈａｎｎｅｌ  ｕｔｉｌｉｚａｔｉｏｎ”であってもよい。
【０６１８】
なお、データレートが低い事及び／又はチャネル効率が低い事は、ＷＬＡＮ  ＡＰａ７２からＨｏｔ  Ｓｐｏｔ２．０の規格に基づきＵＥ１０が取得してもよい。
【０６１９】
又は、理由値は第４の識別情報であってもよい。理由値はこれに限らず、ＵＥ１０が要求を拒絶する理由を示す識別情報であればよい。
【０６２０】
ＵＥ１０は拒絶メッセージに拒絶を示すメッセージタイプ及び／又は理由値及び／又は第１の識別情報を含める事で、メッセージの拒絶を示してもよい。
【０６２１】
次に、ＴＷＡＧ７４はＵＥ１０から拒絶メッセージの受信及び／又は拒絶を示すメッセージタイプの受信及び／又は第１の識別情報の受信に伴い、ＰＧＷ３０にベアラ更新応答(Update Bearer Response)を送信する（Ｓ１７１０）。
【０６２２】
ＴＷＡＧ７４はベアラ更新応答に、少なくとも理由値(Cause)及び／又はベアラコンテキストを含めて送信してもよい。更に、ＴＷＡＧ７４はベアラ更新応答に少なくとも第１の識別情報及び／又は第４の識別情報を含めてもよい。
【０６２３】
ベアラコンテキストは、ベアラの識別情報及び／又は理由値を含めてもよい。なお、理由値は第４の識別情報であってもよい。
【０６２４】
ベアラ更新応答に含まれる理由値は、応答の理由を示す識別情報である。ここでは、ベアラ更新応答は要求の拒絶を通知するメッセージであるため、理由値は”ＵＥ  ｒｅｆｕｓｅｓ”であってもよい。又は、理由値は、ＵＥ１０から受信した拒絶メッセ―ジに含まれる理由値と同様又は同様の意味を示すものであってもよい。理由値は第４の識別情報であってもよい。
【０６２５】
更にベアラコンテキストにはＰＣＯを含めてもよい。
【０６２６】
ＰＧＷ３０は、ＴＷＡＧ７４からベアラ更新応答の受信及び／又は拒絶を示す理由値の受信に伴い、ＰＣＲＦ６０にＩＰ−ＣＡＮ更新手続き終了メッセージを送信する(Ｓ１７１２)。
【０６２７】
ＰＧＷ３０は、ＩＰ−ＣＡＮ更新手続き終了メッセージに少なくとも第１の識別情報及び／又は第４の識別情報を含めて送信してもよい。
【０６２８】
ＰＣＲＦ６０は、ＰＧＷ３０からのＩＰ−ＣＡＮ更新手続きの完了の受信及び／又は第１の識別情報及び／又は第４の識別情報の受信に基づき、ＰＣＲＦ６０のフロー切り替えの要求が拒絶されたと判断してもよい。
【０６２９】
以上により、ＰＣＲＦ６０及び／又はネットワークより開始されたフロー切り替えが失敗する。
【０６３０】
なお、ネットワーク及び／又はＰＣＲＦ６０はＰＧＷ３０から取得した理由値に基づいて、ＰＤＮ接続を遮断するＰＤＮ接続遮断手続きを開始してもよい。
【０６３１】
ＰＣＲＦ６０はＰＤＮ接続遮断手続きにおいて、ＰＧＷ３０及び／又はＵＥ１０への要求メッセージに再アタッチの要求を示すリクエストタイプ及び／又はＮＢＩＦＯＭ機能に基づいたマルチアクセスＰＤＮ接続の確立を禁止するリクエストタイプ又は識別情報を含めてもよい。
【０６３２】
［３．変形例］
また、各実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０６３３】
ここで、プログラムを格納する記録媒体としては、半導体媒体（例えば、ＲＯＭや、不揮発性のメモリカード等）、光記録媒体・光磁気記録媒体（例えば、ＤＶＤ（Ｄｉｇｉｔａｌ  Ｖｅｒｓａｔｉｌｅ  Ｄｉｓｃ）、ＭＯ（Ｍａｇｎｅｔｏ  Ｏｐｔｉｃａｌ  Ｄｉｓｃ）、ＭＤ（Ｍｉｎｉ  Ｄｉｓｃ）、ＣＤ（Ｃｏｍｐａｃｔ  Ｄｉｓｃ）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０６３４】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０６３５】
また、上述した実施形態における各装置の一部又は全部を典型的には集積回路であるＬＳＩ（Ｌａｒｇｅ  Ｓｃａｌｅ  Ｉｎｔｅｇｒａｔｉｏｎ）として実現してもよい。各装置の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能であることは勿論である。
【０６３６】
また、上述した実施形態においては、無線アクセスネットワークの例としてＬＴＥと、ＷＬＡＮ（例えば、ＩＥＥＥ８０２．１１ａ／ｂ／ｎ等）とについて説明したが、ＷＬＡＮの代わりにＷｉＭＡＸによって接続されても良い。
【符号の説明】
【０６３７】
７  コアネットワーク
９  通信システム
１０  ＵＥ
３０  ＰＧＷ
３５  ＳＧＷ
４０  ＭＭＥ
４５  ｅＮＢ
５０  ＨＳＳ
５５  ＡＡＡ
６０  ＰＣＲＦ
６５  ｅＰＤＧ
７０  ＷＬＡＮ  ＡＮａ
７４  ＴＷＡＧ
７５  ＷＬＡＮ  ＡＮｂ
８０  ＬＴＥ  ＡＮ
１００  ＰＤＮ
【図１】
2016163422.tif 000003
【図２】
2016163422.tif 000004
【図３】
2016163422.tif 000005
【図４】
2016163422.tif 000006
【図５】
2016163422.tif 000007
【図６】
2016163422.tif 000008
【図７】
2016163422.tif 000009
【図８】
2016163422.tif 000010
【図９】
2016163422.tif 000011
【図１０】
2016163422.tif 000012
【図１１】
2016163422.tif 000013
【図１２】
2016163422.tif 000014
【図１３】
2016163422.tif 000015
【図１４】
2016163422.tif 000016
【図１５】
2016163422.tif 000017
【図１６】
2016163422.tif 000018
【図１７】
2016163422.tif 000019
【図１８】
2016163422.tif 000020
【国際調査報告】
2016163422.tif 000021
2016163422.tif 000022
2016163422.tif 000023